(57)【特許請求の範囲】
【請求項１】
内部キャビティ及びフロント部を有するボディ部と、
前記ボディ部の前記フロント部に取り付けられ、前記内部キャビティを封止するフェース部と、
前記ボディ部の内壁の一部に結合された第１の充填材料と、
前記第１の充填材料と前記フェース部の間にあり、前記フェース部に結合された第２の充填材料と、
を備えたゴルフクラブヘッドであって、
前記第１の充填材料は、前記第２の充填材料より大きい反発係数（ＣＯＲ）を有し、
前記第２の充填材料は、前記第１の充填材料より高い剛性を有し、
前記ゴルフクラブヘッドのＣＯＲは、０．８２以上であり、
前記第１の充填材料の体積は、前記ボディ部の体積の５％以上であり、且つ、前記ボディ部の体積の２０％以下であり、
前記第１の充填材料の体積は、前記内部キャビティの体積の２０％以上であり、且つ、前記内部キャビティの体積の４５％以下であり、
前記第１の充填材料の質量は、前記ボディ部の質量の１．０％以上であり、且つ、前記ボディ部の質量の３．５％以下であり、
前記第２の充填材料の質量は、前記ボディ部の質量の２．５％以上であり、且つ、前記ボディ部の質量の８．５％以下であることを特徴とするゴルフクラブヘッド。
【請求項２】
請求項１に記載のゴルフクラブヘッドにおいて、
前記第１の充填材料は、前記フェース部が前記ボディ部に取り付けられる前に挿入物として形成され、前記ボディ部の内壁の前記一部に結合されて前記内部キャビティの一部を充填し、
前記第２の充填材料は、前記内部キャビティに注入されて前記内部キャビティの残りの部分を充填することを特徴とするゴルフクラブヘッド。
【請求項３】
請求項１に記載のゴルフクラブヘッドにおいて、
前記第１の充填材料は、ゴム系の化合物であることを特徴とするゴルフクラブヘッド。
【請求項４】
請求項１に記載のゴルフクラブヘッドにおいて、
前記第２の充填材料は、エポキシ系の材料であることを特徴とするゴルフクラブヘッド。
【請求項５】
請求項１に記載のゴルフクラブヘッドにおいて、
前記ボディ部は、前記内部キャビティを画定する複数の凹部を含み、
前記複数の凹部のうちの中央凹部は、前記内部キャビティの最大幅を含み、
前記第１の充填材料の全部又はかなりの部分が前記中央凹部に位置することを特徴とするゴルフクラブヘッド。
【請求項６】
請求項１に記載のゴルフクラブヘッドにおいて、
前記ボディ部は、前記内部キャビティを画定する複数の凹部を含み、
前記内部キャビティの幅は、前記複数の凹部のうちの中央凹部から、前記複数の凹部のうちの前記ボディ部の外周エッジ部に隣接する１つ以上の凹部まで減少し、
前記第１の充填材料の全部又はかなりの部分が前記中央凹部に位置することを特徴とするゴルフクラブヘッド。
【請求項７】
請求項１に記載のゴルフクラブヘッドにおいて、
前記内部キャビティ内の前記第２の充填材料の全質量は、前記内部キャビティ内の前記第１の充填材料の全質量より大きいことを特徴とするゴルフクラブヘッド。
【請求項８】
内部キャビティ及びフロント部を有するボディ部と、
前記ボディ部の前記フロント部に取り付けられ、前記内部キャビティを封止するフェース部と、
前記ボディ部の内壁の一部に結合された第１の充填材料と、
前記第１の充填材料と前記フェース部の間にあり、前記フェース部に結合された第２の充填材料と、
を備えたゴルフクラブヘッドであって、
前記第２の充填材料は、前記第１の充填材料より高い剛性を有し、
前記第１の充填材料の体積は、前記ボディ部の体積の５％以上であり、且つ、前記ボディ部の体積の２０％以下であり、
前記第１の充填材料の体積は、前記内部キャビティの体積の２０％以上であり、且つ、前記内部キャビティの体積の４５％以下であり、
前記第１の充填材料の質量は、前記ボディ部の質量の１．０％以上であり、且つ、前記ボディ部の質量の３．５％以下であり、
前記第２の充填材料の質量は、前記ボディ部の質量の２．５％以上であり、且つ、前記ボディ部の質量の８．５％以下であることを特徴とするゴルフクラブヘッド。
【請求項９】
請求項８に記載のゴルフクラブヘッドにおいて、
前記第１の充填材料は、前記フェース部が前記ボディ部に取り付けられる前に挿入物として形成され、前記ボディ部の内壁の前記一部に結合されて前記内部キャビティの一部を充填し、
前記第２の充填材料は、前記内部キャビティに注入されて前記内部キャビティの残りの部分を充填することを特徴とするゴルフクラブヘッド。
【請求項１０】
請求項８に記載のゴルフクラブヘッドにおいて、
前記第１の充填材料は、ゴム系の化合物であり、
前記第２の充填材料は、エポキシ系の材料であることを特徴とするゴルフクラブヘッド。
【請求項１１】
請求項８に記載のゴルフクラブヘッドにおいて、
前記第１の充填材料は、前記第２の充填材料より大きい反発係数（ＣＯＲ）を有することを特徴とするゴルフクラブヘッド。
【請求項１２】
請求項８に記載のゴルフクラブヘッドにおいて、
前記フェース部は、０．０７５インチ（１．９ミリメートル）以下の厚さを有し、
前記フェース部の中央部は、前記フェース部の中央部に時速８５マイル（３８メートル／秒）の速度で衝突するゴルフボールによって０．０１９７インチ（０．５ミリメートル）以上の最大撓みを有することを特徴とするゴルフクラブヘッド。
【請求項１３】
請求項９に記載のゴルフクラブヘッドにおいて、
前記ボディ部は、前記内部キャビティを画定する複数の凹部を含み、
前記複数の凹部のうちの中央凹部は、前記内部キャビティの最大幅を含み、
前記第１の充填材料の全部又はかなりの部分が前記中央凹部に位置することを特徴とするゴルフクラブヘッド。
【請求項１４】
内部キャビティ及びフロント部を有するボディ部と、
前記ボディ部の前記フロント部に取り付けられ、前記内部キャビティを封止するフェース部であって、０．０７５インチ（１．９ミリメートル）以下の厚さを有する、前記フェース部と、
と、
前記ボディ部の内壁の一部に結合された第１の充填材料と、
前記第１の充填材料と前記フェース部の間にあり、前記フェース部に結合された第２の充填材料と、
を備えたゴルフクラブヘッドであって、
前記第１の充填材料は、ゴム系の化合物であり、
前記第２の充填材料は、エポキシ系の材料であり、前記第２の充填材料は、前記第１の充填材料より小さい反発係数（ＣＯＲ）を有し、
前記フェース部の中央部は、前記フェース部の中央部に時速８５マイル（３８メートル／秒）の速度で衝突するゴルフボールによって０．０１９７インチ（０．５ミリメートル）以上の最大撓みを有し、
前記ゴルフクラブヘッドのＣＯＲは、０．８１以上であることを特徴とするゴルフクラブヘッド。
【請求項１５】
請求項１４に記載のゴルフクラブヘッドにおいて、
前記第１の充填材料の体積は、前記ボディ部の体積の５％以上であり、且つ、前記ボディ部の体積の２０％以下であり、
前記第１の充填材料の体積は、前記内部キャビティの体積の２０％以上であり、且つ、前記内部キャビティの体積の４５％以下であることを特徴とするゴルフクラブヘッド。
【請求項１６】
請求項１４に記載のゴルフクラブヘッドにおいて、
前記第１の充填材料の質量は、前記ボディ部の質量の１．０％以上であり、且つ、前記ボディ部の質量の３．５％以下であり、
前記第２の充填材料の質量は、前記ボディ部の質量の２．５％以上であり、且つ、前記ボディ部の質量の８．５％以下であることを特徴とするゴルフクラブヘッド。
【請求項１７】
請求項１４に記載のゴルフクラブヘッドにおいて、
前記第１の充填材料は、前記フェース部が前記ボディ部に取り付けられる前に挿入物として形成され、前記ボディ部の内壁の前記一部に結合されて前記内部キャビティの一部を充填し、
前記第２の充填材料は、前記内部キャビティに注入されて前記内部キャビティの残りの部分を充填することを特徴とするゴルフクラブヘッド。
【請求項１８】
請求項１４に記載のゴルフクラブヘッドにおいて、
前記第２の充填材料は、前記第１の充填材料より高い剛性を有することを特徴とするゴルフクラブヘッド。
【請求項１９】
請求項１４に記載のゴルフクラブヘッドにおいて、
前記ボディ部は、前記内部キャビティを画定する複数の凹部を含み、
前記内部キャビティの幅は、前記複数の凹部の中央凹部から、前記ボディ部の外周エッジ部に隣接する前記複数の凹部の１つ以上の凹部まで減少し、
前記第１の充填材料の全部又はかなりの部分が前記中央凹部に位置し、前記フェース部に接触せずに前記外周エッジ部まで延在することを特徴とするゴルフクラブヘッド。
【請求項２０】
内部キャビティ及びフロント部を有するボディ部と、
前記ボディ部の前記フロント部に取り付けられ、前記内部キャビティを封止するフェース部と、
前記ボディ部の内壁の一部に結合された第１の充填材料と、
前記第１の充填材料と前記フェース部の間にあり、前記フェース部に結合された第２の充填材料と、
を備えたゴルフクラブヘッドであって、
前記第１の充填材料は、前記第２の充填材料より大きい反発係数（ＣＯＲ）を有し、
前記第２の充填材料は、前記第１の充填材料より高い剛性を有し、
前記ゴルフクラブヘッドのＣＯＲは、０．８２以上であり、
前記内部キャビティ内の前記第２の充填材料の全質量は、前記内部キャビティ内の前記第１の充填材料の全質量より大きいことを特徴とするゴルフクラブヘッド。
【請求項２１】
請求項２０に記載のゴルフクラブヘッドにおいて、
前記第１の充填材料は、前記フェース部が前記ボディ部に取り付けられる前に挿入物として形成され、前記ボディ部の内壁の前記一部に結合されて前記内部キャビティの一部を充填し、
前記第２の充填材料は、前記内部キャビティに注入されて前記内部キャビティの残りの部分を充填することを特徴とするゴルフクラブヘッド。
【請求項２２】
請求項２０に記載のゴルフクラブヘッドにおいて、
前記第１の充填材料は、ゴム系の化合物であることを特徴とするゴルフクラブヘッド。
【請求項２３】
請求項２０に記載のゴルフクラブヘッドにおいて、
前記第２の充填材料は、エポキシ系の材料であることを特徴とするゴルフクラブヘッド。
【請求項２４】
請求項２０に記載のゴルフクラブヘッドにおいて、
前記ボディ部は、前記内部キャビティを画定する複数の凹部を含み、
前記複数の凹部のうちの中央凹部は、前記内部キャビティの最大幅を含み、
前記第１の充填材料の全部又はかなりの部分が前記中央凹部に位置することを特徴とするゴルフクラブヘッド。
【請求項２５】
請求項２０に記載のゴルフクラブヘッドにおいて、
前記ボディ部は、前記内部キャビティを画定する複数の凹部を含み、
前記内部キャビティの幅は、前記複数の凹部のうちの中央凹部から、前記複数の凹部のうちの前記ボディ部の外周エッジ部に隣接する１つ以上の凹部まで減少し、
前記第１の充填材料の全部又はかなりの部分が前記中央凹部に位置することを特徴とするゴルフクラブヘッド。
【発明の詳細な説明】
【技術分野】
【０００１】
［著作権表示］
本開示は、著作権による保護の対象となり得る。著作権者は、特許商標庁の特許ファイル又は記録に表れるように、本開示又はその関連文書が何人かによりファクシミリ複製されることに異議を持たないが、そうでない場合には全ての著作権を留保する。
【０００２】
［関連出願の相互参照］
本出願は、２０１８年１１月２日に出願された出願第１６／１７９，４０６号の優先権を主張する。本出願はまた、２０１９年９月３０日に出願された米国仮出願第６２／９０８，４６７号、２０１９年９月２０日に出願された米国仮出願第６２／９０３，４６７号、２０１９年７月２４日に出願された米国仮出願第６２／８７７，９３４号、２０１９年７月２４日に出願された米国仮出願第６２／８７７，９１５号、２０１９年６月２４日に出願された米国仮出願第６２／８６５，５３２号、２０１９年３月２９日に出願された米国仮出願第６２／８２６，３１０号、及び２０１９年３月７日に出願された米国仮出願第６２／８１４，９５９号の利益を主張する。上記で参照された出願の開示は、参照によりその全体が本明細書に組み込まれる。
［技術分野］
【０００３】
本開示は、一般にゴルフ用品に関し、より具体的には、ゴルフクラブヘッド及びゴルフクラブヘッド製造方法に関する。
【背景技術】
【０００４】
ゴルフクラブヘッドを製造するために、様々な材料（例えば、スチール系材料、チタン系材料、タングステン系材料など）が使用され得る。複数の材料を使用してゴルフクラブヘッドを製造することで、ゴルフボールの特定の弾道及びスピンレートを生成するように、ゴルフクラブヘッドの重心（ＣＧ）及び／又は慣性モーメント（ＭＯＩ）の位置が最適化され得る。
【図面の簡単な説明】
【０００５】
図１、図２、図３、及び図４は、それぞれ、本明細書に記載の装置、方法、及び製造物の一実施形態に関するゴルフクラブヘッドの底面透視図、トウ側透視図、ヒール側透視図、及び（図１の線４−４に沿った）断面透視図である。
【０００６】
図５、図６、及び図７は、それぞれ、本明細書に記載の装置、方法、及び製造物の別の実施形態に関するゴルフクラブヘッドの上面図、（図５の線６−６に沿った）概略断面図、及び正面図である。
【０００７】
図８、図９、及び図１０は、それぞれ、本明細書に記載の装置、方法、及び製造物の別の実施形態に関するゴルフクラブヘッドの上面図、（図８の線９−９に沿った）概略断面図、及び正面図である。
【０００８】
図１１、図１２、及び図１３は、それぞれ、本明細書に記載の装置、方法、及び製造物の更に別の実施形態に関するゴルフクラブヘッドの上面図、（図１１の線１２−１２に沿った）概略断面図、及び（図１１の線１２−１２に沿った）別の概略断面図である。
【０００９】
図１４、図１５、図１６、図１７、図１８、図１９、図２０、図２１、図２２、図２３、及び図２４は、それぞれ、本明細書に記載の装置、方法、及び製造物の一実施形態に関するゴルフクラブヘッドの透視背面図、（図１４の線１５−１５に沿った）透視断面図、（図１４の線１６−１６に沿った）透視断面図、（図１４の線１７−１７に沿った）透視断面図、（図１４の線１８−１８に沿った）透視断面図、（図１４の線１９−１９に沿った）透視断面図、（図１４の線２０−２０に沿った）透視断面図、（図１４の線１５−１５に沿った）別の透視断面図、（図１４の線１９−１９に沿った）別の透視断面図、図１４のゴルフクラブヘッドのフェース部を除いて示す正面透視図、及び図１４のゴルフクラブヘッドのフェース部の裏側を示す図である。
【００１０】
図２５は、図１４に例示したゴルフクラブヘッドを製造する方法の１つを示す図である。
【００１１】
図２６、図２７、及び図２８は、それぞれ、本明細書に記載の装置、方法、及び製造物の一実施形態に関するゴルフクラブヘッドの（図２７の線２６−２６に沿った）透視断面図、（図２６の線２７−２７に沿った）透視断面図、及び（図２６の線２８−２８に沿った）透視断面図である。
【００１２】
図２９、図３０、及び図３１は、それぞれ、本明細書に記載の装置、方法、及び製造物の一実施形態に関するゴルフクラブヘッドの（図３０の線２９−２９に沿った）透視断面図、（図２９の線３０−３０に沿った）透視断面図、及び（図２９の線３１−３１に沿った）透視断面図である。
【００１３】
図３２、図３３、及び図３４は、それぞれ、本明細書に記載の装置、方法、及び製造物の一実施形態に関するゴルフクラブヘッドの（図３３の線３２−３２に沿った）透視断面図、（図３２の線３３−３３に沿った）透視断面図、及び（図３２の線３４−３４に沿った）透視断面図である。
【００１４】
図３５、図３６、及び図３７は、それぞれ、本明細書に記載の装置、方法、及び製造物の一実施形態に関するゴルフクラブヘッドの（図３６の線３５−３５に沿った）透視断面図、（図３５の線３６−３６に沿った）透視断面図、及び（図３５の線３７−３７に沿った）透視断面図である。
【００１５】
図３８、図３９、及び図４０は、それぞれ、本明細書に記載の装置、方法、及び製造物の一実施形態に関するゴルフクラブヘッドの（図３９の線３８−３８に沿った）透視断面図、（図３８の線３９−３９に沿った）透視断面図、及び（図３８の線４０−４０に沿った）透視断面図である。
【００１６】
図４１、図４２、及び図４３は、それぞれ、本明細書に記載の装置、方法、及び製造物の一実施形態に関するゴルフクラブヘッドの（図４２の線４１−４１に沿った）透視断面図、（図４１の線４２−４２に沿った）透視断面図、及び（図４１の線４３−４３に沿った）透視断面図である。
【００１７】
図４４は、本明細書に記載の装置、方法、及び製造物の一実施形態に関するゴルフクラブヘッドの透視断面図である。
【００１８】
図４５は、本明細書に記載の装置、方法、及び製造物の一実施形態に関するゴルフクラブヘッドの透視断面図である。
【００１９】
図４６は、本明細書に記載の装置、方法、及び製造物の一実施形態に関するゴルフクラブヘッドの透視断面図である。
【００２０】
図４７は、本明細書に記載の例示的なゴルフクラブヘッドを製造する方法を示す図である。
【００２１】
図４８、図４９、図５０、図５１、図５２、及び図５３は、それぞれ、本明細書に記載の装置、方法、及び製造物の一実施形態に関するゴルフクラブヘッドの透視正面図、透視背面図、フェース部を除いて示す透視正面図、（図４９の線５１−５１に沿った）透視断面図、（図４９の線５２−５２に沿った）透視断面図、及び（図４９の線５３−５３に沿った）透視断面図である。
【００２２】
図５４、図５５、図５６、図５７、図５８、図５９、図６０、図６１、図６２、図６３、図６４、及び図６５は、それぞれ、本明細書に記載の装置、方法、及び製造物の一実施形態に関するゴルフクラブヘッドの透視正面図、透視背面図、（図５５の線５６−５６に沿った）透視断面図、（図５５の線５７−５７に沿った）透視断面図、（図５５の線５８−５８に沿った）透視断面図、フェース部を除いて示す透視正面図、フェース部を除いて示す別の透視正面図、フェース部を除いて示す別の透視正面図、（図５４の線６２−６２に沿った）透視断面図、（図５４の線６３−６３に沿った）透視断面図、（図５４の線６４−６４に沿った）透視断面図である。
【００２３】
図６５は、本明細書に記載の装置、方法、及び製造物の任意の実施形態に関するゴルフクラブヘッドのフェース部の背面図である。
【００２４】
図６６は、本明細書に記載の例示的なゴルフクラブヘッドを製造する方法を示す図である。
【００２５】
図６７、図６８、図６９、図７０、図７１、及び図７２は、それぞれ、本明細書に記載の装置、方法、及び製造物の一実施形態に関するゴルフクラブヘッドの透視正面図、透視背面図、フェース部を除いて示す透視正面図、（図６８の線７０−７０に沿った）透視断面図、（図６８の線７１−７１に沿った）透視断面図、（図６８の線７２−７２に沿った）透視断面図である。
【００２６】
図７３及び図７４は、それぞれ、本明細書に記載の装置、方法、及び製造物の一実施形態に関する充填挿入物の正面斜視図及び背面斜視図である。
【００２７】
図７５は、本明細書に記載の装置、方法、及び製造物の別の実施形態に関する充填挿入物を備えた、図６７に示すゴルフクラブヘッドの図６８の線７１−７１に沿った透視断面図である。
【００２８】
図７６、図７７、及び図７８は、図７５の充填挿入物の正面斜視図、背面斜視図、及び側面斜視図である。
【００２９】
図７９、図８０、図８１、図８２、図８３、図８４、図８５、及び図８６は、本明細書に記載の装置、方法、及び製造物の幾つかの実施形態に関する充填挿入物を備えた、図６７に示すゴルフクラブヘッドの図６８の線７１−７１に沿った透視断面図である。
【００３０】
図８７は、本明細書に記載の装置、方法、及び製造物の任意の実施形態に関するゴルフクラブヘッドの製造例を示す図である。
【００３１】
図８８及び図８９は、本明細書に記載の装置、方法、及び製造物の任意の実施形態に関するフェース部の２つの例の断面図である。
【００３２】
図９０は、本明細書に記載の装置、方法、及び製造物の任意の実施形態に関するマス部の上面図である。
【００３３】
図９１及び図９２は、本明細書に記載の装置、方法、及び製造物の任意の実施形態に関する例示的なマス部の側面図である。
【００３４】
説明の簡素化及び明確化のために、図面は構造を一般的な方法で示し、周知の機能及び技術の説明及び詳細は本開示を不必要に不明瞭にすることを避けるために省略される場合がある。更に、図面中の要素は、縮尺どおりに描かれない場合がある。例えば、図面中の幾つかの要素の寸法は、本開示の実施形態の理解の改善を助けるために他の要素に対して誇張される場合がある。
【発明を実施するための形態】
【００３５】
一般に、ゴルフクラブヘッド、ゴルフクラブ、ゴルフクラブヘッド及びゴルフクラブの製造方法が本明細書に記載される。以下の米国特許及び米国特許出願は、本明細書で全体として「参照により組み込まれる出願」と称され、参照によりその全体が本明細書に組み込まれる：米国特許第８，９６１，３３６号；第９，１９９，１４０号；第９，１９９，１４３号；第９，３５２，１９７号；第９，３９９，１５８号；第９，４６８，８２１号；第９，５３３，２０１号；第９，５５０，０９６号；第９，６１０，４８１号；第９，６３０，０７０号；第９，６６９，２７０号；第９，６７５，８５３号； 第９，７８２，６４３号；第９，７９５，８４２号；第９，８１４，９５２号；第９，８２１，２０１号；第９，８３３，６６７号；第９，８６１，８６７号；第９，９８１，１６０号；第１０，２１３，６５９号；第１０，４１３，７８７号；、及び、２０１６年７月１３日に出願された米国特許出願第１５／２０９，３６４号；２０１７年３月１７日に出願された米国特許出願第１５／４６２，２８１号；２０１７年１０月１６日に出願された米国特許出願第１５／７８５，００１号；２０１８年１月２２日に出願された米国特許出願第１５／８７６，８７７号；２０１８年３月２３日に出願された米国特許出願第１５／９３４，５７９号；２０１８年７月１９日に出願された米国特許出願第１６／０３９，４９６号；２０１８年１１月２日に出願された米国特許出願第１６／１７９，４０６号；２０１８年１１月３０日に出願された米国特許出願第１６／２０５，５８３号；２０１９年５月２４日に出願された米国特許出願第１６／４２２，６６１。
【００３６】
図１〜図４の例では、ゴルフクラブヘッド１００は、クラウン部１３５を有するトップ部１３０と、ボトム部１４０と、トウ部１５０と、ヒール部１６０と、フロント部１７０と、リア部１８０とを備えたボディ部１１０を含み得る。クラウン部１３５は、複合材料から構成されてトップ部１３０に取り付けられる別個の部品であり得る。ボトム部１４０は、トップ部１３０とボトム部１４０との間に、フロント部１７０を除き、トウ部１５０からリア部１８０を回ってヒール部１６０に至るゴルフクラブヘッド１００の周縁部を横断して延在する、ゴルフクラブヘッド１００のサイド部として画定されたスカート部（不図示）を含み得る。フロント部１７０は、ゴルフボール（不図示）に当たるフェース部１７５を含み得る。ゴルフクラブヘッド１００は、中立軸４０１を有し得る。中立軸４０１は、フェース部１７５に対して垂直であってもよく、フェース部１７５の中心と交差し得る。ボディ部１１０はまた、シャフト（不図示）を受け入れるためのホーゼル部１６５を含み得る。あるいは、ボディ部１１０は、ホーゼル部１６５に代えてボアを含み得る。ボディ部１１０は、本明細書に記載又は参照により組み込まれる出願のいずれかに記載された任意の１つの材料又はその組み合わせから作製され得る。ゴルフクラブヘッド１００のフロント−リア距離の最大値は、ゴルフクラブヘッド１００のヒール−トウ距離の最大値より大きくてもよい。図１〜図４は、特定のタイプのゴルフクラブヘッド（例えば、ドライバー系クラブヘッド）を示しているが、本明細書に記載の装置、方法、及び製造物は、他のタイプのクラブヘッド（例えば、フェアウェイウッド系クラブヘッド、ハイブリッド系クラブヘッド、アイアン系クラブヘッド、パター系クラブヘッドなど）に適用可能であり得る。本明細書に記載の装置、方法、及び製造物は、これに限定されない。
【００３７】
ボトム部１４０は、例えば、トウ部１５０の近くに第１セットのポート２１１（概ねポート２１２、２１４、２１６として示される）を有する第１のポート領域２１０、フロント部１７０の近くに第２セットのポート２２０（概ねポート２２２、２２４、２２６として示される）を有する第２のポート領域２２０、及びヒール部１６０の近くに第３セットのポート２３１（概ねポート２３２、２３４、２３６として示される）を有する第３のポート領域２３０として示される、複数のポート領域を含み得る。図１〜図４は、ポート領域及びポートの特定の構成を示しているが、ポート領域の数、各領域のポートの数と構成、及びポートの位置は、本明細書に記載又は参照により組み込まれる出願のいずれかに記載された任意のゴルフクラブヘッドと同様であり得る。ボディ部１１０はまた、第１セットの質量部２６０（概ね質量部２６２、２６４、２６６として示される）、第２セットの質量部２７０（概ね質量部２７２、２７４、２７６として示される）、及び第３セットの質量部２８０（概ね質量部２８２、２８４、２８６として示される）として示される、複数の質量部を含み得る。各ポートは、任意の質量部を交換可能に受け入れることができる。第１セットの質量部２６０、第２セットの質量部２７０、及び／又は第３セットの質量部２８０の各質量は、類似していてもよいし、異なっていてもよい。従って、ポート領域２１０、２２０、及び／又は２３０の各ポートに類似又は異なる質量の質量部を使用することで、本明細書に記載又は参照により組み込まれる出願のいずれかに記載されるように、各ポート領域の全体的な質量及び／又は各ポート領域の質量分布を調整し、ゴルフクラブヘッド１００を使用する個人のためにゴルフクラブヘッドのスイングウェイト、重心、慣性モーメント、及び／又は全体的な感触を概ね最適化及び／又は調整することができる。本明細書に記載の装置、方法、及び製造物は、これに限定されない。
【００３８】
ボディ部１１０の内部の特定の領域は、本明細書に記載又は参照により組み込まれる出願のいずれかに記載された任意のポリマー材料と同様の、本明細書では充填材料とも称されるポリマー材料を含み得る。充填材料は、ゴルフボール（不図示）を打つときのゴルフクラブヘッド１００の振動を減衰し、ノイズを減衰し、重心を下げ、及び／又は良好な感触及び音を提供し得る。ゴルフクラブヘッド１００は、本明細書に記載又は参照により組み込まれる出願のいずれかに記載された任意のゴルフクラブヘッドと同様の充填材料を含み得る１つ又は複数の内部領域及び／又は空洞を有し得る。一例では、図４に示すように、ボディ部１１０は、キャビティウォール部３２０を含み得る。キャビティウォール部３２０は、ボディ部１１０内に第１の内部キャビティ部４１０及び第２の内部キャビティ部４２０を形成し得る。第１の内部キャビティ部４１０と第２の内部キャビティ部４２０は、キャビティウォール部３２０によって分離され得る。あるいは、第１の内部キャビティ部４１０と第２の内部キャビティ部４２０は、キャビティウォール部３２０の１つ又は複数の開口部を通じて接続され得る。本明細書に記載の装置、方法、及び製造物は、これに限定されない。
【００３９】
図４に示すように、キャビティウォール部３２０は、トップ部１３０の位置又はそれに近接する位置からボトム部１４０に向かって延在する第１の部分３２２を含み得る。第１の部分３２２は、フェース部１７５に対して特定の角度又は向きでボトム１４０に向かって延在し得る。一例では、第１の部分３２２は、ボトム１４０に向かうと共にフェース部１７５から離れて延在し得る。従って、第１の内部キャビティ部４１０の第１の幅４１１（ＷC1）は、トップ部１３０からボトム部１４０に向かう方向で増加し得る。別の例では、第１の部分３２２は、ボトム１４０に向かうと共にフェース部１７５に向かって延在し得る。従って、第１の内部キャビティ部４１０の第１の幅４１１は、トップ部１３０からボトム部１４０に向かう方向で減少し得る。図４に示す例では、キャビティウォール部３２０の第１の部分３２２は、フェース部１７５と略平行又は実質的に平行なトップ部１３０の位置又はそれに近接する位置から延在し得る。従って、第１の内部キャビティ部４１０の第１の幅４１１は、一定又は実質的に一定であり得る。本明細書に記載の装置、方法、及び製造物は、これに限定されない。
【００４０】
第１の内部キャビティ部４１０は、トップ部１３０とボトム部１４０の間の拡大キャビティ部４１２を含み得る。図４に示す例のように、拡大キャビティ部４１２は、部分的に又は完全に第２のポート領域２２０の上に延在する。従って、拡大キャビティ部４１２は、第１の内部キャビティ部４１０の第１の幅４１１より大きい第１の内部キャビティ部４１０の第２の幅４１３（ＷC2）を有し得る。第２の幅４１３は、第１の幅４１１より約２倍大きくてもよい。第２の幅４１３は、第１の幅４１１より少なくとも２倍大きくてもよい。拡大キャビティ部４１２は、ゴルフクラブヘッド１００の中立軸４０１の下に少なくとも部分的に配置され得る。拡大キャビティ部４１２は、ゴルフクラブヘッド１００の中立軸４０１の下に完全に配置され得る。第１の幅４１１は、中立軸４０１の上に配置され得る。第２の幅４１３は、中立軸４０１の下に配置され得る。拡大キャビティ部４１２は、第１のウォール部３２２からリア部１８０及びボトム部１４０に向かって延在すると共に第２のポート領域２２０を横切って戻る、第２のウォール部３２４によって画定され得る。第１の内部キャビティ部４１０は、第２のウォール部３２４からボトム部１４０の位置又はそれに近接する位置まで延在する第３のウォール部３２６を含み得る。第１の内部キャビティ部４１０は、第３のウォール部３２６からフェース部１７５の背面１７６まで延在する第３の幅４１４（ＷC3）を有し得る。第３の幅４１４は、拡大キャビティ部４１２の下に配置され得る。第３の幅４１４は、第２の幅４１３の下に配置され得る。第３の幅４１４は、第２の幅４１３より小さくてもよい。第３の幅４１４は、第１の幅４１１と実質的に等しくてもよい。図４に示す例のように、第３の幅４１４は、第２のポート領域２２０とフェース部１７５の間に配置され得る。第３の幅４１４は、ボトム部に近接して配置され得る。別の例では、第１の幅４１１は、第１の内部キャビティ部４１０（不図示）の第２の幅４１３と同様であり得る。従って、キャビティウォール部３２０の第１のウォール部３２２は、第２のポート領域２２０の上の第１の内部キャビティ部４１０の一部が第２のポート領域２２０の１つ又は複数のポートの上に延在するように、図４に示す第１のウォール部３２２の位置よりもリア部１８０に向かって更に後方に配置されてもよい。他の例では、第１の内部キャビティ部４１０は、本明細書に記載されると共に図５〜図１３に示される内部キャビティ部のいずれかと同様に構成され得る。本明細書に記載の装置、方法、及び製造物は、これに限定されない。
【００４１】
一例では、第１の内部キャビティ部４１０は、充填されていなくてもよい（すなわち、空の空間）。あるいは、第１の内部キャビティ部４１０は、衝撃を吸収し、振動を遮断し、ノイズを減衰し、及び／又はフェース部の構造的支持を提供するように、充填材料（すなわち、キャビティ充填部）で部分的に充填（すなわち、１００％未満充填）又は完全に充填され得る。例えば、第１の内部キャビティ部４１０の少なくとも５０％は、ゴルフクラブヘッド１００がフェース部１７５を介してゴルフボールに当たったときの衝撃を吸収し、振動を遮断し、及び／又はノイズを減衰するように、ＴＰＥ材料で充填され得る。一例では、第１の内部キャビティ部４１０は、ボトム部１４０に配置されたポート（例えば、ポート２２４）を通じて、部分的に又は完全に充填材料で充填され得る。一例では、図４に示すように、ポート２２４は、第１の内部キャビティ部４１０にアクセスする開口部を含み得る。開口部は、第１の内部キャビティ部４１０に導入される充填材料のための流体通路を提供し得る。本明細書に記載の装置、方法、及び製造物は、これに限定されない。
【００４２】
ゴルフクラブヘッド１００のフェース部１７５がゴルフボールにあたるとき、フェース部１７５及び充填材料が変形及び／又は圧縮する可能性がある。衝撃の運動エネルギーは、フェース部１７５及び／又は充填材料に伝達され得る。例えば、運動エネルギーの一部は、充填材料によって、又は充填材料を変形及び／又は圧縮する際の作用によって熱に変換され得る。更に、運動エネルギーの一部は、ゴルフボールに戻されて、ゴルフボールを特定の速度で発射し得る。比較的高いＣＯＲを有する充填材料は、比較的多い運動エネルギーをゴルフボールに伝達し、比較的少ない運動エネルギーを拡散し得る。従って、比較的高いＣＯＲを有する充填材料は、衝撃の運動エネルギーの比較的大部分がゴルフボールに戻されてゴルフクラブヘッド１００からゴルフボールを発射し得るので、比較的高いゴルフボール速度を生成し得る。本明細書に記載の装置、方法、及び製造物は、これに限定されない。
【００４３】
第１の内部キャビティ部４１０を形成するキャビティウォール部３２０の支持及び第１の内部キャビティ部４１０の少なくとも一部を充填材料で充填することで、フェース部１７５は、ゴルフクラブヘッド１００の構造的完全性、音、及び／又は感触を損なわずに比較的薄くすることができる。一例では、フェース部１７５は、０．０７５インチ以下の厚さ（例えば、前面１７４と背面１７６の間の距離）を有し得る。別の例では、フェース部１７５は、０．２インチ以下の厚さを有し得る。別の例では、フェース部１７５は、０．０６インチ以下の厚さを有し得る。更に別の例では、フェース部１７５は、０．０５インチ以下の厚さを有し得る。更に、フェース部１７５は、０．０３インチ以下の厚さを有し得る。更に別の例では、フェース部１７５の厚さは、０．０３インチ以上、０．２インチ以下であり得る。本明細書に記載の装置、方法、及び製造物は、これに限定されない。
【００４４】
図１〜図４に示す例では、第２の内部キャビティ部４２０は、充填されていなくてもよい（すなわち、空の空間）。あるいは（不図示）、第２の内部キャビティ部４２０は、本明細書に記載された材料と類似又は異なるタイプの１つ又は複数の材料を含み得る、第１の内部キャビティ部４１０の充填に使用される充填材料と異なる又は類似し得る充填材料（すなわち、キャビティ充填部）で、部分的に充填又は完全に充填され得る。本明細書に記載の装置、方法、及び製造物は、これに限定されない。
【００４５】
本明細書の各実施例は、特定のタイプのゴルフクラブヘッドを説明し得るが、本明細書に記載の装置、方法、及び製造物は、他のタイプのゴルフクラブヘッドに適用可能であり得る。例えば、図５〜図７を参照すると、ゴルフクラブヘッド５００は、ボディ部５１０と、キャビティウォール部５２０とを含み得る。図５〜図７は、特定のタイプのゴルフクラブヘッド（例えば、フェアウェイウッド系クラブヘッド）を説明し得るが、本明細書に記載の装置、方法、及び製造物は、他のタイプのゴルフクラブヘッド（例えば、ドライバー系クラブヘッド、ハイブリッド系クラブヘッド、アイアン系クラブヘッド、パター系クラブヘッドなど）に適用可能であり得る。本明細書に記載の装置、方法、及び製造物は、これに限定されない。
【００４６】
ボディ部５１０は、トウ部５４０と、ヒール部５５０と、フロント部５６０と、リア部５７０と、トップ部５８０（例えば、クラウン部）と、ボトム部５９０（例えば、ソール部）を含み得る。フロント部５６０は、フェース部５６２（例えば、打撃面）を含み得る。フェース部５６２は、前面５６４及び背面５６６を含み得る。前面５６４は、図７に概ね７１０として示される複数の溝を含み得る。キャビティウォール部５２０は、ボディ部５１０内に第１の内部キャビティ部６１０及び第２の内部キャビティ部６２０を形成し得る。図６に示すように、例えば、キャビティウォール部５２０は、フェース部５６２の背面５６６から延在し得る。キャビティウォール部５２０は、単一の湾曲したウォール部分であり得る。特に、キャビティウォール部５２０は、背面５６６に対して凸状の弧形プロファイル（例えば、Ｃ形状）を有して、背面５６６に楕円形の基部（例えば、図７）又は円形の基部を有するドーム状の構造を形成し得る。別の例では、キャビティウォール部５２０は、ボディ部５１０と共に円錐状の構造又は円筒状の構造を形成し得る。あるいは、キャビティウォール部５２０は、背面５６６に対して凹状の弧形プロファイルであり得る。本明細書に記載の装置、方法、及び製造物は、これに限定されない。
【００４７】
第１の内部キャビティ部６１０は、衝撃を吸収し、振動を遮断し、ノイズを減衰し、及び／又は構造的支持を提供するように、本明細書に記載又は参照により組み込まれる出願のいずれかに記載された任意の充填材料のような適切な充填材料で、部分的に又は完全に充填され得る。弾性ポリマー材料は、フェース部５６２上のポートを介した射出成型プロセスを通じて第１の内部キャビティ部６１０に注入され得る。第１の内部キャビティ部６１０を形成するキャビティウォール部５２０の支持及び第１の内部キャビティ部６１０の少なくとも一部を充填材料で充填することで、フェース部５６２は、ゴルフクラブヘッド５００の構造的完全性、音、及び／又は感触を損なわずに比較的薄くすることができる。本明細書に記載の装置、方法、及び製造物は、これに限定されない。
【００４８】
キャビティウォール部５２０は、複数の部分を含み得る。図８〜図１０を参照すると、例えば、ゴルフクラブヘッド８００は、ボディ部８１０と、キャビティウォール部８２０とを含み得る。ボディ部８１０は、トウ部８４０と、ヒール部８５０と、フロント部８６０と、リア部８７０と、トップ部８８０（例えば、クラウン部）と、ボトム部８９０（例えば、ソール部）とを含み得る。フロント部８６０は、前面８６４及び背面８６６を有するフェース部８６２（例えば、打撃面）を含み得る。キャビティウォール部８２０は、ボディ部８１０内に第１の内部キャビティ部９１０及び第２の内部キャビティ部９２０を形成するように、背面８６６から延在し得る。キャビティウォール部８２０は、図９に概ね９３０、９４０、９５０として示される、２つ以上のウォール部分を含み得る。第１の内部キャビティ部６１０（図５〜図７）と同様に、第１の内部キャビティ部９１０は、部分的に又は完全に充填材料で充填され得る。充填材料は、フェース部８６２の開口部を介した射出成型プロセスを通じて第１の内部キャビティ部９１０に注入され得る。本明細書に記載の装置、方法、及び製造物は、これに限定されない。
【００４９】
図１１及び図１２に示すように、例えば、ゴルフクラブヘッド１１００は、ボディ部１１１０と、キャビティウォール部１１２０とを含み得る。ボディ部１１１０は、トウ部１１４０と、ヒール部１１５０と、フロント部１１６０と、リア部１１７０と、トップ部１１８０（例えば、クラウン部）と、ボトム部１１９０（例えば、ソール部）とを含み得る。フロント部１１６０は、前面１１６４及び背面１１６６を有するフェース部１１６２（例えば、打撃面）を含み得る。フェース部１１６２は、ゴルフクラブヘッド１１００のロフト角を画定するロフト平面１２３０に関連付けられ得る。キャビティウォール部１１２０は、単一の平坦なウォール部分であり得る。特に、キャビティウォール部１１２０は、ボディ部１１１０内に第１の内部キャビティ部１２１０及び第２の内部キャビティ部１２２０を形成するように、トウ部１１４０とヒール部１１５０の間、及びトップ部１１８０とボトム部１１９０の間に延在し得る。キャビティウォール部１１２０は、ロフト平面１２３０に平行又は実質的に平行であり得る。あるいは、図１３に示すように、キャビティウォール部１３２０は、接地平面１３３０に対して垂直又は実質的に垂直であり得る。内部キャビティ部６１０（図５〜図７）及び内部キャビティ部９１０（図８〜図１０）と同様に、第１の内部キャビティ部１２１０は、弾性ポリマー材料又はエラストマー材料で、部分的に又は完全に充填され得る。弾性ポリマー材料は、本明細書に記載又は参照により組み込まれる出願のいずれかに記載されるように、フェース部１１６２及び／又はボトム部１１９０のポートを介した射出成型プロセスを通じて第１の内部キャビティ部１２１０に注入され得る。本明細書に記載の装置、方法、及び製造物は、これに限定されない。
【００５０】
あるいは、キャビティウォール部１１２０は、キャビティウォール部１１２０とロフト平面１２３０が互いに平行にならないように、ボトム部１１９０とトップ−フロント移行領域（すなわち、トップ部１１８０とフロント部１１６０の間の移行領域）の間に延在し得る。別の例では、キャビティウォール部１１２０は、キャビティウォール部１１２０とロフト平面１２３０が互いに平行にならないように、トップ部１１８０とボトム−フロント移行領域（すなわち、ボトム部１１９０とフロント部１１６０の間の移行領域）の間に延在し得る。図１１〜図１３は、平坦又は実質的に平坦なキャビティウォール部１１２０、１３２０を示しているが、キャビティウォール部１１２０及び／又は１３２０は、フェース部１１６２に対して凹状又は凸状であってもよい。本明細書に記載の装置、方法、及び製造物は、これに限定されない。
【００５１】
図１４〜図２４の例では、ゴルフクラブヘッド１４００は、トウ部１４４０と、ゴルフクラブを形成するために一方の端部にグリップ（不図示）を有すると共に他方の端部にゴルフクラブヘッド１５００を有するシャフト（不図示）を受け入れるように構成されるホーゼル部１４５５を有するヒール部１４５０と、外周エッジ部１４６１を有するフロント部１４６０と、バック部１４７０と、トップ部１４８０と、ソール部１４９０とを有するボディ部１４１０を含み得る。トウ部１４４０、ヒール部１４５０、フロント部１４６０、バック部１４７０、トップ部１４８０、及び／又はソール部１４９０は、互いに部分的に重なり合ってもよい。ゴルフクラブヘッド１４００は、アイアン系ゴルフクラブヘッド（例えば、１番アイアン、２番アイアン、３番アイアン、４番アイアン、５番アイアン、６番アイアン、７番アイアン、８番アイアン、９番アイアンなど）、又はウェッジ系ゴルフクラブヘッド（例えば、ピッチングウェッジ、ロブウェッジ、サンドウェッジ、４４°（度）、４８°、５２°、５６°、６０°などのｎ度ウェッジ）であり得る。図１４〜図２４は、特定のタイプのクラブヘッドを示すが、本明細書に記載の装置、方法、及び製造物は、他のタイプのクラブヘッド（例えば、ドライバー系クラブヘッド、フェアウェイウッド系クラブヘッド、ハイブリッド系クラブヘッド、パター系クラブヘッドなど）に適用可能であり得る。ゴルフクラブヘッド１４００を構成する材料及び／又はその任意の組み合わせは、本明細書に記載又は参照により組み込まれる出願のいずれかに記載された任意の材料と同様であり得る。本明細書に記載の装置、方法、及び製造物は、これに限定されない。
【００５２】
ゴルフクラブヘッド１４００は、ボディ部１４１０（例えば、１つの単一部品）と一体的に形成され得るフェース部１４６２（すなわち、打撃面）を含んでもよい。一例では、図１４〜図２４に示すように、フェース部１４６２は、ボディ部１４１０に（例えば、接着で、機械的に、溶接又は半田付けにより）結合された別個の部品であり得る。フェース部１４６２は、前面１４６４及び背面１４６６を含み得る。一例（不図示）では、前部１４６０は、ボディ部１４１０にフェース部１４６２を取り付けるために、フェース部１４６２を受け入れるように構成された１つ又は複数の凹んだショルダー部を含み得る。別の例では、図１４〜図２４に示すように、背面１４６６は、ボディ部１４１０にフェース部１４６２を取り付けるために、ボディ部１４１０の外周エッジ部１４６１に取り付けられ得る外周部１４６７を含んでもよい。ボディ部１４１０の外周エッジ部１４６１及びフェース部１４６２の外周部１４６７は、１つ又は複数の留め具、１つ又は複数の接着剤又は結合剤、及び／又は溶接又は半田付けによって取り付けられ得る。一例では、図１４〜図２４に示すように、フェース部１４６２の外周部１４６７は、１つ又は複数の位置でボディ部１４１０の外周エッジ部１４６１に溶接され得る。或いは、フェース部１４６２の外周部１４６７の全体が、ボディ部１４１０の外周エッジ部１４６１の全体に溶接（すなわち、連続溶接）され得る。フェース部１４６２は、ゴルフボールを打つためのボール打撃領域１４６８を含み得る。一例では、ボール打撃領域１４６８の中心は、フェース部１４６２の幾何学的中心１４６３であり得る。別の例では、フェース部１４６２の幾何学的中心１４６３は、ボール打撃領域１４６８の中心からオフセットされ得る。一例では、幾何学的中心１４４３、及び、ボール打撃領域１４６８内の幾何学的中心の近傍及び／又は幾何学的中心を取り囲む１つ又は複数の領域は、ゴルフボールを打つためのフェース部１４６２上の概ね最適な位置（すなわち、最適なボール飛距離、ボール速度、ボールスピン特性など）を提供し得る。更に別の例では、幾何学的中心１４６３又はその近傍及びボール打撃領域１４６８内の任意の位置が、ゴルフボールを打つためのフェース部１４６２上の概ね最適な位置を提供し得る。しかしながら、ボールは、本明細書に記載された任意のゴルフクラブヘッドにおけるボール打撃領域１４６８内又はボール打撃領域１４６８外のフェース部１４６２の任意の位置で打たれる可能性があり、個人が好む中心での打撃とは異なる特定のボール飛行特性がもたらされる。フェース部１４６２の構成及びボディ部１４１０に対するフェース部１４６２の取り付け（例えば、溶接）は、参照により組み込まれる出願のいずれかに記載されたゴルフクラブヘッドと多くの点で類似し得る。本明細書に記載の装置、方法、及び製造物は、これに限定されない。
【００５３】
ゴルフクラブヘッド１４００は、接地平面２３１０、水平中央平面２３２０、及び頂上平面２３３０に関連付けられ得る。特に、接地平面２３１０は、地面に平行又は実質的に平行で、且つ、ゴルフクラブヘッド１４００がアドレス位置にあるとき（例えば、ゴルフクラブヘッド１４００がゴルフボールを打つように位置合わせされたとき）にソール部１４９０の最下端に接する平面であり得る。頂上平面２３３０は、ゴルフクラブヘッド１４００がアドレス位置にあるときにトップ部１４８０の最上端に接する平面であり得る。接地平面２３１０及び頂上平面２３３０は、それぞれ、互いに平行又は実質的に平行であり得る。水平中央平面２３２０は、接地平面２３１０と頂上平面２３３０のそれぞれの間の垂直方向の中間にあり得る。更に、ゴルフクラブヘッド１４００は、ゴルフクラブヘッド１４００のロフト角２３４５（α）を画定するロフト平面２３４０に関連付けられ得る。ロフト平面２３４０は、フェース部１４６２に対する接平面であり得る。ロフト角２３４５は、ロフト平面２３４０と、接地平面２３１０に対して垂直な垂直平面２３５０とによって画定され得る。
【００５４】
ボディ部１４１０は、内壁１５１２を有する内部キャビティ１５１０を含む中空体であり得る。内部キャビティ１５１０は、フロント部１４６０、バック部１４７０、トップ部１４８０、及びソール部１４９０の間に延在し得る。図１４〜図２４の例では、ボディ部１４１０の内部キャビティ１５１０は、フェース部１４６２で封止されると共にフェース部１４６２で部分的に画定され得る。内部キャビティ１５１０の構成（例えば、高さ、幅、体積、形状など）、ボディ部１４１０に対する内部キャビティ１５１０の構成（例えば、ボディ部１４１０の体積に対する内部キャビティ１５１０の体積）、幅及び高さの変化、及び、ボディ部１４１０の１つ又は複数のポートからの内部キャビティ１５１０へのアクセスは、本明細書に記載及び／又は参照により組み込まれる出願のいずれかに記載された任意のゴルフクラブヘッドと同様であり得る。本明細書に記載の装置、方法、及び製造物は、これに限定されない。
【００５５】
更に、ボディ部１４１０は、外部ポート及び／又は内部ポート（例えば、ボディ部１４１０の内部に配置）であり得る、１つ又は複数のポートを含み得る。内部キャビティ１５１０の内壁１５１２は、１つ又は複数のポート（不図示）を含み得る。一例では、図１４に示すように、バック部１４７０は、ボディ部１４１０の外周に沿って又はその近傍に、１つ又は複数のポートを含み得る。例えば、ボディ部１４１０は、第１セットのポート１５２０（例えば、ポート１５２１、１５２２、１５２３として示される）と、第２セットのポート１５３０（例えば、ポート１５３１、１５３２、１５３３として示される）と、第３セットのポート１５４０（例えば、ポート１５４１、１５４２、１５４３として示される）とを含み得る。第１セットのポート１５２０、第２セットのポート１５３０、及び／又は第３セットのポート１５４０の各ポートの位置、他のポートとの間隔、及び他の任意の構成は、本明細書に記載又は参照により組み込まれる出願のいずれかに記載された任意のポートと多くの点で類似し得る。更に、第１セットのポート１５２０、第２セットのポート１５３０、及び／又は第３セットのポート１５４０の任意の１つ又は複数のポートは、内部キャビティ１５１０に接続されてもよく、それを通じて１つ又は複数の充填材料が内部キャビティ１５１０に注入され得る。図１４〜図２４の例では、ポート１５４２が、開口部１５４３を介して内部キャビティ１５１０に接続され得る。本明細書に記載の装置、方法、及び製造物は、これに限定されない。
【００５６】
第１セットのポート１５２０の各ポートは、第１セットのポート１５２０のいずれかのポートのポート直径よりも小さい距離だけ離され得る。第２セットのポート１５３０の各ポートは、第２セットのポート１５３０のいずれかのポートのポート直径よりも小さい距離だけ離され得る。第３セットのポート１５４０の各ポートは、第３セットのポート１５４０のいずれかのポートのポート直径よりも小さい距離だけ離され得る。第１セットのポート１５２０と第２セットのポート１５３０は、第１セットのポート１５２０及び第２セットのポート１５３０のいずれかのポートのポート直径よりも実質的に大きい距離だけ離間され得る。一例では、第２セットのポート１５３０と第３セットのポート１５４０は、第２セットのポート１５３０及び第３セットのポート１５４０のいずれかのポートのポート直径よりも小さい距離だけ離間され得る。別の例では、図１４に示すように、第２セットのポート１５３０と第３セットのポート１５４０は、第２セットのポート１５３０及び第３セットのポート１５４０のいずれかのポートのポート直径よりも実質的に大きい距離だけ離間され得る。一例では、第２セットのポート１５３０と第３セットのポート１５４０の間のボディ部１４１０の部分は、ボール打撃領域１４６８に概ね対応又は位置合わせされてもよく、全くポートが無くてもよい。別の例（不図示）では、第２セットのポート１５３０と第３セットのポート１５４０は、トウ部１４４０からヒール部１４５０まで概ね略等しい間隔で連続的に延在し得る。本明細書に記載の装置、方法、及び製造物は、これに限定されない。
【００５７】
図面ではポートを別々な個々の部品として示しているが、第１セットのポート１５２０、第２セットのポート１５３０、及び第３セットのポート１５４０は、それぞれ、単一のポートであり得る。一例では、第１セットのポート１５２０（例えば、１５２１、１５２２、１５２３として示される）の全てが、単一のポート（例えば、第１のポート）に結合され得る。別の例では、第２セットのポート１５３０（例えば、１５３１、１５３２、１５３３として示される）の全てが、単一のポート（例えば、第２のポート）に結合され得る。更に別の例では、第３セットのポート１５４０（例えば、１５４１、１５４２として示される）の全てが、単一のポート（例えば、第３のポート）に結合され得る。図面では特定の数のポートを示しているが、本明細書に記載の装置、方法、及び製造物は、より多い数又はより少ない数のポートを含み得る。
【００５８】
ボディ部１４１０は、ボディ部１４１０に結合される一体的な質量部又は別々の質量部であり得る、１つ又は複数の質量部（例えば、ウェイト部）を含んでもよい。図１４に示す例では、ボディ部１４１０は、第１セットの質量部１６２０（例えば、質量部１６２１、１６２２、１６２３として示される）と、第２セットの質量部１６３０（例えば、質量部１６３１、１６３２、１６３３として示される）と、第３セットの質量部１６４０（例えば、質量部１６４１、１６４２として示される）とを含み得る。上記の例では、質量部の特定の数又は部分を説明したが、質量部のセットは、参照により組み込まれる出願のいずれかに記載されるように、単一の質量部又は複数の質量部を含み得る。例えば、第１セットの質量部１６２０は、単一の質量部であり得る（例えば、質量部１６３１、１６３２、１６３３は、第１の質量部と称される単一の質量部であり得る）。同様に、第２セットの質量部１６３０及び／又は第３セットの質量部１６４０は、単一の質量部であり得る。更に、第１セットの質量部１６２０、第２セットの質量部１６３０、及び／又は第３セットの質量部１６４０は、ボディ部１４１０の物理的構造の一部であり得る。第１セットの質量部１６２０、第２セットの質量部１６３０、及び／又は第３セットの質量部１６４０は、本明細書に記載又は参照により組み込まれる出願のいずれかに記載された任意の質量部と同様であり得る。本明細書に記載の装置、方法、及び製造物は、これに限定されない。
【００５９】
ボディ部１４１０は、第１の材料で作製され得る一方で、第１セットの質量部１６２０、第２セットの質量部１６３０、及び／又は第３セットの質量部１６４０の各質量部は、第２の材料で作製され得る。第１セットの質量部１６２０、第２セットの質量部１６３０、及び／又は第３セットの質量部１６４０の各質量部は、類似又は異なる材料であり得る。ボディ部１４１０、及び、第１セットの質量部１６２０、第２セットの質量部１６３０、及び／又は第３セットの質量部１６４０の任意の質量部の各材料は、それぞれ、参照により組み込まれる出願のいずれかに記載されたボディ部及び任意の質量部の各材料と同様であり得る。本明細書に記載の装置、方法、及び製造物は、これに限定されない。
【００６０】
内部キャビティ１５１０は、１つ又は複数の類似又は異なるタイプの材料を含み得る１つ又は複数の充填材料（すなわち、キャビティ充填材料）で、部分的に又は完全に充填されてもよい。一例では、図１４〜図２４に示すように、内部キャビティ１５１０は、第１の充填材料１７１２と第２の充填材料１７１４で充填され得る。第１の充填材料１７１２は、フェース部１４６２の背面１４６６に結合又は取り付けられ得る。一例では、第１の充填材料１７１２は、フェース部１４６２の背面１４６６に取り付けるための固有の接着特性又は結合特性を有し得る。別の例では、第１の充填材料１７１２は、第１の充填材料１７１２と混合され得る１つ又は複数の結合剤又は接着剤で、フェース部１４６２の背面１４６６に取り付けられてもよい。別の例では、第１の充填材料１７１２は、第１の充填材料１７１２から分離され得る１つ又は複数の結合剤又は接着剤で、フェース部１４６２の背面１４６６に取り付けられてもよい。別の例では、第１の充填材料１７１２は、本明細書に記載されるように、第２の充填材料１７１４でフェース部１４６２の背面１４６６に接触した状態で維持され得る。更に別の例では、第１の充填材料１７１２は、本明細書に記載されるように、フェース部１４６２の背面１４６６に結合されると共に、第２の充填材料１７１４でフェース部１４６２の背面１４６６に接触して維持され得る。第１の充填材料１７１２及び／又は第２の充填材料１７１４は、参照により組み込まれる出願のいずれかに記載された充填材料と同様であり得る。本明細書に記載の装置、方法、及び製造物は、これに限定されない。
【００６１】
第１の充填材料１７１２は、フェース部１４６２のボール打撃領域１４６８に対応するフェース部１４６２の背面１４６６の少なくとも一部に結合され得る。第１の充填材料１７１２は、ボール打撃領域１４６８を超えるフェース部１４６２の背面１４６６の領域に結合され得る。第１の充填材料１７１２は、内部キャビティ１５１０に露出された、フェース部１４６２の背面１４６６の面積の１０％以上１００％未満である、フェース部１４６２の背面１４６６の１つ又は複数の部分に結合され得る。フェース部１４６２の背面１４６６に結合され得る第１の充填材料１７１２の量は、ゴルフクラブヘッドのロフト角、フェース部１４６２の全体の厚さ、フェース部１４６２の厚さプロファイル、内部キャビティ１５１０の形状、任意のポート又は質量部の位置及び構成、第１の充填材料１７１２の材料特性、及び／又は第２の充填材料１７１４の材料特性に依存し得る。一例では、フェース部１４６２の背面１４６６の比較的大きい部分は、第１の充填材料１７１２がフェース部１４６２に対する十分な構造的支持を提供するように、比較的薄いフェース部１４６２のために第１の充填材料１７１２に結合され得る。別の例では、比較的大きいロフト角を有するゴルフクラブヘッドは、第１の充填材料１７１２が結合され得るフェース部１４６２の背面１４６６の部分を制限し得る。更に別の例では、ゴルフクラブヘッドの音響特性は、個人に心地よい音及び感触を提供するようにフェース部１４６２の背面１４６６に結合され得る充填材料１７１２の量を決定する要因となり得る。フェース部１４６２の背面１４６６に結合された第１の充填材料１７１２の量は、（ｉ）振動減衰又は音響減衰（例えば、ゴルフクラブヘッド１４００を使用する個人によって知覚されるような、ゴルフクラブヘッド１４００でゴルフボールを打つときの一貫した及び／又は心地よい音及び感触）を提供することができ、（ｉｉ）フェース部１４６２に構造的支持を提供することができ、及び／又は、（ｉｉｉ）ボール移動距離、ボール速度、ボール打ち出し角度、ボールスピンレート、ボールピーク高さ、ボール着地角度、及び／又はボールばらつきを最適化することができる。本明細書に記載の装置、方法、及び製造物は、これに限定されない。
【００６２】
第１の充填材料１７１２の幅１７２２（ＷF1）は、トウ部１４４０からヒール部１４５０まで、及び／又はトップ部１４８０からソール部１４９０まで変化し得る。第１の充填材料１７１２の幅１７２２は、トウ部１４４０からヒール部１４５０まで、及び／又はトップ部１４８０からソール部１４９０まで一定又は実質的に一定であり得る。第１の充填材料１７１２の幅１７２２は、内部キャビティ１５１０内の１つ又は複数の位置で一定又は実質的に一定であってもよく、内部キャビティ２１０の特定の他の位置で変化してもよい。一例では、図１４〜図２４に示すように、第１の充填材料１７１２の幅１７２２は、内部キャビティ１５１０の内壁１５１２の全て又は一部の輪郭と同様又は実質的に同様に（すなわち、内部キャビティ１５１０の内壁１５１２の形状と同様又は実質的に同様に）、内部キャビティ１５１０の１つ又は複数の位置で変化し得る。従って、内部キャビティ１５１０内の、及び／又はフェース部１４６２に結合された第１の充填材料１７１２の量は、第１の充填材料１７１２と内部キャビティ１５１０の内壁１５１２との間に、本明細書に更に記載された特定のギャップを維持しながら最大化され得る。別の例では、フェース部１４６２のボール打撃領域１４６８及び／又はその周りの第１の充填材料１７１２は、比較的大きな幅１７２２を有して、（ｉ）振動減衰又は音響減衰（例えば、ゴルフクラブヘッド１４００を使用する個人によって知覚されるような、ゴルフクラブヘッド１４００でゴルフボールを打つときの一貫した及び／又は心地よい音及び感触）を提供することができ、（ｉｉ）フェース部１４６２に構造的支持を提供することができ、及び／又は、（ｉｉｉ）ボール移動距離、ボール速度、ボール打ち出し角度、ボールスピンレート、ボールピーク高さ、ボール着地角度、及び／又はボールばらつきを最適化することができる。第１の充填材料１７１２の幅１７２２は、比較的高い又は最適な反発係数（ＣＯＲ）がゴルフクラブヘッド１４００に提供されるように、ボール打撃領域１４６８及び／又は内部キャビティ１５１０の他の領域で決定され得る。本明細書に記載の装置、方法、及び製造物は、これに限定されない。
【００６３】
一例では、図１４〜図２４に示すように、第１の充填材料１７１２と内部キャビティ１５１０の内壁１５１２との間の距離は、ギャップ１７２４を画定し得る。ギャップ１７２４のサイズは、第１の充填材料１７１２の形状、内部キャビティ１５１０の内壁１５１２の形状、内部キャビティ１５１０に接続され得る１つ又は複数のポートの位置、１つ又は複数の一体的な及び／又は取り外し可能な質量部の位置、及び／又は本明細書に記載されるような他の要因と同様又は実質的に同様に、一定であってもよく、内部キャビティ２１０内で変化してもよい。内部キャビティ１５１０の特定の位置では、ギャップ１７２４のサイズは可能な限り小さくてもよいが、第１の充填材料１７１２と内部キャビティ１５１０の内壁１５１２との間に第２の充填材料１７１４を収容するのに十分なスペースを提供する。一例では、ギャップは、第１の充填材料１７１２と第２の充填材料１７１４でゴルフクラブヘッドを製造した結果であり得る。
【００６４】
一例では、ギャップ１７２４は、０．００１インチ（０．００３ｃｍ）以上０．２インチ（０．５０８ｃｍ）以下であり得る。別の例では、ギャップ１７２４は、０．００７インチ（０．１８ｃｍ）以上０．１インチ（０．３８４ｃｍ）以下であり得る。別の例では、ギャップ１７２４は、０．０１５インチ（０．０３８ｃｍ）以上０．０５インチ（０．１２７ｃｍ）以下であり得る。更に別の例では、ギャップ１７２４は、０．００３インチ（０．００８ｃｍ）以上０．３８インチ（０．６３５ｃｍ）以下であり得る。本明細書に記載の装置、方法、及び製造物は、これに限定されない。
【００６５】
本明細書に記載されるように、第１の充填材料１７１２の幅１７２２は、内部キャビティ１５１０の内壁１５１２の形状と同様又は実質的に同様に変化し得る。従って、一例では、ギャップ１７２４の幅の変動（Ｗｇ）は、以下の式によって表され得る。
【数１】
0006989730.tif 000002
ここで、Ｗｇmax はＷｇの最大値であり、Ｗｇmin はＷｇの最小値であり、１＜Ｒｇ≦５である。
【００６６】
一例では、第１の充填材料１７１２の幅１７２２が内部キャビティ１５１０の内壁１５１２の形状と同様又は実質的に同様に変化するので、Ｒｇは２以下であり得る。別の例では、Ｒｇは３以下であり得る。従って、ギャップ１７２４の最大幅（Ｗｇmax ）は、ギャップ１７２４の最小幅（Ｗｇmin ）の３倍以下であり得る。更に別の例では、Ｒｇは４以下であり得る。従って、ギャップ１７２４の最大幅（Ｗｇmax ）は、ギャップ１７２４の最小幅（Ｗｇmin ）の４倍以下であり得る。第１の充填材料１７１２の形状が内部キャビティ１５１０の内壁１５１２の輪郭（すなわち、内部キャビティ１５１０の内壁の形状）と同様又は実質的に同様に変化し得るように、ギャップ１７２４の変化は小さくてもよい。上記の例ではＷｇmax とＷｇmin の特定の比率を説明したが、本明細書に記載の装置、方法、及び製造物は、より大きいＷｇmax とＷｇmin の比率を含み得る。本明細書に記載の装置、方法、及び製造物は、これに限定されない。
【００６７】
フェース部１４６２のバック面１４６６は、本明細書に記載されるように、ボディ部１４１０の外周エッジ部１４６１に取り付けられ得る外周部１４６７を含んでもよい。従って、フェース部１４６２の背面１４６６は、内部キャビティ１５１０に露出された内面部１４６９を含み得る。内面部１４６９はまた、内部キャビティ１５１０の境界（すなわち、内部キャビティ１５１０の前側境界）を画定し得る。一例（不図示）では、第１の充填材料１７１２は、フェース部１４６２の内面部１４６９の全体に結合され得る。別の例では、図１４〜図２４に示すように、第１の充填材料１７１２は、フェース部１４６２の内面部１４６９の一部に結合され得る。従って、第１の充填材料１７１２は、フェース部１４６２の内面部１４６９に取り付けられた前面面積１７１３を含み得る。一例では、第１の充填材料１７１２の前面面積１７１３（フェース部１４６２に取り付けられた第１の充填材料１７１２の前面の面積）（ＦＡm ）とフェース部１４６２の内面部１４６９の面積（ＢＡf  ）との間の関係は、以下の式によって表され得る。
【数２】
0006989730.tif 000003
ここで、ＦＡm は第１の充填材料１７１２の前面面積１７１３であり、ＢＡf はフェース部１４６２の内面部１４６９の面積であり、αはフェース部１４６２のロフト角であり、−０．００３≦Ａ1 ≦０．００１であり、０．４≦Ａ2 ≦０．８５である。
【００６８】
本明細書で使用されるロフト角αは、５番アイアンゴルフクラブ、７番アイアンゴルフクラブなどのアイアン系ゴルフクラブ、又はウェッジ系ゴルフクラブのタイプに関連付けられ得る。例えば、５番アイアンゴルフクラブヘッドは、３８°±２°のロフト角αを有し得る。別の例では、７番アイアンゴルフクラブヘッドは、４４°±２°のロフト角αを有し得る。更に別の例では、ウェッジ系ゴルフクラブヘッドは、５°±２°のロフト角αを有し得る。従って、本明細書に表す任意のロフト角は、同じタイプのアイアンゴルフクラブヘッドで±２°変化し得る。上記の例では、特定のアイアン系ゴルフクラブヘッドを説明したが、本明細書に記載の装置、方法、及び製造物は、ドライバー系ゴルフクラブヘッド、フェアウェイウッド系ゴルフクラブヘッド、ハイブリッド系ゴルフクラブヘッド、パター系ゴルフクラブヘッド、又は他のタイプのゴルフクラブヘッドを含み得る。更に、上記の例では、特定のロフト角を説明したが、本明細書に記載の装置、方法、及び製造物は、より大きい又はより小さいロフト角を含み得る。本明細書に記載の装置、方法、及び製造物は、これに限定されない。
【００６９】
係数Ａ1 とＡ2 の上限値及び下限値は、フェース部１４６２の内面部１４６９の面積に対する第１の充填材料１７１２の前面面積１７１３の比率の上方境界及び下方境界を画定し得る。一例では、式（２）に従い、且つ、係数Ａ1 の値を−０．００１８と仮定すると、アイアン系ゴルフクラブヘッドのセットのフェース部１４６２の内面部１４６９の面積に対する第１の充填材料１７１２の前面面積１７１３の比率の上方境界及び下方境界は、表１に示すように決定され得る。
【表１】
0006989730.tif 000004
【００７０】
ゴルフクラブヘッドのロフト角は、ゴルフクラブヘッドの構造的構成を決定し得る。従って、異なるロフト角を有するゴルフクラブヘッドは、異なる内部キャビティ形状、ポート位置、質量部位置、充填材料体積、異なるＣＧ位置、異なるサイズのフェース部、又は異なるゴルフクラブヘッド断面形状を有し得る。一例では、比較的大きいロフト角を有するゴルフクラブヘッドは、より小さいロフト角を有するゴルフクラブヘッドよりも概ね小さいキャビティ幅プロファイルを有し得る。従って、比較的大きいロフト角を有するゴルフクラブヘッドのＦＡm ／ＢＡf の値は、本明細書に記載されるように、各ゴルフクラブヘッドの内部キャビティに提供され得る充填材料の量の相違により、より小さいロフト角を有するゴルフクラブヘッドよりも概ね小さてもよい。本明細書に記載の装置、方法、及び製造物は、これに限定されない。
【００７１】
別の例では、第１の充填材料１７１２の体積と内部キャビティ１５１０の体積（Ｖm ）との間の関係は、以下の式によって表され得る。
【数３】
0006989730.tif 000005
ここで、Ｖm は第１の充填材料１７１２の体積であり、Ｖc は内部キャビティ１５１０の体積であり、αはロフト角であり、−０．００１≦Ｂ1 ≦０．００１であり、０．３≦Ｂ2 ≦０．６５である。
【００７２】
係数Ｂ1 とＢ2 の上方境界値及び下方境界値は、内部キャビティ１５１０の体積に対する第１の充填材料１７１２の体積の比率の上方境界及び下方境界を画定し得る。一例では、式（３）に従い、且つ、係数Ｂ1 の値を−０．００１５と仮定すると、アイアン系ゴルフクラブヘッドのセットにおける内部キャビティ１５１０の体積に対する第１の充填材料１７１２の体積の比率の上方境界及び下方境界は、表２に示すように決定され得る。
【表２】
0006989730.tif 000006
【００７３】
本明細書で論ずるように、異なるロフト角を有するゴルフクラブヘッドは、異なる内部キャビティ形状、ポート位置、質量部位置、充填材料体積、異なるＣＧ位置、異なるサイズのフェース部、又は異なるゴルフクラブヘッド断面形状を有し得る。一例では、比較的大きいロフト角を有するゴルフクラブヘッドは、より小さいロフト角を有するゴルフクラブヘッドよりも概ね小さいキャビティ幅プロファイルを有し得る。従って、比較的大きいロフト角を有するゴルフクラブヘッドのＶm ／Ｖc の値は、本明細書に記載されるように、各ゴルフクラブヘッドの内部キャビティに提供され得る充填材料の量の相違により、より小さいロフト角を有するゴルフクラブヘッドよりも概ね小さくてもよい。本明細書に記載の装置、方法、及び製造物は、これに限定されない。
【００７４】
係数Ａ1 、Ａ2 、Ｂ1 、Ｂ2 の本明細書で定義されるこれら係数の境界内の値は、本明細書に記載されるように、第１の充填材料１７１２と内部キャビティ１５１０の内壁との間の特定のギャップ又は特定の外周ギャップを維持してもよく、及び／又はボール打撃領域１４６８又はその近傍の第１の充填材料１７１２の幅１７２２を最適化又は最大化してもよい。更に、係数Ａ1 、Ａ2 、Ｂ1 、Ｂ2 の値は、ゴルフクラブヘッドの特定の内部構成又は構造に基づいて、本明細書で定義されるこれら係数の境界内で変化し得る。例えば、図２２に示すように、内部キャビティ１５１０の特定の領域の幅は、第１の充填材料１７１２と第２の充填材料１７１４の両方を含むのに十分に大きくなくてもよい。図１９に示すように、ポート３５２とフェース部１４６２の間の内部キャビティ１５１０の領域は、第２の充填材料１７１４のみを含み得る。従って、図１９に示すように、ポート３５２とフェース部１４６２の間の内部キャビティ１５１０の領域に第１の充填材料１７１２が存在しないことは、フェース部１４６２の内面部１４６９の面積に対する第１の充填材料１７１２の前面面積の比率、及び／又は、内部キャビティ１５１０の体積に対する第１の充填材料１７１２の体積の比率の上方境界と下方境界の両方に影響を及ぼし得る。別の例では、図１５、図１６に示すように、フェース部１４６２の内面部１４６９の面積に対する第１の充填材料１７１２の前面面積１７１３の比率、及び／又は、内部キャビティ１５１０の体積に対する第１の充填材料１７１２の体積の比率は、第２の充填材料１７１４を収容するのに十分なギャップ１７２４を維持しながら、ボール打撃領域１４６８での第１の充填材料１７１２の幅が最大化するように決定され得る。本明細書に記載の装置、方法、及び製造物は、これに限定されない。
【００７５】
本明細書に記載されるように、一例では、第１の充填材料１７１２は、フェース部１４６２の内面部１４６９の全体に取り付けられなくてもよい。従って、第１の充填材料１７１２と外周エッジ部１４６１（又はフェース部の外周部１４６７）は、外周ギャップ１７２５によって離間され得る。外周ギャップ１７２５は、１つ又は複数のゴルフクラブヘッドの設計及び製造上の考慮事項により、ギャップ１７２４より大きくてもよい。例えば、ボディ部１４１０の外周エッジ部１４６１にフェース部１４６２の外周部１４６７を取り付けるため、本明細書に記載さるたように、任意の溶接又は半田付けプロセスからの熱で、フェース部１４６２の外周部１４６７又はその近傍の第１の充填材料１７１２のダメージ、シフト、移動、フェース部１４６２からの分離、及び／又は他の材料特性の変化（例えば、溶融）が生じないように、外周ギャップ１７２５は十分に大きい必要があり得る。従って、例えば、図２１、図２２に示すように、外周ギャップ１７２５は、ギャップ１７２４より大きくてもよい。別の例では、図２２に示すように、外周エッジ部１４６１又はその近傍の内部キャビティ１５１０の部分は、第１の充填材料１７１２と第２の充填材料１７１４の両方を含むのに十分に広くなくてもよい。従って、外周ギャップ１７２５は、ギャップ１７２４より実質的に大きくてもよい。このため、ギャップ１７２４は、第１の充填材料１７１２が内部キャビティ１５１０の内壁１５１２の輪郭に沿うように構成され得るが、外周ギャップ１７２５は、内部キャビティ１５１０の位置又は領域に応じてギャップ１７２５と同じでもよく、より大きくてもよく、又は実質的に大きくてもよい。一例では、外周ギャップ１７２５とギャップ１７２４との間の関係は、以下の式によって表され得る。
【数４】
0006989730.tif 000007
ここで、ＷｇPRは外周ギャップ１７２５の幅であり、Ｗｇmin はギャップ１７２４の最小幅である。
【００７６】
一例では、第１の充填材料１７１２は、比較的高い反発係数（ＣＯＲ）を有するポリマー材料を含み得る。第１の充填材料１７１２のＣＯＲは、第１の充填材料１７１２のゴルフボールサイズのサンプルをエアキャノンからスチール板に向かって発射することで決定され得る。キャノンと板の間の既知の位置にある２つの光スクリーンが、サンプルの進入速度及びリバウンド速度の測定に使用され得る。サンプルのＣＯＲは、リバウンド速度を進入速度で除算して計算され得る。一例では、第１の充填材料１７１２は、１２５ｆｔ／ｓ（５１．１ｍ／ｓ）の進入速度で０．７以上のＣＯＲを有し得る。別の例では、第１の充填材料１７１２は、１２５ｆｔ／ｓ（５１．１ｍ／ｓ）の進入速度で０．７５以上のＣＯＲを有し得る。更に別の例では、第１の充填材料１７１２は、１２５ｆｔ／ｓ（５１．１ｍ／ｓ）の進入速度で０．７以上０．９以下のＣＯＲを有し得る。本明細書に記載された任意の充填材料を含む、本明細書に記載された任意の材料のＣＯＲは、上記の方法によって決定され得る。本明細書に記載の装置、方法、及び製造物は、これに限定されない。
【００７７】
ゴルフボールサイズのサンプルの圧縮は、ゴルフボールサイズのサンプルのＣＯＲに関連し得る。圧縮は、ゴルフボールサイズのサンプルが負荷の下でどれだけ変形（圧縮）するかを測定したものである。比較的低い圧縮率は、より柔らかい充填材料であることを示す一方で、比較的高い圧縮率は、より硬い充填材料であることを示す。圧縮は、ニュージャージー州ユニオンシティのＡＴＴＩ  Ｅｎｇｉｎｅｅｒｉｎｇ社製のＡＴＴＩ圧縮ゲージを使用して測定され得る。一例では、第１の充填材料１７１２のＣＯＲは、３５以上の圧縮で０．７５以上であり得る。別の例では、第１の充填材料１７１２のＣＯＲは、２以上の圧縮で０．７８以上であり、８０以下の圧縮で０．８以下であり得る。更に別の例では、第１の充填材料１７１２のＣＯＲは、４５以上の圧縮で０．７８以上であり、９０以下の圧縮で０．９以下であり得る。本明細書に記載の装置、方法、及び製造物は、これに限定されない。
【００７８】
一例では、第１の充填材料１７１２は、１．１ｇ／ｃｍ3 以上１．３ｇ／ｃｍ3 以下の密度を有するポリマー材料であり得る。別の例では、第１の充填材料１７１２は、１．１５ｇ／ｃｍ3 以上１．３８ｇ／ｃｍ3 以下の密度を有するポリマー材料であり得る。更に別の例では、第１の充填材料１７１２は、１．１ｇ／ｃｍ3 以上１．２ｇ／ｃｍ3 以下の密度を有するポリマー材料であり得る。本明細書に記載の装置、方法、及び製造物は、これに限定されない。
【００７９】
一例では、第１の充填材料１７１２は、本明細書に記載されたＣＯＲ及び圧縮範囲を提供し得る、本明細書に記載されたゴム又はゴム化合物のいずれかと同様のゴム又はゴム化合物を含むポリマー材料であってもよい。一例では、第１の充填材料１７１２は、ゴムと、本明細書に記載されるような特定の範囲内の圧縮率を維持しながら第１の充填材料１７１２のＣＯＲを最大化するように第１の充填材料１７１２の柔らかさ又は硬さの増加を提供し得る、少なくとも別の化合物とを含んでもよい。一例では、第１の充填材料１７１２は、ゴムと、第１の充填材料１７１２の圧縮値及び第１の充填材料１７１２のＣＯＲを増加させ得る、ジアクリル酸亜鉛（ＺＤＡ）とを含んでもよい。第１の充填材料１７１２中のジアクリル酸亜鉛（ＺＤＡ）の量は、本明細書に記載されるように、特定のＣＯＲ及び／又は圧縮値を達成するために変化し得る。本明細書に記載の装置、方法、及び製造物は、これに限定されない。
【００８０】
フェース部１４６２のバック面１４６６に第１の充填材料１７１２を結合するための接着剤は、フェース部１４６２の材料に第１の充填材料１７１２を結合できる任意のタイプの接着剤であり得る。一例では、第１の充填材料１７１２は、ゴム又はゴム化合物であってもよく、フェース部１４６２は、ステンレス鋼などのスチール系材料から構成されてもよい。従って、フェース部１４６２の背面１４６６に第１の充填材料１７１２を結合するための接着剤は、ゴム又はゴム化合物にスチール系材料を結合するのに使用されるタイプの接着剤であり得る。別の例では、第１の充填材料１７１２は、ゴム又はゴム化合物であってもよく、フェース部１４６２は、チタン又はチタン合金から構成されてもよい。従って、フェース部１４６２の背面１４６６に第１の充填材料１７１２を結合するための接着剤は、ゴム又はゴム化合物にチタン系材料を結合するのに使用されるタイプの接着剤であり得る。更に別の例では、第１の充填材料１７１２は、第２の充填材料１７１４でフェース部１４６２の背面１４６６に結合され得る。ボディ部１４１０、フェース部１４６２、及び／又は第２の充填材料１７１４の任意の部分への第１の充填材料１７１２の結合と、ボディ部１４１０、フェース部１４６２、及び／又は第１の充填材料１７１２への第２の充填材料１７１４の結合は、参照により組み込まれる出願のいずれかに記載された任意の結合特性及び手順と同様であり得る。本明細書に記載の装置、方法、及び製造物は、これに限定されない。
【００８１】
一例（不図示）では、内部キャビティ１５１０は、第１の充填材料１７１２で完全に充填され得る。別の例では、図１４〜図２４に示され、本明細書に記載されるように、内部キャビティ１５１０は、第１の充填材料１７１２と内部キャビティ１５１０の内壁１５１２との間のギャップ１７２４を画定するように、第１の充填材料１７１２で部分的に充填され得る。従って、第１の内部キャビティ１５１０の残りの部分は、第２の充填材料１７１４で充填され得る。本明細書に記載されるように、第２の充填材料１７１４は、第１の充填材料１７１２とフェース部１４６２との結合を（例えば、単独で、又は、１つ又は複数の接着剤と組み合わせて）提供又は支援し得る。言い換えれば、第１の充填材料１７１２は、第２の充填材料１７１４によってフェース部１４６２のバック面１４６６に対して維持され得る。本明細書に記載の装置、方法、及び製造物は、これに限定されない。
【００８２】
一例では、第２の充填材料１７１４は、フェース部１４６２からゴルフボールへのエネルギー伝達を最適化するように、密度、圧縮、硬度（すなわち、デュロメータ）、引張強度、せん断強度、粘度、弾性などの第１の充填材料１７１２とは異なる特性を有し得る。第２の充填材料は、エポキシ樹脂などのポリマー材料であり得る。一例では、第２の充填材料１７１４は、第１の充填材料１７１２より低いＣＯＲを有し得る。本明細書に記載の装置、方法、及び製造物は、これに限定されない。
【００８３】
本明細書に記載されるように、第１の充填材料１７１２及び／又は第２の充填材料１７１４は、振動減衰又は音響減衰（例えば、ゴルフクラブヘッド１４００を使用する個人によって知覚されるような、ゴルフクラブヘッド１４００でゴルフボールを打つときの一貫した及び／又は心地よい音及び感触）を提供することができ、フェース部１４６２に構造的支持を提供することができ、及び／又は、ボール移動距離、ボール速度、ボール打ち出し角度、ボールスピンレート、ボールピーク高さ、ボール着地角度、及び／又はボールばらつきを最適化することができる。第１の充填材料１７１２、第２の充填材料１７１４、又はその両方は、本明細書に記載された特性及び特徴を提供し得る一方で、第１の充填材料１７１２の質量、第２の充填材料１７１４の質量、又はボディ部１４１０の質量に対する両方の質量は、ゴルフクラブヘッド１４００の質量、質量分布、ＣＧ、ＭＯＩ特性、構造的完全性、及び／又は他の静的又は動的特性に最適に影響を及ぼし得る。一例では、第１の充填材料１７１２の質量（ｍm1）と第２の充填材料１７１４の質量（ｍm2）とボディ部１４１０の質量（ｍb ）の間の関係は、以下の式によって表され得る。
【数５】
0006989730.tif 000008
ここで、ｍm1は第１の充填材料１７１２の質量であり、ｍm2は第２の充填材料１７１４の質量であり、ｍb はボディ部１４１０の質量であり、αはロフト角であり、−０．００１≦Ｃ1 ≦０．００１であり、０．１≦Ｃ2 ≦０．２である。
【００８４】
本明細書で定義される係数Ｃ1 及びＣ2 の上限値及び下限値は、ボディ部１４１０の質量に対する第１の充填材料１７１２と第２の充填材料１７１４の質量の合計の比率（すなわち、（ｍm1＋ｍm2）／ｍb ）の上方境界及び下方境界を提供し得る。一例では、式（５）に従い、且つ、係数Ｃ1 の値を−０．００１６と仮定すると、アイアン系ゴルフクラブヘッドのセットのボディ部１４１０の質量に対する第１の充填材料１７１２と第２の充填材料１７１４の質量の合計の比率の上方境界及び下方境界は、表３に示すように決定され得る。
【表３】
0006989730.tif 000009
【００８５】
係数Ｃ1 、Ｃ2の本明細書で定義されるこれら係数の境界内の値は、（ｉ）振動減衰又は音響減衰（例えば、ゴルフクラブヘッド１４００を使用する個人によって知覚されるような、ゴルフクラブヘッド１４００でゴルフボールを打つときの一貫した及び／又は心地よい音及び感触）を提供することができ、（ｉｉ）フェース部１４６２に構造的支持を提供することができ、及び／又は、（ｉｉｉ）ボール移動距離、ボール速度、ボール打ち出し角度、ボールスピンレート、ボールピーク高さ、ボール着地角度、及び／又はボールばらつきを最適化することができる。第１の充填材料１７１２及び第２の充填材料１７１４は、本明細書に記載された特性及び特徴を提供し得る一方で、ボディ部１４１０の質量に対する第１の充填材料１７１２及び第２の充填材料１７１４の質量は、ゴルフクラブヘッド１４００の質量、質量分布、ＣＧ、ＭＯＩ特性、構造的完全性、及び／又は他の静的又は動的特性に最適に影響を及ぼし得る。本明細書に記載の装置、方法、及び製造物は、これに限定されない。
【００８６】
図２５は、本明細書に記載されるような例示的なゴルフクラブヘッド１４００を製造する方法の１つを示す。図２５の例では、プロセス２５００は、ゴルフクラブヘッド１４００のボディ部１４１０及びフェース部１４６２を供給することで開始され得る（ブロック２５１０）。第１の充填材料１７１２は、本明細書に詳細に記載されるように、例えば、ゴルフクラブヘッド１４００の内部キャビティ１５１０の輪郭（すなわち、内部キャビティ１５１０の内壁１５１２の形状）に類似、非常に類似、又は概ね類似する、特定の形状に形成又は成形され得る（ブロック２５１２）。次に、成形された第１の充填材料１７１２が、本明細書に記載されるように、フェース部１４６２の背面１４６６に取り付け又は結合され得る（ブロック２５１４）。次に、本明細書に記載されるように、フェース部１４６２がボディ部１４１０に取りけられて、内部キャビティ１５１０が形成又は封止され得る（ブロック２５１６）。次に、第２の充填材料１７１４が、本明細書に記載されるように、内部キャビティ１５１０に接続された第１セットのポート３５０、第２セットのポート３６０、及び／又は第３セットのポート３７０の１つ又は複数を通じて内部キャビティ１５１０に注入されて、ギャップ１７２４が充填され、内部キャビティ１５１０の残りの部分が充填され、及び／又は第１の充填材料１７１２が取り囲まれ得る（ブロック２５１８）。第１の充填材料１７１２と内部キャビティ１５１０の内壁の間の本明細書に記載されるような内部キャビティ１５１０の特定の位置にある比較的狭いギャップ１７２４が第２の充填材料１７１４で充填されるように、第２の充填材料１７１４が、必要に応じて比較的高い圧力で、及び／又は必要に応じて１つより多いポートから内部キャビティ１５１０に注入され得る。次に、第２の充填材料１７１４が、環境温度で、又は第２の充填材料１７１４に使用される材料に応じた１つ又は複数の加熱／冷却サイクルによって硬化され得る。本明細書に記載の装置、方法、及び製造物は、これに限定されない。
【００８７】
図２６〜図２８の例では、ゴルフクラブヘッド２６００は、トウ部２６４０と、ヒール部２６５０と、前面２６６４及び背面２６６６を有するフェース部２６６２（例えば、打撃面）を持つフロント部２６６０と、バック部２６７０と、トップ部２６８０と、ソール部２６９０とを有するボディ部２６１０を含み得る。一例では、ボディ部２６１０は、フロント部２６６０とバック部２６７０の間に延在すると共にトップ部２６８０とソール部２６９０の間に延在する内部キャビティ２６７７を含む中空体であり得る。ゴルフクラブヘッド２６００は、本明細書に記載された任意のゴルフクラブヘッドと多くの点で類似し得る。例えば、ゴルフクラブヘッド２６００は、本明細書に記載された任意のゴルフクラブヘッドと同様の任意の数のポート及び／又は質量部を含み得る。別の例では、ゴルフクラブヘッド２６００は、本明細書に記載された任意の材料を含み得る。本明細書に記載の装置、方法、及び製造物は、これに限定されない。
【００８８】
ゴルフクラブヘッド２６００は、内部キャビティ２６７７内に１つ又は複数の充填材料を含み得る。一例では、図２６〜図２８に示すように、ゴルフクラブヘッド２６００は、第１の充填材料２７１１と、第１の充填材料２７１１とは異なる１つ又は複数の特性（例えば、弾性、密度、硬度など）を有する第２の充填材料２７１３を含み得る。一例では、第１の充填材料２７１１は、第２の充填材料２７１３とは異なる弾性を有するポリマー材料であり得る（例えば、第２の充填材料２７１３は、第１の充填材料２７１１より高い弾性を有してもよく、又はその逆でもよい）。別の例では、第１の充填材料２７１１は、第２の充填材料２７１３とは異なる密度を有するポリマー材料であり得る（例えば、第１の充填材料２７１１は、第２の充填材料２７１３より高い密度を有してもよく、又はその逆でもよい）。更に別の例では、第１の充填材料２７１１は、第２の充填材料２７１３とは異なる硬度（例えば、ショアＤ硬度又はショアＡ硬度）を有し得る（例えば、第１の充填材料２７１１は、第２の充填材料２７１３より比較的高い硬度を有してもよく、又はその逆でもよい）。更に別の例では、第１の充填材料２７１１は、第２の充填材料２７１３とは異なる反発係数（ＣＯＲ）を有し得る。第１の充填材料２７１１と第２の充填材料２７１３は、それぞれ、異なるタイプの非金属材料であり得る。一例では、第１の充填材料２７１１は、熱硬化性材料を含み得る一方で、第２の充填材料２７１３は、熱可塑性エラストマー材料を含み得る。別の例では、第１の充填材料２７１１は、本明細書に記載されるようなゴム又はゴム化合物であり得る。別の例では、第２の充填材料２７１３は、熱硬化性材料を含み得る一方で、第１の充填材料２７１１は、熱可塑性エラストマー材料を含み得る。第１の充填材料２７１１と第２の充填材料２７１３は、それぞれ、同じタイプの非金属材料だが異なる特性を含み得る。一例では、第１の充填材料２７１１は、熱硬化性材料を含んでもよく、第２の充填材料２７１３は、第１の充填材料２７１１とは異なる弾性を有する熱硬化性材料を含んでもよい。別の例では、第１の充填材料２７１１は、熱可塑性材料を含んでもよく、第２の充填材料２７１３は、第１の充填材料２７１１とは異なる弾性を有する熱可塑性材料を含んでもよい。あるいは、第１の充填材料２７１１と第２の充填材料２７１３は、それぞれ、金属材料及び／又は非金属材料を含み得る。例えば、第１の充填材料２７１１は、１つ又は複数の金属系材料を含み得る一方で、第２の充填材料２７１３は、１つ又は複数のポリマー材料を含み得る。更に、第１の充填材料２７１１及び／又は第２の充填材料２７１３は、本明細書に記載された任意の充填材料を含み得る。一例では、第１の充填材料２７１１は、本明細書に記載された任意のエポキシ材料などのエポキシ材料であり得る一方で、第２の充填材料２７１３は、本明細書に記載された任意のエラストマー材料などのエラストマー材料であり得る。一例では、第１の充填材料２７１１は、本明細書に記載された任意のエポキシ材料などのエポキシ材料であり得る一方で、第２の充填材料２７１３は、本明細書に記載された任意のエラストマー材料などのエラストマー材料であり得る。更に別の例では、第１の充填材料２７１１は、ゴム系の化合物であり得る一方で、第２の充填材料２７１３は、エポキシ系の化合物であり得る。本明細書に記載の装置、方法、及び製造物は、これに限定されない。
【００８９】
一例では、図２６〜図２８に示すように、第１の充填材料２７１１は、フェース部２６６２の背面２６６６の一部に取り付け又は結合され得る。一例では、第１の充填材料２７１１は、フェース部２６６２の背面２６６６のボール打撃領域に取り付け又は結合され得る。別の例では、第１の充填材料２７１１は、フェース部２６６２の背面２６６６のボール打撃領域と、フェース部２６６２の背面２６６６のボール打撃領域を取り囲む領域とに取り付け又は結合され得る。一例では、第１の充填材料２７１１の幅（すなわち、第１の充填材料２７１１の厚さ）は、フェース部２６６２の厚さより小さくてもよい。別の例では、第１の充填材料２７１１の幅は、フェース部２６６２の厚さと同様であり得る。更に別の例では、第１の充填材料２７１１の幅は、フェース部２６６２の厚さより大きくてもよい。本明細書に記載の装置、方法、及び製造物は、これに限定されない。
【００９０】
一例では、図２６〜図２８に示すように、内部キャビティ２６７７の残りの部分は、第２の充填材料２７１３で部分的に又は完全に充填され得る。第１の充填材料２７１１は、第２の充填材料２７１３がフェース部２６６２の背面２６６６の残りの部分に取り付け又は結合されるように、第２の充填材料２７１３によって取り囲まれ得る。図２６に示すように、第２の充填材料２６３３は、フェース部２６６２の背面２６６６に取り付け又は結合されて、第１の充填材料２７１１を取り囲むフェース部２６６２の背面２６６６の外周部を画定し得る。例えば、図２６〜図２８に示すように、第２の充填材料２７１３は、フェース部２６６２の背面２６６６の一部に取り付け又は結合されてトウ部２６４０又はその近傍で第１の充填材料２７１１を取り囲んでもよく、フェース部２６６２の背面２６６６の一部に取り付け又は結合されてヒール部２６５０又はその近傍で第１の充填材料２７１１を取り囲んでもよく、フェース部２６６２の背面２６６６の一部に取り付け又は結合されてトップ部２６８０又はその近傍で第１の充填材料２７１１を取り囲んでもよく、及び／又はフェース部２６６２の背面２６６６の一部に取り付け又は結合されてソール部２６９０又はその近傍で第１の充填材料２７１１を取り囲んでもよい。本明細書に記載の装置、方法、及び製造物は、これに限定されない。
【００９１】
図２９〜図３１の例では、ゴルフクラブヘッド２９００は、トウ部２９４０と、ヒール部２９５０と、前面２９６４及び背面２９６６を有するフェース部２９６２（例えば、打撃面）を持つフロント部２９６０と、バック部２９７０と、トップ部２９８０と、ソール部２９９０とを有するボディ部２９１０を含み得る。一例では、ボディ部２９１０は、フロント部２９６０とバック部２９７０の間に延在すると共にトップ部２９８０とソール部２９９０の間に延在する内部キャビティ２９７７を含む中空体であり得る。ゴルフクラブヘッド２９００は、本明細書に記載された任意のゴルフクラブヘッドに多くの点で類似し得る。例えば、ゴルフクラブヘッド２９００は、本明細書に記載された任意のゴルフクラブヘッドと同様の任意の数のポート及び／又は質量部を含み得る。別の例では、ゴルフクラブヘッド２９００は、本明細書に記載された任意の材料を含み得る。本明細書に記載の装置、方法、及び製造物は、これに限定されない。
【００９２】
ゴルフクラブヘッド２９００は、ゴルフクラブヘッド２６００の第１の充填材料２７１１及び第２の充填材料２７１３のそれぞれと同様であり得る第１の充填材料３０１１及び第２の充填材料３０１３を含んでもよい。図２９〜図３１の例では、第１の充填材料３０１１は、図２６〜図２８の例と同様にフェース部２９６２の背面２９６６の一部に取り付け又は結合され得る。しかしながら、図２９〜図３１の例では、第１の充填材料３０１１は、フェース部２９６２の背面２９６６からバック部２９７０のバックウォール（背面壁）２９７２の背面２９７６まで延在し得る。第１の充填材料３０１１は、バック部２９７０のバックウォール２９７２の背面２９７６に接触又は取り付け又は接着され得る。内部キャビティ２９７７の残りの部分は、第２の充填材料３０１３で部分的に又は完全に充填され得る。本明細書に記載の装置、方法、及び製造物は、これに限定されない。
【００９３】
図３２〜図３４の例では、ゴルフクラブヘッド３２００は、トウ部３２４０と、ヒール部３２５０と、前面３２６４及び背面３２６６を有するフェース部３２６２（例えば、打撃面）を持つフロント部３２６０と、バック部３２７０と、トップ部３２８０と、ソール部３２９０とを有するボディ部３２１０を含み得る。一例では、ボディ部３２１０は、フロント部３２６０とバック部３２７０の間に延在すると共にトップ部３２８０とソール部３２９０の間に延在する内部キャビティ３２７７を含む中空体であり得る。ゴルフクラブヘッド３２００は、本明細書に記載された任意のゴルフクラブヘッドと多くの点で類似し得る。例えば、ゴルフクラブヘッド３２００は、本明細書に記載された任意のゴルフクラブヘッドと同様の任意の数のポート及び／又は質量部を含み得る。別の例では、ゴルフクラブヘッド３２００は、本明細書に記載された任意の材料を含み得る。本明細書に記載の装置、方法、及び製造物は、これに限定されない。
【００９４】
ゴルフクラブヘッド３２００は、ゴルフクラブヘッド２６００の第１の充填材料２７１１及び第２の充填材料２７１３のそれぞれと同様であり得る第１の充填材料３３１１及び第２の充填材料３３１３を含んでもよい。図３２〜図３４の例では、第１の充填材料３３１１は、フェース部３２６２の背面３２６６の実質的な部分又は全体に取り付け又は結合され得る。一例では、第１の充填材料３３１１の幅（すなわち、第１の充填材料３３１１の厚さ）は、フェース部３２６２の厚さより小さくてもよい。別の例では、第１の充填材料３３１１の幅は、フェース部３２６２の厚さと同様であり得る。更に別の例では、第１の充填材料３３１１の幅は、フェース部３２６２の厚さより大きくてもよい。内部キャビティ３２７７の残りの部分は、第２の充填材料３３１３で部分的に又は完全に充填され得る。本明細書に記載の装置、方法、及び製造物は、これに限定されない。
【００９５】
図３５〜図３７の例では、ゴルフクラブヘッド３５００は、トウ部３５４０と、ヒール部３５５０と、前面３５６４及び背面３５６６を有するフェース部３５６２（例えば、打撃面）を持つフロント部３５６０と、バック部３５７０と、トップ部３５８０と、ソール部３５９０とを有するボディ部３５１０を含み得る。一例では、ボディ部３５１０は、フロント部３５６０とバック部３５７０の間に延在すると共にトップ部３５８０とソール部３５９０の間に延在する内部キャビティ３５７７を含む中空体であり得る。ゴルフクラブヘッド３５００は、本明細書に記載された任意のゴルフクラブヘッドと多くの点で類似し得る。例えば、ゴルフクラブヘッド３５００は、本明細書に記載された任意のゴルフクラブヘッドと同様の任意の数のポート及び／又は質量部を含み得る。別の例では、ゴルフクラブヘッド３５００は、本明細書に記載された任意の材料を含み得る。ゴルフクラブヘッド３５００は、ゴルフクラブヘッド２６００の第１の充填材料２７１１及び第２の充填材料２７１３のそれぞれと同様であり得る第１の充填材料３６１１及び第２の充填材料３６１３を含んでもよい。図３５〜図３７の例では、ボディ部３５１０の水平中央平面３５８３の上側の内部キャビティ３５７７の部分は、第１の充填材料３６１１で部分的に又は完全に充填されてもよく、水平中央平面３５８３の下側の内部キャビティ３５７７の部分は、第２の充填材料３６１３で部分的に又は完全に充填されてもよい。本明細書に記載の装置、方法、及び製造物は、これに限定されない。
【００９６】
図３８〜図４０の例では、ゴルフクラブヘッド３８００は、トウ部３８４０と、ヒール部３８５０と、前面３８６４及び背面３８６６を有するフェース部３８６２（例えば、打撃面）を持つフロント部３８６０と、バック部３８７０と、トップ部３８８０と、ソール部３８９０とを有するボディ部３８１０を含み得る。一例では、ボディ部３８１０は、フロント部３８６０とバック部３８７０の間に延在すると共にトップ部３８８０とソール部３８９０の間に延在する内部キャビティ３８７７を含む中空体であり得る。ゴルフクラブヘッド３８００は、本明細書に記載された任意のゴルフクラブヘッドと多くの点で類似し得る。例えば、ゴルフクラブヘッド３８００は、本明細書に記載された任意のゴルフクラブヘッドと同様の任意の数のポート及び／又は質量部を含み得る。別の例では、ゴルフクラブヘッド３８００は、本明細書に記載された任意の材料を含み得る。ゴルフクラブヘッド３８００は、ゴルフクラブヘッド２６００の第１の充填材料２７１１及び第２の充填材料２７１３のそれぞれと同様であり得る第１の充填材料３９１１及び第２の充填材料３９１３を含んでもよい。図３８〜図４０の例では、ボディ部３８１０の水平中央平面３８８３の下側の内部キャビティ３８７７の部分は、第１の充填材料３９１１で部分的に又は完全に充填されてもよく、水平中央平面３８８３の上側の内部キャビティ３８７７の部分は、第２の充填材料３９１３で部分的に又は完全に充填されてもよい。本明細書に記載の装置、方法、及び製造物は、これに限定されない。
【００９７】
図４１〜図４３の例では、ゴルフクラブヘッド４１００は、トウ部４１４０と、ヒール部４１５０と、前面４１６４及び背面４１６６を有するフェース部４１６２（例えば、打撃面）を持つフロント部４１６０と、バック部４１７０と、トップ部４１８０と、ソール部４１９０とを有するボディ部４１１０を含み得る。一例では、ボディ部４１１０は、フロント部４１６０とバック部４１７０の間に延在すると共にトップ部４１８０とソール部４１９０の間に延在する内部キャビティ４１７７を含む中空体であり得る。ゴルフクラブヘッド４１００は、本明細書に記載された任意のゴルフクラブヘッドと多くの点で類似し得る。例えば、ゴルフクラブヘッド４１００は、本明細書に記載された任意のゴルフクラブヘッドと同様の任意の数のポート及び／又は質量部を含み得る。別の例では、ゴルフクラブヘッド４１００は、本明細書に記載された任意の材料を含み得る。本明細書に記載の装置、方法、及び製造物は、これに限定されない。
【００９８】
ゴルフクラブヘッド４１００は、ゴルフクラブヘッド２６００の第１の充填材料２７１１及び第２の充填材料２７１３のそれぞれと同様であり得る第１の充填材料４２１１及び第２の充填材料４２１３を含んでもよい。図４１〜図４３の例では、ボディ部４１１０とフェース部４１６２によって画定される内部キャビティ４１７７の任意の境界から離間された内部キャビティ４１７７の部分は、第１の充填材料４２１１で充填されてもよく、内部キャビティ４１７７の残りの部分は、第２の充填材料４２１３で部分的に又は完全に充填されてもよい。言い換えれば、第１の充填材料４２１１は、第２の充填材料４２１３によって完全に囲まれて内部キャビティ４１７７内にサスペンドされ得る。本明細書に記載の装置、方法、及び製造物は、これに限定されない。
【００９９】
一例では、本明細書に記載されるように、１つ又は複数のポリマー材料が、本明細書に記載された任意のゴルフクラブヘッドのボディ部内に射出成型され得る。１つ又は複数のポリマー材料が、ポリマーを形成するための任意の有用な形成手段によって作製又は形成され得る。これには、圧縮成形、射出成型、ブロー成型、トランスファー成形などの成形；フィルムブロー（ｆｉｌｍ  ｂｌｏｗｉｎｇ）又はキャスティング（ｃａｓｔｉｎｇ）；押し出し成形（ｅｘｔｒｕｓｉｏｎ）及び熱成形（ｔｈｅｒｍｏｆｏｒｍｉｎｇ）；積層成形（ｌａｍｉｎａｔｉｏｎ）、引き抜き成形（ｐｕｌｔｒｕｓｉｏｎ）、突き出し成形（ｐｒｏｔｒｕｓｉｏｎ）、絞り成形（ｄｒａｗ  ｒｅｄｕｃｔｉｏｎ）、回転成形（ｒｏｔａｔｉｏｎａｌ  ｍｏｌｄｉｎｇ）、スピンボンディング（ｓｐｉｎ  ｂｏｎｄｉｎｇ）、メルトスピニング（ｍｅｌｔ  ｓｐｉｎｎｉｎｇ）、メルトブロー（ｍｅｌｔ  ｂｌｏｗｉｎｇ）；又はこれらの組み合わせが含まれる。別の例では、本明細書に記載された任意の１つ又は複数のポリマー材料は、内部キャビティに配置されて熱で膨張及び／又は硬化され得る小球（ｐｅｌｌｅｔ）又は固体片であってもよい。本明細書に記載の装置、方法、及び製造物は、これに限定されない。
【０１００】
本明細書に記載された任意のゴルフクラブヘッドの内部キャビティは、本明細書に記載された任意の１つ又は複数のエポキシ材料又は他の適切なエポキシ材料などの、１つ又は複数の熱硬化性材料（例えば、１つ又は複数のエポキシ材料）で、部分的に（すなわち、０％より大きく１００％より小さい）又は完全に充填され得る。一例では、本明細書に記載された任意のゴルフクラブヘッドの内部キャビティを部分的に、実質的に（例えば、内部キャビティの少なくとも５０％を充填）、又は完全に充填する熱硬化性材料（例えば、エポキシ樹脂）の質量は、６．０グラム以上３２．０グラム以下であり得る。内部キャビティを部分的に、実質的に、又は完全に充填する熱硬化性材料は、振動減衰及び音響減衰、比較的薄いフェース部の構造的支持、ボール移動距離、ボール速度、ボール打ち出し角度、ボールスピンレート、ボールピーク高さ、ボール着地角度、及び／又はボールばらつきに影響を及ぼし得る。本明細書に記載の装置、方法、及び製造物は、これに限定されない。本明細書に記載の装置、方法、及び製造物は、これに限定されない。
【０１０１】
図４４に示すように、例えば、本明細書に記載された任意のゴルフクラブヘッドと同様であり得るゴルフクラブヘッド４４００のボディ部４４１０の内部キャビティ４４１２は、ゴルフクラブヘッド４４００の水平中央平面４４７０の下側が熱硬化性材料４４１４（例えば、エポキシ材料）で充填されてもよい。別の例では、ゴルフクラブヘッド４４００又は本明細書に記載された任意のゴルフクラブヘッドの内部キャビティ４４１２は、水平中央平面４４７０の上側が熱硬化性材料（例えば、エポキシ材料）で充填されてもよい（不図示）。更に別の例では、ゴルフクラブヘッド４４００又は本明細書に記載された任意のゴルフクラブヘッドの内部キャビティ４４１２は、水平中央平面４４７０の上側及び下側が熱硬化性材料（例えば、エポキシ材料）で充填されてもよいが、内部キャビティ４４１２内に任意の熱硬化性材料又は他の材料を含まない領域を有し得る（不図示）。本明細書に記載の装置、方法、及び製造物は、これに限定されない。
【０１０２】
図４５に示すように、例えば、本明細書に記載された任意のゴルフクラブヘッドと同様であり得るゴルフクラブヘッド４５００は、熱硬化性材料４５１４の幅４５１６を持つ内部キャビティ４５１２を有するボディ部４５１０を含んでもよい。幅４５１６は、以下の式によってフェース部４５１８のフェース部厚さ４５１９に関連付けられ得る。
【数６】
0006989730.tif 000010
ここで、０．５≦α≦５．０であり、Ｗthは熱硬化性材料の幅（インチ）であり、Ｔf はフェース部の厚さ（インチ）である。
【０１０３】
一例では、熱硬化性材料４５１４の幅４５１６は、フェース部厚さ４５１９の半分以上であり得る。別の例では、熱硬化性材料４５１４の幅４５１６は、フェース部厚さ４５１９以上であり得る（例えば、Ｗth≧Ｔf ）。更に別の例では、熱硬化性材料４５１４の幅４５１６は、フェース部厚さ４５１９の２倍以上であり得る（例えば、Ｗth≧２Ｔf ）。別の例では、熱硬化性材料４５１４の幅４５１６は、フェース部厚さ４５１９の３倍以上であり得る（例えば、Ｗth≧３Ｔf ）。更に別の例では、熱硬化性材料４５１４の幅４５１６は、フェース部厚さ４５１９の５倍以上より大きくてもよい（例えば、Ｗth≧５Ｔf ）。更に別の例では、熱硬化性材料４５１４の幅４５１６は、フェース部厚さ４５１９以上３倍以下であり得る（例えば、Ｔf ≦Ｗth≦３Ｔf ）。本明細書に記載の装置、方法、及び製造物は、これに限定されない。
【０１０４】
一例では、本明細書に記載された任意のゴルフクラブヘッドについて、内部キャビティを部分的、実質的、又は完全に充填する熱硬化性材料の質量は、以下の式によってゴルフクラブヘッドの質量に関連付けられ得る。
【数７】
0006989730.tif 000011
ここで、ｍT は熱硬化性材料の質量（グラム）であり、ｍH はゴルフクラブヘッドの質量（グラム）である。
【０１０５】
上記の式によれば、熱硬化性材料の質量とゴルフクラブヘッドの質量との比率は、０．０３以上０．２以下であり得る。本明細書に記載の装置、方法、及び製造物は、これに限定されない。
【０１０６】
内部キャビティを部分的、実質的、又は完全に充填する熱硬化性材料は、振動減衰及びノイズ減衰を提供し及び／又はゴルフクラブヘッドの比較的薄いフェース部を構造的に支持するように、特定のショアＤ硬度を有し得る。一例では、内部キャビティを部分的、実質的、又は完全に充填する熱硬化性材料は、少なくとも４５のショアＤ硬度を有し得る。別の例では、内部キャビティを部分的、実質的、又は完全に充填する熱硬化性材料は、４５以上８０以下のショアＤ硬度を有し得る。別の例では、内部キャビティを部分的、実質的、又は完全に充填する熱硬化性材料は、５０以上７０以下のショアＤ硬度を有し得る。更に別の例では、内部キャビティを部分的、実質的、又は完全に充填する熱硬化性材料は、５５以上６５以下のショアＤ硬度を有し得る。更に別の例では、内部キャビティを部分的、実質的、又は完全に充填する熱硬化性材料は、５５以上７５以下のショアＤ硬度を有し得る。本明細書に記載の装置、方法、及び製造物は、これに限定されない。
【０１０７】
内部キャビティを部分的、実質的、又は完全に充填する熱硬化性材料は、振動減衰及びノイズ減衰を提供し及び／又はゴルフクラブヘッドの比較的薄いフェース部を構造的に支持するように、特定の密度を有し得る。一例では、内部キャビティを部分的、実質的、又は完全に充填する熱硬化性材料は、１．０グラム／立方センチメートル（ｇ／ｃｍ3 ）以上２．０ｇ／ｃｍ3 以下の密度を有し得る。別の例では、内部キャビティを部分的、実質的、又は完全に充填する熱硬化性材料は、１．１ｇ／ｃｍ3 以上１．５ｇ／ｃｍ3 以下の密度を有し得る。更に別の例では、内部キャビティを部分的、実質的、又は完全に充填する熱硬化性材料は、１．０ｇ／ｃｍ3 以上１．４ｇ／ｃｍ3 以下の密度を有し得る。更に別の例では、内部キャビティを部分的、実質的、又は完全に充填する熱硬化性材料は、１．１ｇ／ｃｍ3 以上１．２ｇ／ｃｍ3 以下の密度を有し得る。本明細書に記載の装置、方法、及び製造物は、これに限定されない。
【０１０８】
ポリマー材料（例えば、図４５に示すような熱硬化性材料４５１４）は、フェース部４５１８の背面４５２１に隣接して配置され得る。例えば、熱硬化性材料４５１４は、フェース部４５１８の背面４５２１に直接取り付け及び／又は結合され得る。あるいは、熱硬化性材料４５１４は、フェース部４５１８から離して配置され得る。一例では、熱硬化性材料４５１４は、バック部４５７４のバックウォール部４５７５に取り付け及び／又は結合される。その結果、熱硬化性材料４５１４は、フェース部４５１８の背面４５２１と接触しない可能性がある。本明細書の例は、ゴルフクラブヘッド４５００の様々な表面及び又はウォール部に取り付け及び／又は結合された、又は内部キャビティ４５１２にサスペンドされた、熱硬化性材料４５１４などのポリマー材料を説明しているが、熱硬化性材料４５１４は、より多く又はより少ない表面及び又はウォール部に取り付け及び／又は結合されてもよい。本明細書に記載の装置、方法、及び製造物は、これに限定されない。
【０１０９】
図４６に示すように、例えば、本明細書に記載された任意のゴルフクラブヘッドと同様であり得るゴルフクラブヘッド４６００は、トップ部４６８０とソール部４６９０の間で変化し得る内部キャビティ幅を持つ内部キャビティ４６１２を含むボディ部４６１０を有してもよい。特に、内部キャビティ４６１２は、ゴルフクラブヘッド４６００の水平中央平面４６７０の上側の第１の幅４６２０（Ｗ1 ）、水平中央平面４６７０の下側の第２の幅４６３０（Ｗ2 ）、及び第１の幅４６２０と第２の幅４６３０の間における第３の幅４６４０（Ｗ3 ）を含み得る。第３の幅４６４０は、水平中央平面４６７０又はその下側にあり得る。一例では、第３の幅４６４０は、１つ又は複数のポート（例えば、概ね４６２２として示される）の上側にあり得る。従って、第３の幅４６４０は、１つ又は複数の質量部（図４６には示されないが、例えば、ポート４６２２に配置された質量部）の上側に配置され、及び／又は、１つ又は複数の質量部よりも水平中央平面４６７０の近傍であり得る。別の例では、第３の幅４６４０は、ゴルフクラブヘッド４６００の１つ又は複数のポートの上側で且つ水平中央平面４６７０の下側であり得る。第３の幅４６４０は、第１の幅４６２０より大きく（例えば、Ｗ3 ＞Ｗ1 ）、且つ、第２の幅４６３０より大きくてもよい（例えば、Ｗ3 ＞Ｗ2 ）。一例では、第１の幅４６２０は、第２の幅４６３０以上であり得る（例えば、Ｗ2 ≧Ｗ1 ）。別の例では、第２の幅４６３０は、第１の幅４６２０以上であり得る（例えば、Ｗ1 ≧Ｗ2 ）。更に別の例では、第３の幅４６４０は、第２の幅４６３０の３倍以下であり得る。更に別の例では、第３の幅４６４０は、第２の幅４６３０の２倍以下であり得る。更に別の例では、第３の幅４６４０は、第２の幅４６３０の１．５倍以下であり得る。更に別の例では、第３の幅４６４０は、第２の幅４６３０の１．３８倍以下であり得る。本明細書に記載の装置、方法、及び製造物は、これに限定されない。
【０１１０】
第３の幅４６４０は、ボディ部４６１０の特定の垂直位置にあり得る。ゴルフクラブヘッド４６００のフェース部４６１８は、複数の溝を含み得る。ゴルフクラブヘッド４６００のフェース部４６１８は、図１のゴルフクラブヘッド１００と同様な数の溝を含み得る。従って、フェース部４６１８は、複数の溝（例えば、図４６では、概ね溝４６５１、４６５２、４６５３、４６５４、４６５５、４６５６、４６５７、４６５９、４６６０、４６６１として示される１１本の溝）を含み得る。第３の幅４６４０は、複数の溝のいずれかの間に配置され得る。一例では、第３の幅４６４０は、ソール部４６９０から第１の溝４６５１と第１１の溝４６６１の間に配置され得る。別の例では、第３の幅４６４０は、ソール部４６９０から第４の溝４６５４と第８の溝４６５８の間に配置され得る。更に別の例では、第３の幅４６４０は、ソール部４６９０から第５の溝４６５５と第７の溝４６５７の間に配置され得る。図４６は、フェース部４６１８（例えば、ロフト平面に垂直）に関連付けられたロフト平面（例えば、図３では概ね１０４０として示される）に関連する内部キャビティ４６１２の第１の幅４６２０、第２の幅４６３０、第３の幅４６４０をそれぞれ示すが、１つ又は複数の幅は、接地平面（例えば、図１では概ね１０１０として示される）に対して測定され得る。例えば、内部キャビティ４６１２の１つ又は複数の幅は、接地平面（例えば、図１では概ね１０１０として示される）に実質的に平行であり得る。本明細書に記載の装置、方法、及び製造物は、これに限定されない。
【０１１１】
一例では、ゴルフクラブヘッドの内部キャビティを充填するプロセスは、フェース部のバック面に結合部を塗布することを含まないでもよい。例えば、図４７に示すように、ゴルフクラブヘッドの内部キャビティを充填するプロセス４７００は、エポキシ材料で内部キャビティを部分的、実質的、又は完全に充填すること（ブロック４７１０）、その後、エポキシ材料を硬化すること（ブロック４７２０）を含み得る。エポキシ材料は、本明細書に記載されるようにゴルフクラブヘッドのボディ部の１つ又は複数のポートから内部キャビティに注入され得る。一例では、エポキシ材料を硬化させるプロセスは、熱、放射線、及び／又は圧力を特定の期間使用することを含み得る。別の例では、エポキシ材料を硬化させるプロセスは、環境温度又は室温で特定の期間エポキシ材料を硬化させることのみを含み得る。別の例では、ゴルフクラブヘッドの内部キャビティを充填するプロセスは、第１のエポキシ材料をフェース部の背面に塗布すること、本明細書に記載されるように第１のエポキシ材料を第１の硬化状態に硬化させること、第１のエポキシ材料と同様又は異なり得る第２のエポキシ材料を内部キャビティに充填すること、第１のエポキシ材料を第２の硬化状態に硬化させること、本明細書に記載されるように第２のエポキシ材料を硬化させることを含んでもよい。別の例では、２つ以上のエポキシ材料を使用して、各エポキシ材料に使用される単一又は複数の硬化プロセスで内部キャビティを実質的又は完全に充填することができる。本明細書に記載の装置、方法、及び製造物は、これに限定されない。
【０１１２】
図４８〜図５３の例では、ゴルフクラブヘッド４８００は、トウ部エッジ４８４２を持つトウ部４８４０と、ゴルフクラブを形成するために一方の端部にグリップ（不図示）を有すると共に他方の端部にゴルフクラブヘッド４８００を有するシャフト（不図示）を受け入れるように構成されるホーゼル部４８５５を含み得るヒール部エッジ４８５２を持つヒール部４８５０と、外周エッジ部４８６１を持つフロント部４８６０と、バックウォール部４８７２を持つバック部４８７０と、トップ部エッジ４８８２を持つトップ部４８８０と、ソール部エッジ４８９２を持つソール部４８９０とを有するボディ部４８１１を含み得る。トウ部４８４０、ヒール部４８５０、フロント部４８６０、バック部４８７０、トップ部４８８０、及び／又はソール部４８９０は、互いに部分的に重なり合ってもよい。トウ部エッジ４８４２、ヒール部エッジ４８５２、トップ部エッジ４８８２、及びソール部エッジ４８９２は、ボディ部４８１０の外周を画定し得る。本明細書に記載の装置、方法、及び製造物は、これに限定されない。
【０１１３】
ゴルフクラブヘッド４８００は、アイアン系ゴルフクラブヘッド（例えば、１番アイアン、２番アイアン、３番アイアン、４番アイアン、５番アイアン、６番アイアン、７番アイアン、８番アイアン、９番アイアンなど）、又はウェッジ系ゴルフクラブヘッド（例えば、ピッチングウェッジ、ロブウェッジ、サンドウェッジ、４４度（°），４８°，５２°，５６°，６０°などのｎ度ウェッジなど）であり得る。図４８〜図５３は、特定のタイプのゴルフクラブヘッドを示すが、本明細書に記載の装置、方法、及び製造物は、他のタイプのゴルフクラブヘッド（例えば、ドライバー系ゴルフクラブヘッド、フェアウェイウッド系ゴルフクラブヘッド、ハイブリッド系ゴルフクラブヘッド、パター系ゴルフクラブヘッドなど）に適用可能であり得る。ゴルフクラブヘッド４８００の体積、ゴルフクラブヘッド４８００の構成材料、及び／又はその任意の構成要素は、本明細書に記載及び／又は参照により組み込まれる出願のいずれかに記載された任意のゴルフクラブヘッドと同様であり得る。本明細書に記載の装置、方法、及び製造物は、これに限定されない。
【０１１４】
ゴルフクラブヘッド４８００は、ボディ部４８１０（例えば、１つの単一部品）と一体的に形成され得るフェース部４８６２（すなわち、打撃面）を含んでもよい。一例では、図４８〜図５３に示すように、フェース部４８６２は、フロント部４８６０に（例えば、接着で、機械的に、溶接又は半田付けにより）結合された別個の部品であり得る。フェース部４８６２は、前面４８６４及び背面４８６６を含み得る。一例（不図示）では、前部４８６０は、ボディ部４８１０にフェース部４８６２を取り付けるために、フェース部４８６２を受け入れるように構成された１つ又は複数の凹んだショルダー部を含み得る。別の例では、図４８〜図５３に示すように、背面４８６６は、ボディ部４８１０の外周エッジ部４８６１に取り付けられ得る外周部４８６７を含んでもよい。フェース部４８６２の外周部４８６７は、１つ又は複数の留め具、１つ又は複数の接着剤又は結合剤、及び／又は溶接又は半田付けによって、ボディ部４８１０の外周エッジ部４８６１に取り付けられ得る。一例では、図４８〜図５３に示すように、フェース部４８６２の外周部４８６７は、１つ又は複数の位置でボディ部４８１０の外周エッジ部４８６１に溶接され得る。あるいは、フェース部４８６２の外周部４８６７の全体が、ボディ部４８１０の外周エッジ部４８６１の全体に溶接（すなわち、連続溶接）され得る。フェース部４８６２は、ゴルフボールを打つためのボール打撃領域４８６８を含み得る。一例では、ボール打撃領域４８６８の中心は、フェース部４８６２の幾何学的中心４８６３であり得る。別の例では、フェース部４８６２の幾何学的中心４８６３は、ボール打撃領域４８６８の中心からオフセットされ得る。一例では、幾何学的中心４８４３、及び、ボール打撃領域４８６８内の幾何学的中心の近傍及び／又は幾何学的中心を取り囲む１つ又は複数の領域は、ゴルフボールを打つためのフェース部４８６２上の概ね最適な位置（すなわち、最適なボール飛距離、ボール速度、ボールスピン特性など）を提供し得る。更に別の例では、幾何学的中心４８６３又はその近傍及びボール打撃領域４８６８内の任意の位置が、ゴルフボールを打つためのフェース部４８６２上の概ね最適な位置を提供し得る。しかしながら、ボールは、本明細書に記載された任意のゴルフクラブヘッドにおけるボール打撃領域４８６８内又はボール打撃領域４８６８外のフェース部４８６２の任意の位置で打たれる可能性があり、個人が好む中心での打撃とは異なる特定のボール飛行特性がもたらされる。フェース部４８６２の構成及びボディ部４８１０に対するフェース部４８６２の取り付け（例えば、溶接）は、本明細書に記載及び／又は参照により組み込まれる出願のいずれかに記載された任意のゴルフクラブヘッドと多くの点で類似し得る。本明細書に記載の装置、方法、及び製造物は、これに限定されない。
【０１１５】
ゴルフクラブヘッド４８００は、接地平面５１１０、水平中央平面５１２０、及び頂上平面５１３０に関連付けられ得る。特に、接地平面５１１０は、地面に平行又は実質的に平行で、且つ、ゴルフクラブヘッド４８００がアドレス位置にあるとき（例えば、ゴルフクラブヘッド４８００がゴルフボールを打つように位置合わせされたとき）にソール部エッジ４８９２の最下端に接する平面であり得る。頂上平面５１３０は、ゴルフクラブヘッド４８００がアドレス位置にあるときにトップ部エッジ４８８２の最上端に接する平面であり得る。接地平面５１１０及び頂上平面５１３０は、それぞれ、互いに平行又は実質的に平行であり得る。水平中央平面５１２０は、接地平面５１１０と頂上平面５１３０のそれぞれの間の垂直方向の中間にあり得る。更に、ゴルフクラブヘッド４８００は、ゴルフクラブヘッド４８００のロフト角５１４５（α）を画定するロフト平面５１４０に関連付けられ得る。ロフト平面５１４０は、フェース部４８６２に対する接平面であり得る。ロフト角５１４５は、ロフト平面５１４０と、接地平面５１１０に対して垂直な垂直平面５１５０との間の角度によって画定され得る。
【０１１６】
ボディ部４８１０は、内壁４９１２を有する内部キャビティ４９１０を含む中空体であり得る。内部キャビティ４９１０は、フロント部４８６０、バック部４８７０、トップ部４８８０、及びソール部４８９０の間に延在し得る。図４８〜図５３の例では、ボディ部４８１０の内部キャビティ４９１０は、フェース部４８６２で封止されると共にフェース部４８６２で部分的に画定され得る。内部キャビティ４９１０の構成（例えば、高さ、幅、体積、形状など）、ボディ部４８１０に対する内部キャビティ４９１０の構成（例えば、ボディ部４８１０の体積に対する内部キャビティ４９１０の体積）、内部キャビティ４９１０の幅及び高さの変化、及び、ボディ部４８１０の１つ又は複数のポートからの内部キャビティ４９１０へのアクセスは、本明細書に記載及び／又は参照により組み込まれる出願のいずれかに記載された任意のゴルフクラブヘッドと同様であり得る。本明細書に記載の装置、方法、及び製造物は、これに限定されない。
【０１１７】
バック部４８７０のバックウォール部４８７２は、上側バックウォール部５２１２及び下側バックウォール部５２１４を含み得る。バックウォール部４８７２は、トウ部エッジ４８４２とヒール部エッジ４８５２の間に連続的又は不連続的に延在し得るレッジ部５２１６を含んでもよい。下側バックウォール部５２１４は、上側バックウォール部５２１２と下側バックウォール部５２１４の間の移行部分を画定するレッジ部５２１６によって、上側バックウォール部５２１２よりもボディ部４８１０の後方に配置され得る。従って、レッジ部５２１６は、上側バックウォール部５２１２及び下側バックウォール部５２１４に対して横方向に延在し得る。一例では、図４８〜図５３に示すように、レッジ部５２１６は、第１のレッジ部５２２６及び第２のレッジ部５２３６を含み得る。第１のレッジ部５２２６は、トウ部エッジ４８４２からバックウォール部４８７２のバックウォール中央部５２４０までバックウォール部上に延在し得る。第２のレッジ部５２３６は、バックウォール部４８７２の中央部５２４０からヒール部エッジ４８５２まで延在し得る。図３５〜図４０に示すように、レッジ部５２１６は、水平中央平面５１２０の下側に比較的大きい質量を提供することができ、水平中央平面５１２０の下側のボディ部４８１０の質量をボディ部４８１０のより後方に移動させることができる。レッジ部５２１６の幅は、ボディ部４８１０の特定の位置での内部キャビティの幅より大きくてもよく、等しくてもよく、小さくてもよい。レッジ部５２１６の構成（例えば、幅、区分、テーパ、形状など）及び内部キャビティの幅に対するレッジ部５２１６の特性は、本明細書に記載及び／又は参照により組み込まれる出願のいずれかに記載された任意のゴルフクラブヘッドと同様であり得る。本明細書に記載の装置、方法、及び製造物は、これに限定されない。
【０１１８】
ボディ部４８１０は、外部ポート及び／又は内部ポート（例えば、ボディ部４８１０の内部に配置）であり得る１つ又は複数のポートを含んでもよい。内部キャビティ４９１０の内壁４９１２は、１つ又は複数のポート（不図示）を含み得る。一例では、図４８〜図５３に示すように、バック部４８７０は、ボディ部４８１０の外周に沿って又はその近傍に１つ又は複数のポートを含み得る。例えば、ボディ部４８１０は、第１セットのポート４９２０（例えば、ポート４９２１、４９２２として示される）と、第２セットのポート４９３０（例えば、ポート４９３１、４９３２として示される）と、第３セットのポート４９４０（例えば、ポート４９４１、４９４２、４９４３として示される）と、第４セットのポート４９５０（例えば、ポート４９５１、４９５２として示される）とを含み得る。第１セットのポート４９２０、第２セットのポート４９３０、第３セットのポート４９４０、及び／又は第４セットのポート４９５０の各ポートの位置、他のポートとの間隔、及び他の任意の構成は、本明細書に記載又は参照により組み込まれる出願のいずれかに記載された任意のポートと多くの点で類似し得る。更に、第１セットのポート４９２０、第２セットのポート４９３０、第３セットのポート４９４０、及び／又は第４セットのポート４９５０の任意の１つ又は複数のポートは、内部キャビティ４９１０に接続されてもよく、それを通じて１つ又は複数の充填材料が内部キャビティ４９１０に注入され得る。図４８〜図５３の例では、ポート４９２１、４９３１、４９５１は、それぞれ、開口部４９６１、４９７１、４９８１を介して内部キャビティ４９１０に接続され得る。本明細書に記載の装置、方法、及び製造物は、これに限定されない。
【０１１９】
第１セットのポート４９２０の各ポートは、第１セットのポート４９２０のいずれかのポートのポート直径よりも小さい距離だけ離され得る。第２セットのポート４９３０の各ポートは、第２セットのポート４９３０のいずれかのポートのポート直径よりも小さい距離だけ離され得る。第３セットのポート４９４０の各ポートは、第３セットのポート４９４０のいずれかのポートのポート直径よりも小さい距離だけ離され得る。第４セットのポート４９５０の各ポートは、第３セットのポート４９５０のいずれかのポートのポート直径よりも小さい距離だけ離され得る。一例では、第１セットのポート４９２０と第２セットのポート４９３０は、第１セットのポート４９２０と第２セットのポート４９３０のいずれかのポートのポート直径よりも大きい距離だけ離間され得る。別の例では、第２セットのポート４９３０と第３セットのポート４９４０は、第２セットのポート４９３０と第３セットのポート４９４０のいずれかのポートのポート直径よりも大きい距離だけ離間され得る。更に別の例では、第３セットのポート４９４０と第４セットのポート４９４５は、第３セットのポート４９４０と第４セットのポート４９５０のいずれかのポートのポート直径よりも大きい距離だけ離間され得る。本明細書に記載の装置、方法、及び製造物は、これに限定されない。
【０１２０】
図面ではポートを別々な個々の部品として示しているが、第１セットのポート４９２０、第２セットのポート４９３０、第３セットのポート４９４０、及び第４セットのポート４９５０の各セット又は隣接するポートのセットの組み合わせは、それぞれ、単一のポートであり得る。一例では、第１セットのポート４９２０の全てのポートを組み合わせて単一のポート（例えば、第１のポート）にしてもよい。別の例では、第２セットのポート４９３０の全てのポートを組み合わせて単一のポート（例えば、第２のポート）にしてもよい。別の例では、第３セットのポート４９４０の全てのポートを組み合わせて単一のポート（例えば、第３のポート）にしてもよい。更に別の例では、第４セットのポート４９５０の全てのポートを組み合わせて単一のポート（例えば、第４のポート）にしてもよい。図面では特定の数のポートを示しているが、本明細書に記載の装置、方法、及び製造物は、より多い数又はより少ない数のポートを含み得る。
【０１２１】
ボディ部４８１０は、ボディ部４８１０に結合される一体的な質量部又は別々の質量部であり得る１つ又は複数の質量部（例えば、ウェイト部）を含んでもよい。図４８〜図５３に示すような例では、ボディ部４８１０は、第１セットの質量部５０２０（例えば、質量部５０２１、５０２２として示される）と、第２セットの質量部５０３０（例えば、質量部５０３１、５０３２として示される）と、第３セットの質量部５０４０（例えば、質量部５０４１、５０４２、５０４３として示される）と、第４セットの質量部５０５０（例えば、質量部５０５１、５０５２として示される）とを含み得る。上記の例では質量部の特定の数又は部分を説明したが、参照により組み込まれる出願のいずれかに記載されるように、質量部のセットは、単一の質量部又は複数の質量部を含み得る。例えば、第１セットの質量部５０２０、第２セットの質量部５０３０、第３セットの質量部５０４０、及び／又は第４セットの質量部５０５０における隣接し合う質量部のセットのいずれか１つ又は組み合わせは、単一の質量部であり得る。更に、第１セットの質量部５０２０、第２セットの質量部５０３０、第３セットの質量部５０４０、及び／又は第４セットの質量部５０５０は、ボディ部４８１０の物理的構造の一部であり得る。第１セットの質量部５０２０、第２セットの質量部５０３０、第３セットの質量部５０４０、及び／又は第４セットの質量部５０５０は、本明細書に記載又は参照により組み込まれる出願のいずれかに記載された任意の質量部と同様であり得る。本明細書に記載の装置、方法、及び製造物は、これに限定されない。
【０１２２】
内部キャビティ４９１０は、１つ又は複数の類似又は異なるタイプの材料を含み得る１つ又は複数の充填材料（すなわち、キャビティ充填材料）で、部分的に又は完全に充填されてもよい。一例では、図４８〜図５３に示すように、内部キャビティ４９１０は、第１の充填材料５１１２と第２の充填材料５１１４で充填され得る。第１の充填材料５１１２及び第２の充填材料５１１４は、本明細書に記載又は参照により組み込まれる出願のいずれかに記載された任意の充填材料と同様であってもよい。本明細書に記載の装置、方法、及び製造物は、これに限定されない。
【０１２３】
第１の充填材料５１１２は、内部キャビティ４９１０の内壁４９１２の全体又は一部に結合され得る。一例では、第１の充填材料５１１２は、内壁４９１２の全体又は一部に取り付けるための固有の接着特性又は結合特性を有し得る。別の例では、第１の充填材料５１１２は、第１の充填材料５１１２と混合され得る１つ又は複数の結合剤又は接着剤で、内壁４９１２の全体又は一部に取り付けられてもよい。別の例では、第１の充填材料５１１２は、第１の充填材料５１１２から分離され得る１つ又は複数の結合剤又は接着剤で、内壁３６１２の全体又は一部に取り付けられてもよい。更に別の例では、第１の充填材料５１１２は、第２の充填材料５１１４で、内壁３６１２の全体又は一部に取り付けられてもよい。本明細書に記載の装置、方法、及び製造物は、これに限定されない。
【０１２４】
一例では、図４８〜図５３に示すように、第１の充填材料５１１２は、フェース部４８６２のボール打撃領域４８６８に概ね対応し得る内壁４９１２の少なくとも一部に結合されてもよく（すなわち、第１の充填材料５１１２は概ねボール打撃領域４８６８の背後に配置され得る）、フェース部４８６２のボール打撃領域４８６８の近傍及び／又はその周囲の領域に結合されてもよい。別の例では、第１の充填材料５１１２は、内壁４９１２の少なくとも１０％に結合され得る。別の例では、第１の充填材料５１１２は、内壁４９１２の少なくとも２５％に結合され得る。更に別の例では、第１の充填材料５１１２は、内壁４９１２の２５％から５０％の間に結合され得る。別の例では、第１の充填材料５１１２は、内壁４９１２の３５％から７５％の間に結合され得る。更に別の例では、第１の充填材料５１１２は、内壁４９１２の５０％から９０％の間に結合され得る。更に別の例では、第１の充填材料５１１２は、内壁４９１２の７５％より多くに結合され得る。更に別の例では、第１の充填材料５１１２は、内壁４９１２の全体に結合され得る。本明細書に記載の装置、方法、及び製造物は、これに限定されない。
【０１２５】
内壁４９１２に結合され得る第１の充填材料５１１２の量は、ゴルフクラブヘッドのロフト角、フェース部４８６２の全体の厚さ、フェース部４８６２の厚さプロファイル、内部キャビティ４９１０の形状、任意のポート又は質量部の位置及び構成、第１の充填材料５１１２の材料特性、及び／又は第２の充填材料５１１４の材料特性に依存してもよい。一例では、比較的大きいロフト角を有するゴルフクラブヘッドは、第１の充填材料５１１２が結合され得る内壁４９１２の部分を制限してもよい。別の例では、比較的小さいロフト角を有するゴルフクラブヘッドは、第１の充填材料５１１２が内壁４９１２の全体又は実質的な部分に結合され得る。更に別の例では、ゴルフクラブヘッドの音響特性は、個人に心地よい音及び感触を提供するように内壁４９１２に結合され得る充填材料５１１２の量を決定する要因となり得る。内壁４９１２に結合された第１の充填材料５１１２の量（すなわち、体積及び／又は質量）は、各ゴルフクラブヘッド（すなわち、特定のロフト角を有する）に対して決定されてもよく、（ｉ）振動減衰又は音響減衰（例えば、ゴルフクラブヘッド４８００を使用する個人によって知覚されるような、ゴルフクラブヘッド４８００でゴルフボールを打つときの一貫した及び／又は心地よい音及び感触）を提供することができ、（ｉｉ）フェース部４８６２に構造的支持を提供することができ、及び／又は、（ｉｉｉ）ボール移動距離、ボール速度、ボール打ち出し角度、ボールスピンレート、ボールピーク高さ、ボール着地角度、及び／又はボールばらつきを最適化することができる。本明細書に記載の装置、方法、及び製造物は、これに限定されない。
【０１２６】
図４８〜図５３の例では、内部キャビティ４９１０の中央部４９１１は、ボール打撃領域４８６８に概ね対応し得る内部キャビティ４９１０の一部であってもよく、第１の充填材料５１１２及び第２の充填材料５１１４を含み得る。内部キャビティ４９１０の中央部４９１１での内部キャビティ４９１０の幅４９１３は、内部キャビティ４９１０の他の部分での内部キャビティ４９１０の幅４９１３よりも概ね大きくてもよい。従って、ボール打撃領域４８６８の背後の内部キャビティ４９１０の領域、すなわち、中央部４９１１は、比較的大量の第１の充填材料５１１２及び／又は第２の充填材料５１１４を含み得る。更に、中央部４９１１の構成（すなわち、サイズ、形状、輪郭、体積など）は、ロフト角５１４５に依存し得る。例えば、比較的小さいロフト角５１４５を有するゴルフクラブヘッド４８００は、比較的大きいロフト角５１４５を有するゴルフクラブヘッド４８００よりも大きい中央部４９１１（すなわち、より大きい体積、深さ、高さなど）を有し得る。従って、本明細書に記載されるように、内部キャビティ４９１０内、より具体的には、中央部４９１１の第１の充填材料５１１２及び／又は第２の充填材料５１１４の量は、ロフト角５１４５に基づいて決定されてもよく、（ｉ）振動減衰又は音響減衰（例えば、ゴルフクラブヘッド４８００を使用する個人によって知覚されるような、ゴルフクラブヘッド４８００でゴルフボールを打つときの一貫した及び／又は心地よい音及び感触）を提供することができ、（ｉｉ）フェース部４８６２に構造的支持を提供することができ、及び／又は、（ｉｉｉ）ボール移動距離、ボール速度、ボール打ち出し角度、ボールスピンレート、ボールピーク高さ、ボール着地角度、及び／又はボールばらつきを最適化することができる。本明細書に記載の装置、方法、及び製造物は、これに限定されない。
【０１２７】
内部キャビティ４９１０の輪郭又は内壁４９１２の形状は、外周エッジ部４８６１に対して凹んだ複数の凹部によって画定され得る。図４８〜図５３の例では、内部キャビティ４９１０は、第１の凹部４９１４と、第１の凹部４９１４よりも概ね小さい深さ（すなわち、図５１〜図５３の断面図の内部キャビティ幅４９１３）を有し得る第２の凹部４９１５と、第２の凹部４９１５よりも概ね小さい深さを有し得る第３の凹部４９１６と、第３の凹部４９１６よりも概ね小さい深さを有し得る第４の凹部４９１７と、第４の凹部４９１７よりも概ね小さい深さを有し得る第５の凹部４９１８とを含んでもよい。内部キャビティ４９１０は、より多い又はより少ない凹部を有し得る。本明細書に記載の装置、方法、及び製造物は、これに限定されない。
【０１２８】
第１の凹部４９１４は、概ね、内部キャビティ４９１０の最大幅４９１３を含んでもよく、中央部４９１１に設けられてもよく、及び／又は中央部４９１１に隣接又は取り囲む部分を有してもよい。第２の凹部４９１５は、第１の凹部４９１４の全体又は一部に隣接してもよく、中央部４９１１にあり得る部分を含んでもよい。図４８〜図５３の例では、第２の凹部４９１５は、第１の凹部４９１４の下側に位置する。第３セットのポート４９４０を含むボディ部４８１０の構造の一部は、第２の凹部４９１５と下側バックウォール部５２１４の間にあり得る。従って、第２の凹部４９１５の深さは、ボディ部４８１０が第２の凹部４９１５と下側バックウォール部５２１４の間の第３セットのポート４９４０を収容できるように、第１の凹部４９１４の深さより小さくてもよい。本明細書に記載の装置、方法、及び製造物は、これに限定されない。
【０１２９】
第３の凹部４９１６は、第２の凹部４９１５及び／又は第１の凹部４９１４の全体又は一部に隣接及び／又は取り囲んでもよく、中央部４９１１にあり得る部分を含んでもよい。図４８〜図５３の例では、第３の凹部４９１６は、水平中央平面５１２０の上側の第１の凹部４９１４を取り囲む。第４の凹部４９１７は、外周エッジ部４８６１又はその近傍にあってもよく、及び／又は、第３の凹部４９１６、第２の凹部４９１５、及び／又は第１の凹部４９１４の全体又は一部に隣接及び／又は取り囲んでもよい。図４８〜図５３の例では、第４の凹部４９１７は、水平中央平面５１２０の下側の第１の凹部４９１４及び第２の凹部４９１５の部分に隣接する。第２セットのポート４９３０及び第４セットのポート４９５０を含むボディ部４８１０の構造の一部は、第４の凹部４９１７と下側バックウォール部５２１４の間にあり得る。従って、第４の凹部４９１７の深さは、ボディ部４８１０が第４の凹部４９１７と下側バックウォール部５２１４の間の第２セットのポート４９３０及び第４セットのポート４９５０を収容できるように、第１の凹部４９１４及び第２の凹部４９１５の深さより小さくてもよい。本明細書に記載の装置、方法、及び製造物は、これに限定されない。
【０１３０】
第５の凹部４９１８は、外周エッジ部４８６１に隣接し得る。従って、第５の凹部４９１８を含む内部キャビティ４９１０の任意の位置で、第５の凹部４９１８は、外周エッジ部４８６１と、第１の凹部４９１４、第２の凹部４９１５、第３の凹部４９１６、第４の凹部４９１７のいずれかとの間にあり得る。第１セットのポート４９２０を含むボディ部４８１０の構造の一部は、第５の凹部４９１８と上側バックウォール部５２１２の間にあり得る。従って、第５の凹部４９１８の深さは、ボディ部４８１０が第５の凹部４９１８と上側バックウォール部５２１２の間の第１セットのポート４９２０を収容できるように、第３の凹部４９１６に隣接する部分の深さより小さくてもよい。本明細書に記載の装置、方法、及び製造物は、これに限定されない。
【０１３１】
内部キャビティ４９１０は、トウ部４８４０とヒール部４８５０の間に延在し得る１つ又は複数の内部チャネルを含んでもよい。一例では、図４８〜図５３に示すように、内部キャビティ４９１０は、トウ部４８４０の位置から中央部４９１１まで延在し得る第１の内部チャネル４９２５と、ヒール部４８５０の位置から中央部４９１１まで延在し得る第２の内部チャネル４９２６とを含んでもよい。第１の内部チャネル４９２５及び第２の内部チャネル４９２６は、第１の凹部４９１４に接続し、中央部４９１１又はその近傍で第１の凹部４９１４と同じ深さを有し得る。第１の内部チャネル４９２５及び第２の内部チャネル４９２６の深さは、第１の凹部４９１４からトウ部４８４０及びヒール部４８５０のそれぞれに向かって減少し得る。図４８〜図５３の例に示すように、第１の凹部４９１４に接続及び／又は第１の凹部４９１４に近接する第１の内部チャネル４９２５及び／又は第２の内部チャネル４９２６の部分は、第１の凹部４９１４の深さと同様であり得る一定の深さを維持してもよい。従って、第１の内部チャネル４９２５及び第２の内部チャネル４９２６は、中央部４９１１とトウ部４８４０及びヒール部の間に、より大きな体積の第１の充填材料５１１２及び／又は第２の充填材料５１１４を提供する。あるいは、第１の内部チャネル４９２５及び／又は第２の内部チャネル４９２６の全体又は一部は、それぞれ、トウ部４８４０及びヒール部４８５０に向かう方向で減少する深さを有し得る。フェース部４８６２での中心から外れたゴルフボールの打撃に関して、内部チャネル４９２５、４９２６内の第１の充填材料５１１２及び／又は第２の充填材料５１１４の増加した体積は、（ｉ）振動減衰又は音響減衰を提供することができ、（ｉｉ）フェース部４８６２に構造的支持を提供することができ、及び／又は、（ｉｉｉ）ボール移動距離、ボール速度、ボール打ち出し角度、ボールスピンレート、ボールピーク高さ、ボール着地角度、及び／又はボールばらつきを最適化することができる。更に、内部チャネル４９２５、４９２６を提供するためにボディ部４８１０から取り除かれる質量は、ゴルフクラブヘッド４８００の慣性モーメントが増加及び／又は重心位置が最適化するように、ボディ部４８１０の他の位置にシフトされ得る。本明細書に記載の装置、方法、及び製造物は、これに限定されない。
【０１３２】
内部キャビティ４９１０は、第１の凹部４９１４〜第５の凹部４９１８と内部チャネル４９２５、４９２６の間の移行領域を画定し得る追加の凹部を含んでもよい。凹部の各々は、他の凹部のいずれか１つ又は幾つかに隣接し、そこに移行し得る。例えば、図５０〜図５１に示すように、第１の凹部４９１４は、第１の凹部４９１４の上側の第３の凹部４９１６に移行及び接続し得る傾斜面４９２７を含んでもよい。更に、凹部のいずれかは、外周エッジ部４８６１に直接移行し得る。凹部及び移行領域は、内部キャビティ４９１０の全体的な形状及び／又は輪郭を共同で画定し得る。移行領域は、隣接する凹部に対して垂直、横断、又は含有する壁を含み得る。更に、移行領域は、隣接する凹部を接合する際の丸みを帯びたコーナーを含み、接合されたコーナーでの応力の集中を減少させるようにしてもよい。凹部は、中央部４９１１から外周エッジ部４８６１までの内部キャビティ４９１０の幅の、輪郭に沿った、連続的な、及び／又は段階的な減少を画定し得る。本明細書に記載の装置、方法、及び製造物は、これに限定されない。
【０１３３】
凹部４９１４〜４９１８及び内部チャネル４９２５、４９２６の形状、サイズ、幅、高さ、及び他の特性は、ゴルフクラブヘッド４８００のロフト角５１４５に関連付けられ得る。一例では、図４８〜図５３に示すように、第１の凹部４９１４及び第２の凹部４９１５は、第１の充填材料５１１２で充填され得る。第１の充填材料５１１２は、第１の凹部４９１４及び第２の凹部４９１５に射出成型され得る。充填材料５１１２は、固有の接着特性又は結合特性を有することにより、第１の充填材料５１１２と混合される結合剤で、及び／又は別の結合剤で、第１の凹部４９１４及び第２の凹部４９１５の内壁４９１２の部分を含む内壁４９１２に結合され得る。別の例では、第１の充填材料５１１２は、第１の凹部４９１４及び第２の凹部４９１５の形状に別々に成形され、結合剤で、及び／又は第２の充填材料５１１４で、第１の凹部４９１４及び第２の凹部４９１５に結合され得る。一例では、第３の凹部４９１６、第４の凹部４９１７、及び第５の凹部４９１８を含む内部キャビティ４９１０の残りの部分は、第２の充填材料５１１４で充填され得る。従って、第２の充填材料５１１４は、フェース部４８６２の背面４８６６に結合され、第１の凹部４９１４及び第２の凹部４９１５の外側の内壁４９１２の部分に結合され、第１の充填材料４２１１に露出せず且つ結合しない内壁４９１２の部分に結合され、及び／又はフェース部４８６２と第１の充填材料５１１２の間に配置され得る。本明細書に記載の装置、方法、及び製造物は、これに限定されない。
【０１３４】
第１の充填材料５１１２の幅５１２２（ＷF1）及び第２の充填材料５１１４の幅５１２４（ＷF2）は、トウ部４８４０からヒール部４８５０まで及び／又はトップ４８８０からソール部４８９０まで変化してもよく、及び／又は内部キャビティ４９１０内の位置に応じた第１の凹部４９１４、第２の凹部４９１５、第３の凹部４９１６、第４の凹部４９１７、及び／又は第５の凹部４９１８の形状に従って変化してもよい。第１の充填材料５１１２の幅５１２２は、第１の凹部４９１４及び第２の凹部４９１５の形状に従って変化し得る。第１の充填材料５１１２の幅５１２２及び／又は第２の充填材料５１１４の幅５１２４は、内部キャビティ４９１０の１つ又は複数の位置で一定又は実質的に一定で、内部キャビティ４９１０の特定の他の位置で変化し得る。一例では、第１の充填材料５１１２の幅５１２２及び／又は第２の充填材料５１１４の幅５１２４は、内部キャビティ４９１０の内壁４９１２の全て又は一部の輪郭（すなわち、凹部の輪郭）及び／又は第１の充填材料５１１２と第２の充填材料５１１４の間の境界の輪郭と同様又は実質的に同様に、内部キャビティ４９１０の１つ又は複数の位置で変化し得る。一例では、第２の充填材料５１１４は、（ｉ）振動減衰又は音響減衰（例えば、ゴルフクラブヘッド４８００を使用する個人によって知覚されるような、ゴルフクラブヘッド４８００でゴルフボールを打つときの一貫した及び／又は心地よい音及び感触）を提供することができ、（ｉｉ）フェース部４８６２に構造的支持を提供することができ、及び／又は、（ｉｉｉ）ボール移動距離、ボール速度、ボール打ち出し角度、ボールスピンレート、ボールピーク高さ、ボール着地角度、及び／又はボールばらつきを最適化することができる。第１の充填材料５１１２の幅５１２２及び第２の充填材料５１１４の幅５１２４は、比較的高い又は最適な反発係数（ＣＯＲ）がゴルフクラブヘッド４８００に提供されるように、ボール打撃領域４８６８及び／又は内部キャビティ４９１０の他の領域で決定され得る。本明細書に記載の装置、方法、及び製造物は、これに限定されない。
【０１３５】
一例では、第１の充填材料５１１２は、第１の充填材料４２１１などの本明細書に記載された任意の第１の充填材料と同様であり得る。別の例では、第１の充填材料５１１２は、ベースポリマー材料としてのポリブタジエンと、硫黄、過酸化物、金属酸化物、アセトキシシラン、又はウレタン架橋剤に基づく加硫剤との混合物を含む化合物などのゴム系材料であり得る。添加された加硫剤は、ポリブタジエン鎖の間の架橋を促進し、ポリブタジエンポリマーを加硫又は硬化させ得る。加硫剤の量は、Ｙｅｒｚｌｅｙ法、ＡＳＴＭ  Ｄ９４５−５９によって測定され得る、得られた加硫ポリマーの弾性に直接関係する可能性がある。一例では、第１の充填材料５１１２は、ポリブタジエン１００重量部あたり３重量部から７．５重量部の間の硫黄を含む化合物から形成され得る。別の例では、第１の充填材料５１１２は、ポリブタジエン１００重量部あたり４重量部から６．２５重量部の間の硫黄などの加硫剤を含む化合物から形成され得る。更に別の例では、第１の充填材料５１１２は、ポリブタジエン１００重量部あたり４．７５重量部から５．７５重量部の間の硫黄を含む化合物から形成され得る。本明細書に記載されるようなポリブタジエン及び硫黄の量は、（１）７５％から８５％の間、（２）８０％から９０％の間、（３）９０％を超える、Ｙｅｒｚｌｅｙ弾性を有する化合物を生じ得る。第１の充填材料５１１２及びその混合組成物は、本明細書に参照により組み込まれる米国特許第３，２４１，８３４号に記載された任意の化合物に類似し得る。本明細書に記載の装置、方法、及び製造物は、これに限定されない。
【０１３６】
他の添加剤をポリブタジエンと加硫剤の混合物と組み合わせて、硬化サイクルを開始してもよい。特に、酸化亜鉛及び／又はステアリン酸などの活性化剤を使用して、ポリブタジエンと加硫剤の混合物の硬化サイクルを開始し得る。一例では、使用される酸化亜鉛の量は、ポリブタジエン１００重量部あたり２重量部から５重量部の間であってもよく、及び／又は、使用されるステアリン酸の量は、ポリブタジエン１００重量部あたり０．５重量部から４重量部の間であってもよい。別の例では、使用される酸化亜鉛の量は、ポリブタジエン１００重量部あたり２．５重量部から４．５重量部の間であってもよく、及び／又は、使用されるステアリン酸の量は、ポリブタジエン１００重量部あたり１重量部から２重量部の間であってもよい。更に別の例では、使用される酸化亜鉛の量は、ポリブタジエン１００重量部あたり３．５重量部から４．５重量部の間であってもよく、及び／又は、使用されるステアリン酸の量は、ポリブタジエン１００重量部あたり１．５重量部から２．５重量部の間であってもよい。本明細書に記載の装置、方法、及び製造物は、これに限定されない。
【０１３７】
更に、他の化合物をポリブタジエンと加硫剤の混合物に組み合わせて、加硫の速度を加速させてもよい。加硫の速度を加速させることで、第１の充填材料５１１２の成形サイクルの長さを短縮することができ、硬化サイクルの間の混合物全体の熱を均一化することもできる。一例では、Ｎ−オキシジエチレンベンゾチアゾール２スルフェンアミド（商品名ＡＭＡＸと称される）、ジオルトトリルグアニジン（商品名ＤＯＴＧと称される）、及びジメチルジチオ炭酸ビスマス（商品名Ｂｉｓｍａｔｅと称される）が、加硫プロセスを加速するために使用され得る。混合物が特定の温度に達すると、これら促進剤の活性化が起こり得る。ＢｉｓｍａｔｅとＤＯＴＧの場合、活性化温度は約２３０°Ｆである一方で、ＡＭＡＸの活性化温度は約２６０°Ｆである。反応熱が混合物全体で均一化されることを保証することで、下流の速度をより一定にし、最終製品の一貫性を改善することができる。一例では、ＡＭＡＸ、ＤＯＴＧ、及びＢｉｓｍａｔｅの各々の量は、ポリブタジエン１００重量部あたり０．２５重量部から４重量部の間であり得る。別の例では、ＡＭＡＸ、ＤＯＴＧ、及びＢｉｓｍａｔｅの各々の量は、ポリブタジエン１００重量部あたり１重量部から３重量部の間であり得る。更に別の例では、ＡＭＡＸ、ＤＯＴＧ、及びＢｉｓｍａｔｅの各々の量は、ポリブタジエン１００重量部あたり１．５重量部から２．７５重量部の間であり得る。本明細書に記載の装置、方法、及び製造物は、これに限定されない。
【０１３８】
充填剤をポリブタジエンと加硫剤の混合物に添加してもよい。一例では、水和シリカを、充填剤として混合物に添加してもよい。添加された充填剤は、引き裂き抵抗及び摩擦抵抗を提供する機能を果たし得る。充填材料は、比重を過度に増大させることなく、ポリブタジエンの耐久性を改善するために含めるように選択され得る。別の例では、カーボンブラックを、充填材料として使用してもよい。更に別の例では、酸化リチウムを、充填材料として使用してもよい。一例では、使用される充填剤の量は、ポリブタジエン１００重量部あたり４重量部から１６重量部の間であり得る。別の例では、使用される充填剤の量は、ポリブタジエン１００重量部あたり５重量部から１０重量部の間であり得る。更に別の例では、使用される充填剤の量は、ポリブタジエン１００重量部あたり７重量部から８重量部の間であり得る。
【０１３９】
充填材料の量は、得られるポリマー材料の比重に影響を与える可能性があり、得られるポリマー材料の弾性に影響を与える可能性がある。一例では、ポリブタジエンと加硫剤の混合物に使用される充填材料の量は、得られるポリマー材料（すなわち、第１の充填材料５１１２）の弾性を最適化するために、１．０から１．５の間の比重を提供し得る。別の例では、ポリブタジエンと加硫剤の混合物に使用される充填材料の量は、得られるポリマー材料の弾性を最適化するために、１．１から１．４の間の比重を提供し得る。更に別の例では、ポリブタジエンと加硫剤の混合物に使用される充填材料の量は、得られるポリマー材料の弾性を最適化するために、１．０から１．０５の間の比重を提供し得る。本明細書に記載の装置、方法、及び製造物は、これに限定されない。
【０１４０】
１つ又は複数の抗酸化材料をポリマー混合物に添加して、酸化及び汚染を防止し、及び／又は得られるポリマー化合物の経時変化を抑制することができる。一例では、４メチル−６ターシャリ−ブチルフェノール（商品名Ａｎｔｉｏｘｉｄａｎｔ２２４６と称される）が、ポリブタジエン１００重量部あたり０．２５重量部から３重量部の間の量で混合物に添加され得る。使用され得る他の抗酸化材料の例は、フェニルβナフチルアミン、アルキルジフェニルアミン、及び／又はヒンダードアルキルフェノールが含まれる。本明細書に記載の装置、方法、及び製造物は、これに限定されない。
【０１４１】
本明細書に記載されたポリマー混合物の様々な要素が、混合物全体に要素の均一な分布が提供されるように、十分に混合され得る。一例では、次に、混合物を型に入れ、５００ｐｓｉ（ポンド／平方インチ）〜３０００ｐｓｉの間の圧力を約１０〜３０分間かけると同時に、混合物の温度を約２８５〜３４０°Ｆに上昇させる。別の例では、次に、混合物を型に入れ、７５０ｐｓｉから２０００ｐｓｉの間の圧力を約１２〜２５分間かけると同時に、混合物の温度を約３００〜３３０°Ｆに上昇させる。更に別の例では、次に、混合物を型に入れ、９００ｐｓｉから１１００ｐｓｉの間の圧力を約１５〜２０分間かけると同時に、混合物の温度を約３１５〜３２５°Ｆに上昇させる。混合物の処理の様々な側面（例えば、成形操作の各々の長さ、圧力、及び／又は温度）を調整して、混合物の処理の他の側面における任意の変動を補償することができる。本明細書に記載の装置、方法、及び製造物は、これに限定されない。
【０１４２】
内壁４９１２の一部に第１の充填材料５１１２を結合するための接着剤は、フェース部４８６２の材料に第１の充填材料５１１２を結合できる任意のタイプの接着剤であり得る。一例では、第１の充填材料５１１２は、本明細書に記載されるようなゴム又はゴム化合物であってもよく、フェース部４８６２は、ステンレス鋼などのスチール系材料から構成されてもよい。従って、内壁４９１２の一部に第１の充填材料５１１２を結合するための接着剤は、ゴム又はゴム化合物にスチール系材料を結合するのに使用されるタイプの接着剤であり得る。別の例では、第１の充填材料５１１２は、ゴム又はゴム化合物であってもよく、ボディ部３５１０は、チタン又はチタン合金から構成されてもよい。従って、内壁４９１２の一部に第１の充填材料５１１２を結合するための接着剤は、ゴム又はゴム化合物にチタン系材料を結合するのに使用されるタイプの接着剤であり得る。別の例では、第２の充填材料５１１４を、内壁４９１２の一部に第１の充填材料５１１２を結合するために使用してもよい。ボディ部４８１０、フェース部４８６２、及び／又は第２の充填材料５１１４の任意の部分への第１の充填材料５１１２の結合と、ボディ部４８１０、フェース部４８６２、及び／又は第１の充填材料５１１２の任意の部分への第２の充填材料５１１４の結合は、参照により組み込まれる出願のいずれかに記載された任意の結合特性及び手順と同様であり得る。本明細書に記載の装置、方法、及び製造物は、これに限定されない。
【０１４３】
一例（不図示）では、内部キャビティ４９１０は、第１の充填材料５１１２で完全に充填され得る。別の例では、図４８〜図５３に示すように、内部キャビティ４９１０は、第１の充填材料５１１２で部分的に充填され得る。従って、第１の内部キャビティ４９１０の残りの部分は、第２の充填材料５１１４で充填され得る。本明細書に記載されるように、第２の充填材料５１１４は、第１の充填材料５１１２と内壁４９１２の一部及び／又はフェース部４８６２との結合を（例えば、単独で、又は、１つ又は複数の接着剤と組み合わせて）提供又は支援し得る。言い換えれば、第２の充填材料５１１４は、フェース部４８６２の内壁４９１２及び／又は背面４８６６に結合された第１の充填材料５１１２の維持を支援又は維持し得る。本明細書に記載の装置、方法、及び製造物は、これに限定されない。
【０１４４】
第２の充填材料５１１４は、フェース部４８６２からゴルフボールへのエネルギー伝達を最適化するように、密度、圧縮、硬度（すなわち、デュロメータ）、引張強度、せん断強度、粘度、弾性などの第１の充填材料５１１２とは異なる１つ又は複数の特性を有し得る。第２の充填材料は、ポリマー材料であり得る。第２の充填材料は、第２の充填材料４２１３などの本明細書に記載された任意の第２の充填材料と同様であり得る。本明細書に記載の装置、方法、及び製造物は、これに限定されない。
【０１４５】
第２の充填材料５１１４は、第１の充填材料５１１２より小さいＣＯＲを有し得る。一例では、第２の充填材料５１１４のＣＯＲは、第１の充填材料５１１２のＣＯＲの１％から１０％の間ほど小さくてもよい。別の例では、第２の充填材料５１１４のＣＯＲは、第１の充填材料５１１２のＣＯＲの２％から５％の間ほど小さくてもよい。別の例では、第２の充填材料５１１４のＣＯＲは、第１の充填材料５１１２のＣＯＲの２％から４％の間ほど小さくてもよい。
【０１４６】
一例では、第１の充填材料５１１２は、５４から７６の間のショアＡ硬度を有し得る。別の例では、第１の充填材料５１１２は、６０から７０の間のショアＡ硬度を有し得る。別の例では、第１の充填材料５１１２は、６２から６８の間のショアＡ硬度を有し得る。更に別の例では、第１の充填材料５１１２は、６０から７５の間のショアＡ硬度を有し得る。第２の充填材料５１１４は、第１の充填材料５１１２とは異なる硬度を有し得る。一例では、第２の充填材料５１１４は、５５から８０の間のショアＤ硬度を有し得る。別の例では、第２の充填材料５１１４は、５０から８５の間のショアＤ硬度を有し得る。別の例では、第２の充填材料５１１４は、６０から７５の間のショアＤ硬度を有し得る。更に別の例では、第２の充填材料５１１４は、６２から７３の間のショアＤ硬度を有し得る。本明細書に記載の装置、方法、及び製造物は、これに限定されない。
【０１４７】
一例では、第１の充填材料５１１２の質量は、ゴルフクラブヘッド４８００の総質量の０．５％から６．０％の間であり得る。別の例では、第１の充填材料５１１２の質量は、ゴルフクラブヘッド４８００の総質量の１．０％から５．０％の間であり得る。別の例では、第１の充填材料５１１２の質量は、ゴルフクラブヘッド４８００の総質量の２．０％から４．０％の間であり得る。別の例では、第１の充填材料５１１２の質量は、ゴルフクラブヘッド４８００の総質量の５％より大きくてもよい。更に別の例では、ボディ部４８１０は、本明細書に記載されるように、第１の充填材料５１１２で完全に充填され得る。本明細書に記載の装置、方法、及び製造物は、これに限定されない。
【０１４８】
一例では、第２の充填材料５１１４の質量は、ゴルフクラブヘッド４８００の総質量の２．０％から１４．０％の間であり得る。別の例では、第２の充填材料５１１４の質量は、ゴルフクラブヘッド４８００の総質量の３．０％から１２．０％の間であり得る。別の例では、第２の充填材料５１１４の質量は、ゴルフクラブヘッド４８００の総質量の５．０％から１０．０％の間であり得る。別の例では、第２の充填材料５１１４の質量は、ゴルフクラブヘッド４８００の総質量の１０％より大きくてもよい。本明細書に記載の装置、方法、及び製造物は、これに限定されない。
【０１４９】
本明細書に記載されるように、フェース部４８６２は、ゴルフボールの打撃中のフェース部４８６２の屈曲及び撓みが増大するように、比較的薄くてもよい。更に、フェース部４８６２は、フェース部４８６２の可撓性が更に高まるように、本明細書に記載されるように、フェース部４８６２の背面４８６６に１つ又は複数の溝（例えば、図６５に示される溝５４６９など）を含み得る。第２の充填材料５１１４は、比較的高い強度及び剛性を有するポリマー材料であり、フェース部４８６２に構造的支持を提供し、ゴルフボールの打撃中又はゴルフボールの打撃の反復におけるフェース部４８６２の破損（すなわち、フェース部疲労）を防止する。第２の充填材料５１１４はまた、ゴルフボールの打撃後のフェース部４８６２にリバウンド効果が提供されるように、本明細書に記載されるような比較的高いＣＯＲを有し得る。本明細書に更に記載されるように、第１の充填材料５１１２は、第２の充填材料５１１４よりも強度及び剛性が低く（すなわち、軟質又は低剛性）、第２の充填材料５１１４よりＣＯＲが高い、ゴム系化合物であり得る。従って、第１の充填材料５１１２は、フェース部４８６２に追加の構造的支持を提供することができる。更に、第１の充填材料５１１２の比較的低いＣＯＲは、第１の充填材料５１１２がゴルフボールの打撃からのエネルギーを蓄積し、フェース部４８６２に比較的高いリバウンド効果を提供することで、ゴルフボールにかなりの量のエネルギーを戻すことができる（すなわち、衝撃エネルギーをあまり失わない）。更に、本明細書に記載されるような第１の充填材料５１１２と第２の充填材料５１１４の異なる材料特性は、異なる周波数範囲で音及び振動を減衰させて、個人に心地よい音及び感触を適用することができる。本明細書に記載の装置、方法、及び製造物は、これに限定されない。
【０１５０】
本明細書に記載されるように、第１の充填材料５１１２は、（１）７５％から８５％の間、（２）８０％から９０％の間、（３）９０％を超える、弾性（すなわち、Ｙｅｒｚｌｅｙ弾性）を有し得る。第１の充填材料５１１２の比較的高い弾性は、フェース部４８６２がゴルフボールに当たった後のフェース部４８６２の撓みに応じたフェース部４８６２のリバウンド速度及び／又は加速に直接関係し得る。従って、比較的高い弾性を持つ第１の充填材料５１１２を有するゴルフクラブヘッドは、比較的低い弾性を持つ第１の充填材料５１１２を有するゴルフクラブヘッドよりも、ゴルフボールに比較的長い距離を提供することができる。第１の充填材料５１１２の圧縮の量も、フェース部がゴルフボールに当たった後のフェース部４８６２のリバウンド速度及び／又は加速に直接関係し得る。第１の充填材料５１１２の特定の量の圧縮は、フェース部４８６２に最適なリバウンド効果を提供することができる。第１の充填材料５１１２の圧縮を特定の量を超えて増加させると、第１の充填材料５１１２を通じて過剰な量の圧縮エネルギーを散逸させることにより、フェース部４８６２のリバウンドに悪影響を及ぼす可能性がある。従って、フェース部４８６２がゴルフボールに当たるときに、第１の充填材料５１１２が過度に圧縮されていない場合、本明細書に記載されるように、比較的高い弾性を有し得る。第１の充填材料５１１２の過度の圧縮を制御及び／又は抑制するために、第２の充填材料５１１４は、本明細書に記載されるように、フェース部４８６２と第１の充填材料５１１２の間に配置され得る。第２の充填材料５１１４は、フェース部４８６２から第１の充填材料５１１２にゴルフボールのリバウンドエネルギーを効果的に伝達及び均一に分散し、第１の充填材料５１１２の過度の圧縮、特に局所的な圧縮を抑制して、第１の充填材料５１１２からフェース部４８６２への反発エネルギーの最適又は実質的に最適で概ね均一な伝達を提供することができる。本明細書に記載の装置、方法、及び製造物は、これに限定されない。
【０１５１】
第２の充填材料５１１４はまた、フェース部４８６２の振動を減衰させて、ゴルフクラブヘッド４８００に特定の音及び感触を提供することができる。従って、第１の充填材料５１１２と第２の充填材料５１１４の組み合わせは、広い周波数範囲内でフェース部４８６２の振動を減衰させて、ゴルフクラブヘッド４８００に特定の音及び感触を提供することができる。第２の充填材料５１１４はまた、フェース部４８６２に特定のリバウンド及び／又は加速を提供するように寄与して、ゴルフクラブヘッド４８００からゴルフボールへのエネルギーの伝達を最適化することができる。言い換えれば、第２の充填材料５１１４は、第１の充填材料５１１２と協働してフェース部４８６２のリバウンドを最適化して、ゴルフボールの速度及び距離を最適化することができる。更に、本明細書に記載されるように、第２の充填材料５１１４は、第１の充填材料５１１２とフェース部４８６２の間の接着剤として機能し、第１の充填材料５１１２とフェース部４８６２の間の連続的及び／又は均一なエネルギー伝達を提供することができる。本明細書に記載の装置、方法、及び製造物は、これに限定されない。
【０１５２】
図５４〜図６５の例では、ゴルフクラブヘッド５４００は、トウ部エッジ５４４２を持つトウ部５４４０と、ゴルフクラブを形成するために一方の端部にグリップ（不図示）を有すると共に他方の端部にゴルフクラブヘッド５４００を有するシャフト（不図示）を受け入れるように構成されるホーゼル部５４５５を含み得るヒール部エッジ５４５２を持つヒール部５４５０と、外周エッジ部５４６１を持つフロント部５４６０と、バックウォール部５４７２を持つバック部５４７０と、トップ部エッジ５４８２を持つトップ部５４８０と、ソール部エッジ５４９２を持つソール部５４９０とを有するボディ部５４１０を含み得る。トウ部５４４０、ヒール部５４５０、フロント部５４６０、バック部５４７０、トップ部５４８０、及び／又はソール部５４９０は、互いに部分的に重なり合ってもよい。トウ部エッジ５４４２、ヒール部エッジ５４５２、トップ部エッジ５４８２、及びソール部エッジ５４９２は、ボディ部５４１０の外周を画定し得る。本明細書に記載の装置、方法、及び製造物は、これに限定されない。
【０１５３】
ゴルフクラブヘッド５４００は、アイアン系ゴルフクラブヘッド（例えば、１番アイアン、２番アイアン、３番アイアン、４番アイアン、５番アイアン、６番アイアン、７番アイアン、８番アイアン、９番アイアンなど）、又はウェッジ系ゴルフクラブヘッド（例えば、ピッチングウェッジ、ロブウェッジ、サンドウェッジ、４４°（度），４８°，５２°，５６°，６０°などのｎ度ウェッジなど）であり得る。図５４〜図６５は、特定のタイプのゴルフクラブヘッドを示すが、本明細書に記載の装置、方法、及び製造物は、他のタイプのゴルフクラブヘッド（例えば、ドライバー系ゴルフクラブヘッド、フェアウェイウッド系ゴルフクラブヘッド、ハイブリッド系ゴルフクラブヘッド、パター系ゴルフクラブヘッドなど）に適用可能であり得る。ゴルフクラブヘッド５４００の体積、ゴルフクラブヘッド５４００の構成材料、及び／又はその任意の構成要素は、本明細書に記載及び／又は参照により組み込まれる出願のいずれかに記載された任意のゴルフクラブヘッドと同様であり得る。本明細書に記載の装置、方法、及び製造物は、これに限定されない。
【０１５４】
ゴルフクラブヘッド５４００は、ボディ部５４１０（例えば、１つの単一部品）と一体的に形成され得るフェース部５４６２（すなわち、打撃面）を含んでもよい。一例では、図５４〜図６５に示すように、フェース部５４６２は、フロント部５４６０に（例えば、接着で、機械的に、溶接で、及び／又は半田付けにより）結合された別個の部品であり得る。フェース部５４６２は、前面５４６４及び背面５４６６を含み得る。一例（不図示）では、フロント部５４６０は、ボディ部５４１０にフェース部５４６２を取り付けるためにフェース部５４６２を受け入れるように構成された１つ又は複数の凹んだショルダー部を含み得る。別の例では、図５４〜図６５に示すように、背面５４６６は、ボディ部５４１０の外周エッジ部５４６１に取り付けられ得る外周部５４６７を含んでもよい。フェース部５４６２の外周部５４６７は、１つ又は複数の留め具、１つ又は複数の接着剤又は結合剤、及び／又は溶接又は半田付けによって、ボディ部５４１０の外周エッジ部５４６１に取り付けられ得る。一例では、図５４〜図６５に示すように、フェース部５４６２の外周部５４６７は、１つ又は複数の位置でボディ部５４１０の外周エッジ部５４６１に溶接され得る。あるいは、フェース部５４６２の外周部５４６７の全体が、ボディ部５４１０の外周エッジ部５４６１の全体に溶接（すなわち、連続溶接）され得る。フェース部５４６２は、ゴルフボールを打つためのボール打撃領域５４６８を含み得る。一例では、ボール打撃領域５４６８の中心は、フェース部５４６２の幾何学的中心５４６３であり得る。別の例では、フェース部５４６２の幾何学的中心５４６３は、ボール打撃領域５４６８の中心からオフセットされ得る。一例では、幾何学的中心５４６３、及び、ボール打撃領域４１６８内の幾何学的中心の近傍及び／又は幾何学的中心を取り囲む１つ又は複数の領域は、ゴルフボールを打つためのフェース部５４６２上の概ね最適な位置（すなわち、最適なボール飛距離、ボール速度、ボールスピン特性など）を提供し得る。更に別の例では、幾何学的中心５４６３又はその近傍及びボール打撃領域４８６８内の任意の位置が、ゴルフボールを打つためのフェース部５４６２上の概ね最適な位置を提供し得る。しかしながら、ボールは、本明細書に記載された任意のゴルフクラブヘッドにおけるボール打撃領域５４６８内又はボール打撃領域５４６８外のフェース部５４６２の任意の位置で打たれる可能性があり、個人が好む中心での打撃とは異なる特定のボール飛行特性がもたらされる。フェース部５４６２の構成及びボディ部５４１０に対するフェース部５４６２の取り付け（例えば、溶接）は、本明細書に記載及び／又は参照により組み込まれる出願のいずれかに記載された任意のゴルフクラブヘッドと多くの点で類似し得る。本明細書に記載の装置、方法、及び製造物は、これに限定されない。
【０１５５】
ゴルフクラブヘッド５４００は、接地平面５７１０、水平中央平面５７２０、及び頂上平面５７３０に関連付けられ得る。特に、接地平面５７１０は、地面に平行又は実質的に平行で、且つ、ゴルフクラブヘッド５４００がアドレス位置にあるとき（例えば、ゴルフクラブヘッド５４００がゴルフボールを打つように位置合わせされたとき）にソール部エッジ５４９２の最下端に接する平面であり得る。頂上平面５７３０は、ゴルフクラブヘッド５４００がアドレス位置にあるときにトップ部エッジ５４８２の最上端に接する平面であり得る。接地平面５７１０及び頂上平面５７３０は、それぞれ、互いに平行又は実質的に平行であり得る。水平中央平面５７２０は、接地平面５７１０と頂上平面５７３０のそれぞれの間の垂直方向の中間にあり得る。更に、ゴルフクラブヘッド５４００は、ゴルフクラブヘッド５４００のロフト角５７４５（α）を画定するロフト平面５７４０に関連付けられ得る。ロフト平面５７４０は、フェース部５４６２に対する接平面であり得る。ロフト角５７４５は、ロフト平面５７４０と、接地平面５７１０に対して垂直な垂直面５７５０との間の角度によって画定され得る。
【０１５６】
ボディ部５４１０は、内壁５５１２を有する内部キャビティ５５１０を含む中空体であり得る。内部キャビティ５５１０は、フロント部５４６０、バック部５４７０、トップ部５４８０、及びソール部５４９０の間に延在し得る。図５４〜図６５の例では、ボディ部５４１０の内部キャビティ５５１０は、フェース部５４６２で封止されると共にフェース部５４６２で部分的に画定され得る。内部キャビティ５５１０の構成（例えば、高さ、幅、体積、形状など）、ボディ部５４１０に対する内部キャビティ５５１０の構成（例えば、ボディ部５４１０の体積に対する内部キャビティ５５１０の体積）、内部キャビティ５５１０の幅及び高さの変化、及び、ボディ部５４１０の１つ又は複数のポートからの内部キャビティ５５１０へのアクセスは、本明細書に記載及び／又は参照により組み込まれる出願のいずれかに記載された任意のゴルフクラブヘッドと同様であり得る。本明細書に記載の装置、方法、及び製造物は、これに限定されない。
【０１５７】
バック部５４７０のバックウォール部５４７２は、上側バックウォール部５８１２及び下側バックウォール部５８１４を含み得る。バックウォール部５４７２は、トウ部エッジ５４４２とヒール部エッジ５４５２の間に連続的又は不連続的に延在し得るレッジ部５８１６を含んでもよい。下側バックウォール部５８１４は、上側バックウォール部５８１２と下側バックウォール部５８１４の間の移行部分を画定するレッジ部５８１６によって、上側バックウォール部５８１２よりもボディ部５４１０の後方に配置され得る。従って、レッジ部５８１６は、上側バックウォール部５８１２及び下側バックウォール部５８１４に対して横方向に延在し得る。一例では、図５４〜図６５に示すように、レッジ部５８１６は、第１のレッジ部５８２６及び第２のレッジ部５８３６を含み得る。第１のレッジ部５８２６は、トウ部エッジ５４４２からバックウォール部５４７２のバックウォール中央部５８４０までバックウォール部上に延在し得る。第２のレッジ部５８３６は、バックウォール部５４７２の中央部５８４０からヒール部エッジ５４５２まで延在し得る。図５４〜図６５に示すように、レッジ部５８１６は、水平中央平面５７２０の下側にボディ部５４１０の比較的大きい質量を提供することができ、水平中央平面５７２０の下側のボディ部５４１０の質量をボディ部５４１０のより後方に移動させることができる。レッジ部５８１６の幅は、ボディ部５４１０の特定の位置での内部キャビティの幅より大きくてもよく、等しくてもよく、小さくてもよい。レッジ部５８１６の構成（例えば、幅、区分、テーパ、形状など）及び内部キャビティの幅に対するレッジ部５８１６の特性は、本明細書に記載及び／又は参照により組み込まれる出願のいずれかに記載された任意のゴルフクラブヘッドと同様であり得る。本明細書に記載の装置、方法、及び製造物は、これに限定されない。
【０１５８】
ボディ部５４１０は、外部ポート及び／又は内部ポート（例えば、ボディ部５４１０の内部に配置）であり得る１つ又は複数のポートを含んでもよい。内部キャビティ５５１０の内壁５５１２は、１つ又は複数のポート（不図示）を含み得る。一例では、図５４〜図６５に示すように、バック部５４７０は、ボディ部５４１０の外周に沿って又はその近傍に１つ又は複数のポートを含み得る。例えば、ボディ部５４１０は、第１セットのポート５５２０（例えば、ポート５５２１、５５２２として示される）と、第２セットのポート５５３０（例えば、ポート５５３１、５５３２として示される）と、第３セットのポート５５４０（例えば、ポート５５４１、５５４２、５５４３として示される）と、第４セットのポート５５５０（例えば、ポート５５５１、５５５２として示される）とを含み得る。第１セットのポート５５２０、第２セットのポート５５３０、第３セットのポート５５４０、及び／又は第４セットのポート５５５０の各ポートの位置、他のポートとの間隔、及び他の任意の構成は、本明細書に記載又は参照により組み込まれる出願のいずれかに記載された任意のポートと多くの点で類似し得る。更に、第１セットのポート５５２０、第２セットのポート５５３０、第３セットのポート５５４０、及び／又は第４セットのポート５５５０の任意の１つ又は複数のポートは、内部キャビティ５５１０に接続されてもよく、それを通じて１つ又は複数の充填材料が内部キャビティ５５１０に注入され得る。図５４〜図６５の例では、ポート５５２１、５５３１、５５５１は、それぞれ、開口部５５６１、５５７１、５５８１を介して内部キャビティ５５１０に接続され得る。本明細書に記載の装置、方法、及び製造物は、これに限定されない。
【０１５９】
第１セットのポート５５２０の各ポートは、第１セットのポート５５２０のいずれかのポートのポート直径よりも小さい距離だけ離され得る。第２セットのポート５５３０の各ポートは、第２セットのポート５５３０のいずれかのポートのポート直径よりも小さい距離だけ離され得る。第３セットのポート５５４０の各ポートは、第３セットのポート５５４０のいずれかのポートのポート直径よりも小さい距離だけ離され得る。第４セットのポート５５５０の各ポートは、第３セットのポート５５５０のいずれかのポートのポート直径よりも小さい距離だけ離され得る。一例では、第１セットのポート５５２０と第２セットのポート５５３０は、第１セットのポート５５２０と第２セットのポート５５３０のいずれかのポートのポート直径よりも大きい距離だけ離間され得る。別の例では、第２セットのポート５５３０と第３セットのポート５５４０は、第２セットのポート５５３０と第３セットのポート５５４０のいずれかのポートのポート直径よりも大きい距離だけ離間され得る。更に別の例では、第３セットのポート５５４０と第４セットのポート５５５０は、第３セットのポート５５４０と第４セットのポート５５５０のいずれかのポートのポート直径よりも大きい距離だけ離間され得る。本明細書に記載の装置、方法、及び製造物は、これに限定されない。
【０１６０】
図面ではポートを別々な個々の部品として示しているが、第１セットのポート５５２０、第２セットのポート５５３０、第３セットのポート５５４０、及び第４セットのポート５５５０の各セット又は隣接するポートのセットの組み合わせは、それぞれ、単一のポートであり得る。一例では、第１セットのポート５５２０の全てのポートを組み合わせて単一のポート（例えば、第１のポート）にしてもよい。別の例では、第２セットのポート５５３０の全てのポートを組み合わせて単一のポート（例えば、第２のポート）にしてもよい。別の例では、第３セットのポート５５４０の全てのポートを組み合わせて単一のポート（例えば、第３のポート）にしてもよい。更に別の例では、第４セットのポート５５５０の全てのポートを組み合わせて単一のポート（例えば、第４のポート）にしてもよい。図面では特定の数のポートを示しているが、本明細書に記載の装置、方法、及び製造物は、より多い数又はより少ない数のポートを含み得る。
【０１６１】
ボディ部５４１０は、ボディ部５４１０に結合される一体的な質量部又は別々の質量部であり得る１つ又は複数の質量部（例えば、ウェイト部）を含んでもよい。図５４〜図６５に示すような例では、ボディ部５４１０は、第１セットの質量部５６２０（例えば、質量部５６２１、５６２２として示される）と、第２セットの質量部５６３０（例えば、質量部５６３１、５６３２として示される）と、第３セットの質量部５６４０（例えば、質量部５６４１、５６４２、５６４３として示される）と、第４セットの質量部５６５０（例えば、質量部５６５１、５６５２として示される）とを含み得る。上記の例では質量部の特定の数又は部分を説明したが、参照により組み込まれる出願のいずれかに記載されたように、質量部のセットは、単一の質量部又は複数の質量部を含み得る。例えば、第１セットの質量部５６２０、第２セットの質量部５６３０、第３セットの質量部５６４０、及び／又は第４セットの質量部５６５０における隣接し合う質量部のセットのいずれか１つ又は組み合わせは、単一の質量部であり得る。更に、第１セットの質量部５６２０、第２セットの質量部５６３０、第３セットの質量部５６４０、及び／又は第４セットの質量部５６５０は、ボディ部５４１０の物理的構造の一部であり得る。第１セットの質量部５６２０、第２セットの質量部５６３０、第３セットの質量部５６４０、及び／又は第４セットの質量部５６５０は、参照により組み込まれる出願のいずれかに記載された任意の質量部と同様であり得る。本明細書に記載の装置、方法、及び製造物は、これに限定されない。
【０１６２】
内部キャビティ５５１０は、１つ又は複数の類似又は異なるタイプの材料を含み得る１つ又は複数の充填材料（すなわち、キャビティ充填材料）で、部分的に又は完全に充填されてもよい。一例では、図５４〜図６５に示すように、内部キャビティ５５１０は、第１の充填材料５７１２と第２の充填材料５７１４で充填され得る。一例では、本明細書に記載されるように、第１の充填材料５７１２は、第１の充填材料５１１２と同様であってもよく、第２の充填材料５７１４は、第２の充填材料５１１４と同様であってもよい。従って、第１の充填材料５７１２は、ゴム又はゴム化合物であってもよく、第２の充填材料５７１４は、エポキシ系の材料であってもよい。別の例では、第１の充填材料５７１２及び第２の充填材料５７１４は、本明細書に記載又は参照により組み込まれる出願のいずれかに記載された任意の充填材料と同様であってもよい。本明細書に記載の装置、方法、及び製造物は、これに限定されない。
【０１６３】
第１の充填材料５７１２は、内部キャビティ５５１０の内壁５５１２の全体又は一部に結合され得る。一例では、第１の充填材料５７１２は、内壁５５１２の全体又は一部に取り付けるための固有の接着特性又は結合特性を有し得る。別の例では、第１の充填材料５７１２は、第１の充填材料５７１２と混合され得る１つ又は複数の結合剤又は接着剤で、内壁５５１２の全体又は一部に取り付けられてもよい。別の例では、第１の充填材料５７１２は、第１の充填材料５７１２から分離され得る１つ又は複数の結合剤又は接着剤で、内壁５５１２の全体又は一部に取り付けられてもよい。本明細書に記載の装置、方法、及び製造物は、これに限定されない。
【０１６４】
一例では、図５６、図５７に示すように、第１の充填材料５７１２は、フェース部５４６２のボール打撃領域５４６８に概ね対応し得る内壁５５１２の少なくとも一部に結合されてもよく（すなわち、第１の充填材料５７１２は概ねボール打撃領域５４６８の背後に配置され得る）、フェース部５４６２のボール打撃領域５４６８の近傍及び／又はその周囲の領域に結合されてもよい。別の例では、第１の充填材料５７１２は、内壁５５１２の少なくとも１０％に結合され得る。別の例では、第１の充填材料５７１２は、内壁５５１２の少なくとも２５％に結合され得る。更に別の例では、第１の充填材料５７１２は、内壁５５１２の２５％から５０％の間に結合され得る。別の例では、第１の充填材料５７１２は、内壁５５１２の４１％から７５％の間に結合され得る。更に別の例では、第１の充填材料５７１２は、内壁５５１２の５０％から９０％の間に結合され得る。更に別の例では、第１の充填材料５７１２は、内壁５５１２の７５％より多くに結合され得る。更に別の例では、第１の充填材料５７１２は、内壁５５１２の全体に結合され得る。本明細書に記載の装置、方法、及び製造物は、これに限定されない。
【０１６５】
一例では、表４に示すように、第１の充填材料５７１２の体積の範囲（Ｖr ）は、ボディ部５４１０の質量（Ｖb ）及び内部キャビティ５５１０の体積（Ｖc ）に関して表され得る。更に、表４に示すように、第１の充填材料５７１２の質量（ｍr ）及び第２の充填材料５７１４の質量（ｍf ）は、ボディ部５４１０の質量（ｍb ）に関して表され得る。
【表４】
0006989730.tif 000012
【０１６６】
表４の例に示すように、内部キャビティ５５１０内にあり、及び／又は内壁５５１２に結合され得る、第１の充填材料５７１２の量は、ゴルフクラブヘッド（例えば、４番アイアン、７番アイアン、ＰＷなど）のロフト角に依存し得る。別の例では、ボディ部５４１０の体積に対する第１の充填材料５７１２の体積の比率は、２．５％以上３０％以下であり得る。別の例では、ボディ部５４１０の体積に対する第１の充填材料５７１２の体積の比率は、１５％以上５０％以下であり得る。別の例では、ボディ部５４１０の質量に対する第１の充填材料５７１２の質量の比率は、０．７５％以上７．５％以下であり得る。別の例では、ボディ部５４１０の体積に対する第１の充填材料５７１２の体積の比率は、５０％より大きくてもよい。別の例では、ボディ部５４１０の体積に対する第１の充填材料５７１２の体積の比率は、１００％又は略１００％であり得る（すなわち、内部キャビティ５５１０は第１の充填材料５７１２で完全に充填される）。更に別の例では、ボディ部５４１０の質量に対する第２の充填材料５７１２の質量の比率は、２．０％以上１０％以下であり得る。表４は、特定のロフト角又はロフト角範囲を有するものとしてラベル付けされたゴルフクラブヘッドをリスト化しているが、表４のゴルフクラブヘッドの各々は、表４の隣接するゴルフクラブヘッドのロフト角範囲と部分的に類似又は重複し得る、特定のロフト角範囲を含んでもよい。本明細書に記載の装置、方法、及び製造物は、これに限定されない。
【０１６７】
内部キャビティ内にあり得る第１の充填材料５７１２の量は、フェース部５４６２の全体の厚さ、フェース部５４６２の厚さプロファイル、内部キャビティ５５１０の形状、任意のポート又は質量部の位置及び構成、第１の充填材料５７１２の材料特性、及び／又は第２の充填材料５７１４の材料特性に依存してもよい。一例では、比較的大きいロフト角を有するゴルフクラブヘッドは、第１の充填材料５７１２が結合され得る内壁５５１２の部分を制限してもよい。別の例では、比較的小さいロフト角を有するゴルフクラブヘッドは、第１の充填材料５７１２が内壁５５１２の全体又は実質的な部分に結合され得る。更に別の例では、ゴルフクラブヘッドの音響特性は、個人に心地よい音及び感触を提供するように内壁５５１２に結合され得る充填材料５７１２の量を決定する要因となり得る。内壁５５１２に結合された第１の充填材料５７１２の量（すなわち、体積及び／又は質量）は、各ゴルフクラブヘッド（すなわち、特定のロフト角を有する）に対して決定されてもよく、（ｉ）振動減衰又は音響減衰（例えば、ゴルフクラブヘッド５４００を使用する個人によって知覚されるような、ゴルフクラブヘッド５４００でゴルフボールを打つときの一貫した及び／又は心地よい音及び感触）を提供することができ、（ｉｉ）フェース部５４６２に構造的支持を提供することができ、及び／又は、（ｉｉｉ）ボール移動距離、ボール速度、ボール打ち出し角度、ボールスピンレート、ボールピーク高さ、ボール着地角度、及び／又はボールばらつきを最適化することができる。本明細書に記載の装置、方法、及び製造物は、これに限定されない。
【０１６８】
図５４〜図６５の例では、内部キャビティ５５１０の中央部５５１１を含む内部キャビティ５５１０の一部は、ボール打撃領域５４６８に概ね対応し得る内部キャビティ５５１０の一部であってもよく、第１の充填材料５７１２及び第２の充填材料５７１４を含み得る。内部キャビティ５５１０の中央部５５１１での内部キャビティ５５１０の幅５５１３は、内部キャビティ５５１０の他の部分での内部キャビティ５５１０の幅５５１３よりも概ね大きくてもよい。従って、ボール打撃領域５４６８の背後の内部キャビティ５５１０の領域、すなわち、中央部５５１１は、比較的大量の第１の充填材料５７１２及び／又は第２の充填材料５７１４を含み得る。更に、中央部５５１１の構成（すなわち、サイズ、形状、輪郭、体積など）は、ロフト角５７４５に依存し得る。例えば、比較的小さいロフト角５７４５を有するゴルフクラブヘッド５４００は、比較的大きいロフト角５７４５を有するゴルフクラブヘッド５４００よりも大きい中央部５５１１（すなわち、より大きい体積、深さ、高さなど）を有し得る。従って、本明細書に記載されるように、内部キャビティ５５１０内、より具体的には、中央部５５１１の第１の充填材料５７１２及び／又は第２の充填材料５７１４の量は、ロフト角５７４５に基づいて決定されてもよく、（ｉ）振動減衰又は音響減衰（例えば、ゴルフクラブヘッド５４００を使用する個人によって知覚されるような、ゴルフクラブヘッド５４００でゴルフボールを打つときの一貫した及び／又は心地よい音及び感触）を提供することができ、（ｉｉ）フェース部５４６２に構造的支持を提供することができ、及び／又は、（ｉｉｉ）ボール移動距離、ボール速度、ボール打ち出し角度、ボールスピンレート、ボールピーク高さ、ボール着地角度、及び／又はボールばらつきを最適化することができる。本明細書に記載の装置、方法、及び製造物は、これに限定されない。
【０１６９】
内部キャビティ５５１０の輪郭又は内壁５５１２の形状は、外周エッジ部５４６１に対して凹んだ複数の凹部によって画定され得る。図５４〜図６５の例では、内部キャビティ５５１０は、第１の凹部５５１４と、第１の凹部５５１４よりも概ね小さい深さ（すなわち、図５７〜図４０の断面図で見た内部キャビティ５５１３によって画定される）を有し得る第２の凹部５５１５と、第２の凹部５５１５よりも概ね小さい深さを有し得る第３の凹部５５１６と、第３の凹部５５１６よりも概ね小さい深さを有し得る第４の凹部５５１７と、第４の凹部５５１７よりも概ね小さい深さを有し得る第５の凹部５５１８とを含んでもよい。内部キャビティ５５１０は、より多い又はより少ない凹部を有し得る。本明細書に記載の装置、方法、及び製造物は、これに限定されない。
【０１７０】
第１の凹部５５１４は、概ね、内部キャビティ５５１０の最大幅５５１３を含んでもよく、中央部５５１１に位置してもよく、及び／又は中央部５５１１に隣接又は取り囲む部分を有してもよい。第２の凹部５５１５は、第１の凹部５５１４の全体又は一部に隣接及び／又は取り囲んでもよく、中央部５５１１にあり得る部分を含んでもよい。図５４〜図６５の例では、第２の凹部５５１５は、第１の凹部５５１４の下側に位置する。第３セットのポート５５４０を含むボディ部５４１０の構造の一部は、第２の凹部５５１５と下側バックウォール部５８１４の間にあり得る。従って、第２の凹部５５１５の深さは、ボディ部５４１０が第２の凹部５５１５と下側バックウォール部５８１４の間の第３セットのポート５５４０を収容できるように、第１の凹部５５１４の深さより小さくてもよい。本明細書に記載の装置、方法、及び製造物は、これに限定されない。
【０１７１】
第３の凹部５５１６は、第２の凹部５５１５及び／又は第１の凹部５５１４の全体又は一部に隣接及び／又は取り囲んでもよく、中央部５５１１にあり得る部分を含んでもよい。図５４〜図６５の例では、第３の凹部５５１６は、水平中央平面５７２０の上側で第１の凹部５５１４を取り囲む。第４の凹部５５１７は、外周エッジ部５４６１又はその近傍にあってもよく、及び／又は、第３の凹部５５１６、第２の凹部５５１５及び／又は第１の凹部５５１４の全体又は一部に隣接及び／又は取り囲んでもよい。図５４〜図６５の例では、第４の凹部５５１７は、水平中央平面５７２０の下側の第１の凹部５５１４及び第２の凹部５５１５の部分に隣接する。第２セットのポート５５３０及び第４セットのポート５５５０を含むボディ部５４１０の構造の一部は、第４の凹部５５１７と下側バックウォール部５８１４の間にあり得る。従って、第４の凹部５５１７の深さは、ボディ部５４１０が第４の凹部５５１７と下側バックウォール部５８１４の間の第２セットのポート５５３０及び第４セットのポート５５５０を収容できるように、第１の凹部５５１４及び第２の凹部５５１５の深さより小さくてもよい。本明細書に記載の装置、方法、及び製造物は、これに限定されない。
【０１７２】
第５の凹部５５１８は、外周エッジ部５４６１に隣接し得る。従って、第５の凹部５５１８を含む内部キャビティ５５１０の任意の位置で、第５の凹部５５１８は、外周エッジ部５４６１と、第１の凹部５５１４、第２の凹部５５１５、第３の凹部５５１６、第４の凹部５５１７のいずれかとの間にあり得る。第１セットのポート５５２０を含むボディ部５４１０の構造の一部は、第５の凹部５５１８と上側バックウォール部５８１２の間にあり得る。従って、第５の凹部５５１８の深さは、ボディ部５４１０が第５の凹部５５１８と上側バックウォール部５８１２の間の第１セットのポート５５２０を収容できるように、第３の凹部５５１６に隣接する部分の深さより小さくてもよい。本明細書に記載の装置、方法、及び製造物は、これに限定されない。
【０１７３】
内部キャビティ５５１０は、トウ部５４４０とヒール部５４５０の間に延在し得る１つ又は複数の内部チャネルを含んでもよい。一例では、図５４〜図６５に示すように、内部キャビティ５５１０は、トウ部５４４０の位置から中央部５５１１まで延在し得る第１の内部チャネル５５２５と、ヒール部５４５０の位置から中央部５５１１まで延在し得る第２の内部チャネル５５２６とを含んでもよい。第１の内部チャネル５５２５及び第２の内部チャネル５５２６は、第１の凹部５５１４に接続し、中央部５５１１又はその近傍で第１の凹部５５１４と同じ深さを有し得る。第１の内部チャネル５５２５及び第２の内部チャネル５５２６の深さは、第１の凹部５５１４からトウ部５４４０及びヒール部５４５０のそれぞれに向かって減少し得る。図５４〜図６５の例に示すように、第１の凹部５５１４に接続及び／又は第１の凹部５５１４に近接する第１の内部チャネル５５２５及び／又は第２の内部チャネル５５２６の部分は、第１の凹部５５１４の深さと同様であり得る一定の深さを維持してもよい。あるいは、第１の内部チャネル５５２５及び／又は第２の内部チャネル５５２６の全体又は一部は、それぞれ、トウ部５４４０及びヒール部５４５０に向かう方向で減少する深さを有し得る。一例では、図５４〜図６５に示すように、第１の内部チャネル５５２５の高さは、比較的大きく拡張する三角形の第１のチャネル部５５３５を含むように、トウ部５４４０から中央部５５１１に向かって増加する。同様に、第２の内部チャネル５５２６の高さは、比較的大きく拡張する三角形の第２のチャネル部５５３６を含むように、ヒール部５４５０から中央部５５１１に向かって増加する。第１のチャネル部５５３５及び第２のチャネル部５５３６は、それぞれ、中央部５５１１をトウ部５４４０及びヒール部５４５０に向かって更に効果的に拡張し得る。従って、第１のチャネル部５５３５及び第２のチャネル部５５３６は、中央部５５１１とトウ部５４４０とヒール部の間に、より大きい体積の第１の充填材料５７１２及び／又は第２の充填材料５７１４を提供し得る。フェース部５４６２での中心から外れたゴルフボールの打撃に関して、内部チャネル５５２５、５５２６内の第１の充填材料５７１２及び／又は第２の充填材料５７１４の増加した体積は、（ｉ）振動減衰又は音響減衰を提供することができ、（ｉｉ）フェース部５４６２に構造的支持を提供することができ、及び／又は、（ｉｉｉ）ボール移動距離、ボール速度、ボール打ち出し角度、ボールスピンレート、ボールピーク高さ、ボール着地角度、及び／又はボールばらつきを最適化することができる。更に、内部チャネル５５２５、５５２６、より具体的には、第１のチャネル部５５３５及び第２のチャネル部５５３６を提供するためにボディ部５４１０から取り除かれる質量は、ゴルフクラブヘッド５４００の慣性モーメントが増加及び／又は重心位置が最適化するように、ボディ部５４１０の他の位置にシフトされ得る。本明細書に記載の装置、方法、及び製造物は、これに限定されない。
【０１７４】
内部キャビティ５５１０は、第１の凹部５５１４〜第５の凹部５５１８と内部チャネル５５２５、５５２６の間の移行領域を画定し得る追加の凹部を含んでもよい。凹部の各々は、他の凹部のいずれか１つ又は幾つかに隣接し、そこに移行し得る。例えば、図５７〜図５９に示すように、第１の凹部５５１４は、第１の凹部５５１４の上側の第３の凹部５５１６に移行及び接続し得る傾斜面５５２７を含んでもよい。更に、凹部のいずれかは、外周エッジ部５４６１に直接移行し得る。凹部及び移行領域は、内部キャビティ５５１０の全体的な形状及び／又は輪郭を共同で画定し得る。移行領域は、隣接する凹部に対して垂直、横断、又は含有する壁を含み得る。更に、移行領域は、隣接する凹部を接合する際の丸みを帯びたコーナーを含み、接合されたコーナーでの応力の集中を減少させるようにしてもよい。凹部は、中央部５５１１から外周エッジ部５４６１までの内部キャビティ５５１０の幅の、輪郭に沿った、連続的な、及び／又は段階的な減少を画定し得る。本明細書に記載の装置、方法、及び製造物は、これに限定されない。
【０１７５】
凹部５５１４〜５５１８及び内部チャネル５５２５、５５２６の形状、サイズ、幅、高さ、及び他の特性は、ゴルフクラブヘッド５４００のロフト角５７４５に関連付けられ得る。一例では、図５４〜図６５に示すように、第１の凹部５５１４、第２の凹部５５１５、及び第３の凹部５５１６は、第１の充填材料５７１２で充填され得る。第１の充填材料５７１２は、第１の凹部５５１４、第２の凹部５５１５、第３の凹部５５１６、及び内部チャネル５５２５、５５２６に射出成型され得る。充填材料５７１２は、固有の接着特性又は結合特性を有することにより、第１の充填材料５７１２と混合される結合剤で、及び／又は別の結合剤で、第１の凹部５５１４、第２の凹部５５１５、第３の凹部５５１６、及び内部チャネル５５２５、５５２６の内壁５５１２に結合され得る。別の例では、第１の充填材料５７１２は、第１の凹部５５１４、第２の凹部５５１５、第３の凹部５５１６、及び内部チャネル５５２５、５５２６の形状に別々に成形され、結合剤で第１の凹部５５１４、第２の凹部５５１５、第３の凹部５５１６、及び内部チャネル５５２５、５５２６に結合され得る。一例では、第４の凹部５５１７及び第５の凹部５５１８を含む内部キャビティ５５１０の残りの部分は、第２の充填材料５７１４で充填され得る。従って、第２の充填材料５７１４は、フェース部５４６２の背面５４６６に結合され、第１の凹部５５１４、第２の凹部５５１５、及び第３の凹部５５１６の外側の内壁５５１２の部分に結合され、及び／又はフェース部５４６２と第１の充填材料５７１２の間に配置され得る。別の例では、第１の凹部５５１４及び第２の凹部５５１５は、第１の充填材料５７１２で充填され得る一方で、内部キャビティ５５１０の残りの部分は、第２の充填材料５７１４で充填され得る。別の例では、第１の凹部５５１４、第２の凹部５５１５、及び内部チャネル５５２５、５５２６は、第１の充填材料５７１２で充填され得る一方で、内部キャビティ５５１０の残りの部分は、第２の充填材料５７１４で充填され得る。別の例では、第１の凹部５５１４、第２の凹部５５１５、内部チャネル５５２５、５５２６、第３の凹部５５１６、及び第５の凹部５５１８は、第１の充填材料５７１２で充填され得る一方で、内部キャビティ５５１０の残りの部分は、第２の充填材料５７１４で充填され得る。更に別の例では、内部キャビティ５５１０の全体が、第１の充填材料５７１２で充填され得る。本明細書に記載の装置、方法、及び製造物は、これに限定されない。
【０１７６】
第１の充填材料５７１２の幅５７２２（ＷF1）及び第２の充填材料５７１４の幅５７２４（ＷF2）は、トウ部５４４０からヒール部５４５０まで及び／又はトップ５４８０からソール部５４９０まで変化してもよく、及び／又は内部キャビティ５５１０内の位置に応じた第１の凹部５５１４、第２の凹部５５１５、第３の凹部５５１６、第４の凹部５５１７及び／又は第５の凹部５５１８の形状に従って変化してもよい。第１の充填材料５７１２の幅５７２２は、第１の凹部５５１４、第２の凹部５５１５、及び第３の凹部５５１６の形状に従って変化し得る。第１の充填材料５７１２の幅５７２２及び／又は第２の充填材料５７１４の幅５７２４は、内部キャビティ５５１０の１つ又は複数の位置で一定又は実質的に一定で、内部キャビティ５５１０の特定の他の位置で変化し得る。一例では、第１の充填材料５７１２の幅５７２２及び／又は第２の充填材料５７１４の幅５７２４は、内部キャビティ５５１０の内壁５５１２の全て又は一部の輪郭（すなわち、凹部の輪郭）及び／又は第１の充填材料５７１２と第２の充填材料５７１４の間の境界の輪郭と同様又は実質的に同様に、内部キャビティ５５１０の１つ又は複数の位置で変化し得る。一例では、第２の充填材料５７１４は、（ｉ）振動減衰又は音響減衰（例えば、ゴルフクラブヘッド５４００を使用する個人によって知覚されるような、ゴルフクラブヘッド５４００でゴルフボールを打つときの一貫した及び／又は心地よい音及び感触）を提供することができ、（ｉｉ）フェース部５４６２に構造的支持を提供することができ、及び／又は、（ｉｉｉ）ボール移動距離、ボール速度、ボール打ち出し角度、ボールスピンレート、ボールピーク高さ、ボール着地角度、及び／又はボールばらつきを最適化することができる。第１の充填材料５７１２の幅５７２２及び第２の充填材料５７１４の幅５７２４は、比較的高い又は最適な反発係数（ＣＯＲ）がゴルフクラブヘッド５４００に提供されるように、ボール打撃領域５４６８及び／又は内部キャビティ５５１０の他の領域で決定され得る。本明細書に記載の装置、方法、及び製造物は、これに限定されない。
【０１７７】
一例（不図示）では、内部キャビティ５５１０は、第１の充填材料５７１２で完全に充填され得る。別の例では、図５４〜図６５に示すように、内部キャビティ５５１０は、第１の充填材料５７１２で部分的に充填され得る。従って、第１の内部キャビティ５５１０の残りの部分は、第２の充填材料５７１４で充填され得る。本明細書に記載されるように、第２の充填材料５７１４は、第１の充填材料５７１２とバックウォール部５４７２との結合を（例えば、単独で、又は、１つ又は複数の接着剤と組み合わせて）提供又は支援し得る。言い換えれば、第２の充填材料５７１４は、バックウォール部５４７２に結合された第１の充填材料５７１２の維持を支援又は維持し得る。本明細書に記載の装置、方法、及び製造物は、これに限定されない。
【０１７８】
一例では、図６５に示すように、フェース部５４６２の背面５４６６は、フェース部５４６２の外周部５４６７に近接する１つ又は複数の溝を含み得る。一例では、図６５に示すように、溝５４６９は、外周部５４６７に近接して外周部５４６７の経路と同様の経路に延在する連続的な溝（すなわち、ループを画定）であり得る。溝５４６９は、フェース部５４６２の比較的薄い部分を含み得る。従って、溝５４６９は、ゴルフボールがフェース部５４６２に当たったときに、フェース部５４６２がより大きなリバウンド力（すなわち、より大きなトランポリン効果）を提供するように、フェース部５４６２の柔軟性を増加させてもよく、これによりゴルフボールにより大きな速度を提供し得る。溝５４６９の全体又は一部は、第１の充填材料５７１２及び／又は第２の充填材料５７１４で充填され得る。ゴルフクラブヘッド５４００の例では、溝５４６９の全体が、第２の充填材料５７１４で充填され得る。従って、第２の充填材料５７１４は、溝５４６９によって画定されるフェース部５４６２の比較的薄い部分を構造的に支持し得る。別の例では、フェース部５４６２に特定のリバウンド効果を提供するために、複数の別個の溝（不図示）が、外周部５４６７に近接する特定の位置でフェース部５４６２の背面５４６６に提供され得る。更に別の例では、フェース部５４６２に特定のリバウンド効果を提供するために、溝５４６９に類似した連続溝及び／又は複数の別個の溝（不図示）が、外周部５４６７とフェース部５４６２の背面５４６６の幾何学的中心５４６３との間の特定の位置に提供され得る。本明細書に記載された任意のゴルフクラブヘッドのフェース部は、溝５４６９を含み得る。例えば、図３５のゴルフクラブヘッド３５００のフェース部３５６２は、第２の充填材料３８１４及び／又は第１の充填材料３８１２で充填され得る同様の溝を含んでもよい。本明細書に記載の装置、方法、及び製造物は、これに限定されない。
【０１７９】
本明細書に記載されるように、フェース部５４６２は、ゴルフボールの打撃中のフェース部５４６２の屈曲及び撓みが増大するように、比較的薄くてもよい。更に、フェース部５４６２は、フェース部５４６２の可撓性が更に高まるように、本明細書に記載されるように、フェース部５４６２の背面５４６６に１つ又は複数の溝を含み得る。第２の充填材料５７１４は、比較的高い強度及び剛性を有するポリマー材料であり、フェース部５４６２に構造的支持を提供し、ゴルフボールの打撃中又はゴルフボールの打撃の反復におけるフェース部５４６２の破損（すなわち、フェース部疲労）を防止する。本明細書に記載されるように、第２の充填材料５１１４は、エポキシ系の材料であり得る。第２の充填材料５７１４はまた、ゴルフボールの打撃後のフェース部５４６２にリバウンド効果が提供されるように、本明細書に記載されるような比較的高いＣＯＲを有し得る。本明細書に更に記載されるように、第１の充填材料５７１２は、第２の充填材料５７１４よりも強度及び剛性が低く（すなわち、軟質又は低剛性）、第２の充填材料５７１４よりＣＯＲが高い、ゴム系化合物であり得る。従って、第１の充填材料５７１２は、フェース部５４６２に追加の構造的支持を提供することができる。更に、第１の充填材料５７１２の比較的低いＣＯＲは、第１の充填材料５７１２がゴルフボールの打撃からのエネルギーを蓄積し、フェース部５４６２に比較的高いリバウンド効果を提供することで、ゴルフボールにかなりの量のエネルギーを戻すことができる（すなわち、衝撃エネルギーをあまり失わない）。更に、本明細書に記載されるように、第１の充填材料５７１２と第２の充填材料５７１４の異なる材料特性は、異なる周波数範囲で音及び振動を減衰させて、個人に心地よい音及び感触を適用することができる。本明細書に記載の装置、方法、及び製造物は、これに限定されない。
【０１８０】
図６６は、ゴルフクラブヘッド５４００又は本明細書に記載された任意のゴルフクラブヘッドを製造する方法の１つを示す。図６６の例では、プロセス６６００は、ゴルフクラブヘッド５４００のボディ部５４１０及びフェース部５４６２を供給することで開始され得る（ブロック６６１０）。第１の充填材料５７１２は、内部キャビティ５５１０に結合され得る（ブロック６６２０）。一例では、第１の充填材料５７１２が、射出成型によって、内部キャビティ５５１０の本明細書に記載された１つ又は複数の凹部（すなわち、本明細書に記載された任意の凹部）に成形され得る。次に、第１の充填材料５７１２が、環境温度で、又は第１の充填材料５７１２に使用される材料に応じた１つ又は複数の加熱／冷却サイクルによって硬化され得る。別の例では、第１の充填材料５７１２が、本明細書に記載された１つ又は複数の凹部の形状に成形され、その後、本明細書に記載された結合剤で１つ又は複数の凹部に結合され得る。次に、フェース部５４６２が、本明細書で記載されたボディ部５４１０に取り付けられて、内部キャビティ５５１０が封止され得る（ブロック６６３０）。次に、第２の充填材料５７１４が、本明細書に記載された内部キャビティ５５１０に接続され得る、第１セットのポート５５２０、第２セットのポート５５３０、第３セットのポート５５４０、及び／又は第４セットのポート５５５０の１つ又は複数のポートを通じて、内部キャビティ５５１０に注入されてもよい（ブロック６６４０）。次に、第２の充填材料５７１４が、環境温度で、又は第２の充填材料５７１４に使用される材料に応じた１つ又は複数の加熱／冷却サイクルによって硬化され得る。本明細書に記載の装置、方法、及び製造物は、これに限定されない。
【０１８１】
図６７〜図８６の例では、ゴルフクラブヘッド６７００は、トウ部エッジ６７４２を持つトウ部６７４０と、ゴルフクラブを形成するために一方の端部にグリップ（不図示）を有すると共に他方の端部にゴルフクラブヘッド６７００を有するシャフト（不図示）を受け入れるように構成されるホーゼル部６７５５を含み得るヒール部エッジ６７５２を持つヒール部６７５０と、外周エッジ部６７６１を持つフロント部６７６０と、バックウォール部６７７２を持つバック部６７７０と、トップ部エッジ６７８２を持つトップ部６７８０と、ソール部エッジ６７９２を持つソール部６７９０とを有するボディ部６７１０を含み得る。トウ部６７４０、ヒール部６７５０、フロント部６７６０、バック部６７７０、トップ部６７８０、及び／又はソール部６７９０は、互いに部分的に重なり合ってもよい。トウ部エッジ６７４２、ヒール部エッジ６７５２、トップ部エッジ６７８２、及びソール部エッジ６７９２は、ボディ部６７１０の外周を画定し得る。本明細書に記載の装置、方法、及び製造物は、これに限定されない。
【０１８２】
ゴルフクラブヘッド６７００は、アイアン系ゴルフクラブヘッド（例えば、１番アイアン、２番アイアン、３番アイアン、４番アイアン、５番アイアン、６番アイアン、７番アイアン、８番アイアン、９番アイアンなど）、又はウェッジ系ゴルフクラブヘッド（例えば、ピッチングウェッジ、ロブウェッジ、サンドウェッジ、４４°（度），４８°，５２°，５６°，６０°などのｎ度ウェッジなど）であり得る。図６７〜図８６は、特定のタイプのゴルフクラブヘッドを示すが、本明細書に記載の装置、方法、及び製造物は、他のタイプのゴルフクラブヘッド（例えば、ドライバー系ゴルフクラブヘッド、フェアウェイウッド系ゴルフクラブヘッド、ハイブリッド系ゴルフクラブヘッド、パター系ゴルフクラブヘッドなど）に適用可能であり得る。ゴルフクラブヘッド６７００の体積、ゴルフクラブヘッド６７００の構成材料、及び／又はその任意の構成要素は、本明細書に記載及び／又は参照により組み込まれる出願のいずれかに記載された任意のゴルフクラブヘッドと同様であり得る。本明細書に記載の装置、方法、及び製造物は、これに限定されない。
【０１８３】
ゴルフクラブヘッド６７００は、ボディ部６７１０（例えば、１つの単一部品）と一体的に形成され得るフェース部６７６２（すなわち、打撃面）を含んでもよい。一例では、図６７〜図８６に示すように、フェース部６７６２は、フロント部６７６０に（例えば、接着で、機械的に、溶接で、及び／又は半田付けにより）結合された別個の部品であり得る。フェース部６７６２は、前面６７６４及び背面６７６６を含み得る。一例（不図示）では、フロント部６７６０は、ボディ部６７１０にフェース部６７６２を取り付けるためにフェース部６７６２を受け入れるように構成された１つ又は複数の凹んだショルダー部を含み得る。別の例では、図６７〜図８６に示すように、背面６７６６は、ボディ部６７１０の外周エッジ部６７６１に取り付けられ得る外周部６７６７を含んでもよい。フェース部６７６２の外周部６７６７は、１つ又は複数の留め具、１つ又は複数の接着剤又は結合剤、及び／又は溶接又は半田付けによって、ボディ部６７１０の外周エッジ部６７６１に取り付けられ得る。一例では、図６７〜図８６に示すように、フェース部６７６２の外周部６７６７は、１つ又は複数の位置でボディ部６７１０の外周エッジ部６７６１に溶接され得る。あるいは、フェース部６７６２の外周部６７６７の全体が、ボディ部６７１０の外周エッジ部６７６１の全体に溶接（すなわち、連続溶接）され得る。フェース部６７６２は、ゴルフボールを打つためのボール打撃領域６７６８を含み得る。一例では、ボール打撃領域６７６８の中心は、フェース部６７６２の幾何学的中心６７６３であり得る。別の例では、フェース部６７６２の幾何学的中心６７６３は、ボール打撃領域６７６８の中心からオフセットされ得る。一例では、幾何学的中心６７６３、及び、ボール打撃領域６７６８内の幾何学的中心の近傍及び／又は幾何学的中心を取り囲む１つ又は複数の領域は、ゴルフボールを打つためのフェース部６７６２上の概ね最適な位置（すなわち、最適なボール飛距離、ボール速度、ボールスピン特性など）を提供し得る。更に別の例では、幾何学的中心６７６３又はその近傍及びボール打撃領域６７６８内の任意の位置が、ゴルフボールを打つためのフェース部６７６２上の概ね最適な位置を提供し得る。しかしながら、ボールは、本明細書に記載された任意のゴルフクラブヘッドにおけるボール打撃領域６７６８内又はボール打撃領域６７６８外のフェース部４８６２の任意の位置で打たれる可能性があり、個人が好む中心での打撃とは異なる特定のボール飛行特性がもたらされる。フェース部６７６２の構成及びボディ部６７１０に対するフェース部６７６２の取り付け（例えば、溶接）は、本明細書に記載及び／又は参照により組み込まれる出願のいずれかに記載された任意のゴルフクラブヘッドと多くの点で類似し得る。フェース部６７６２は、ゴルフクラブヘッド５４００の溝５４６９と多くの点で類似し得る溝６７６９（図７２に示される）を含み得る。本明細書に記載の装置、方法、及び製造物は、これに限定されない。
【０１８４】
ゴルフクラブヘッド６７００は、接地平面７０１０、水平中央平面７０２０、及び頂上平面７０３０に関連付けられ得る。特に、接地平面７０１０は、地面に平行又は実質的に平行で、且つ、ゴルフクラブヘッド６７００がアドレス位置にあるとき（例えば、ゴルフクラブヘッド６７００がゴルフボールを打つように位置合わせされたとき）にソール部エッジ６７９２の最下端に接する平面であり得る。頂上平面７０３０は、ゴルフクラブヘッド６７００がアドレス位置にあるときにトップ部エッジ６７８２の最上端に接する平面であり得る。接地平面７０１０及び頂上平面７０３０は、それぞれ、互いに平行又は実質的に平行であり得る。水平中央平面７０２０は、接地平面７０１０と頂上平面７０３０のそれぞれの間の垂直方向の中間にあり得る。更に、ゴルフクラブヘッド６７００は、ゴルフクラブヘッド６７００のロフト角７０４５（α）を画定するロフト平面７０４０に関連付けられ得る。ロフト平面７０４０は、フェース部６７６２に対する接平面であり得る。ロフト角７０４５は、ロフト平面７０４０と、接地平面７０１０に対して垂直な垂直面７０５０との間の角度によって画定され得る。
【０１８５】
ボディ部６７１０は、内壁６８１２を有する内部キャビティ６８１０を含む中空体であり得る。内部キャビティ６８１０は、フロント部６７６０、バック部６７７０、トップ部６７８０、及びソール部６７９０の間に延在し得る。図６７〜図８６の例では、ボディ部６７１０の内部キャビティ６８１０は、フェース部６７６２で封止されると共にフェース部６７６２で部分的に画定され得る。内部キャビティ６８１０の構成（例えば、高さ、幅、体積、形状など）、ボディ部６７１０に対する内部キャビティ６８１０の構成（例えば、ボディ部６７１０の体積に対する内部キャビティ６８１０の体積）、内部キャビティ６８１０の幅及び高さの変化、及び、ボディ部６７１０の１つ又は複数のポートからの内部キャビティ６８１０へのアクセスは、本明細書に記載及び／又は参照により組み込まれる出願のいずれかに記載された任意のゴルフクラブヘッドと同様であり得る。本明細書に記載の装置、方法、及び製造物は、これに限定されない。
【０１８６】
バック部６７７０のバックウォール部６７７２は、上側バックウォール部７１１２及び下側バックウォール部７１１４を含み得る。バックウォール部６７７２は、トウ部エッジ６７４２とヒール部エッジ６７５２の間に連続的又は不連続的に延在し得るレッジ部７１１６を含んでもよい。下側バックウォール部７１１４は、上側バックウォール部７１１２と下側バックウォール部７１１４の間の移行部分を画定するレッジ部７１１６によって、上側バックウォール部７１１２よりもボディ部６７１０の後方に配置され得る。従って、レッジ部７１１６は、上側バックウォール部７１１２及び下側バックウォール部７１１４に対して横方向に延在し得る。一例では、図６７〜図８６に示すように、レッジ部７１１６は、第１のレッジ部７１２６及び第２のレッジ部７１３６を含み得る。第１のレッジ部７１２６は、トウ部エッジ６７４２からバックウォール部６７７２のバックウォール中央部７１４０までバックウォール部上に延在し得る。第２のレッジ部７１３６は、バックウォール部６７７２の中央部７１４０からヒール部エッジ６７５２まで延在し得る。図６７〜図８６に示すように、レッジ部７１１６は、水平中央平面７０２０の下側にボディ部６７１０の比較的大きい質量を提供することができ、水平中央平面７０２０の下側のボディ部６７１０の質量をボディ部６７１０のより後方に移動させることができる。レッジ部７１１６の幅は、ボディ部６７１０の特定の位置での内部キャビティの幅より大きくてもよく、等しくてもよく、小さくてもよい。レッジ部７１１６の構成（例えば、幅、区分、テーパ、形状など）及び内部キャビティの幅に対するレッジ部７１１６の特性は、本明細書に記載及び／又は参照により組み込まれる出願のいずれかに記載された任意のゴルフクラブヘッドと同様であり得る。本明細書に記載の装置、方法、及び製造物は、これに限定されない。
【０１８７】
ボディ部６７１０は、外部ポート及び／又は内部ポート（例えば、ボディ部６７１０の内部に配置）であり得る１つ又は複数のポートを含んでもよい。内部キャビティ６８１０の内壁６８１２は、１つ又は複数のポート（不図示）を含み得る。一例では、図６７〜図８６に示すように、バック部６７７０は、ボディ部６７１０の外周に沿って又はその近傍に１つ又は複数のポートを含み得る。例えば、ボディ部６７１０は、ポートのセット６８２０（例えば、ポート６８２１、６８２２、６８２３、６８２４、６８２５として示される）を含み得る。ポートのセット６８２０の各ポートは、ポートのセット６８２０の任意のポートのポート直径より小さい、等しい、又は大きい距離だけ離され得る。一例では、ポート６８２１及び６８２２は、ポート６８２１又は６８２２のいずれかのポート直径より大きい距離だけ離され得る。同様に、ポート６８２４及び６８２５は、ポート６８２４又は６８２５のいずれかのポート直径より大きい距離だけ離され得る。ポート６８２２、６８２３、及び６８２４は、ポート６８２２、６８２３、又は６８２４のいずれかのポート直径より小さい距離だけ離され得る。ポートのセット６８２０の任意の１つ又は複数の複数のポートは、単一のポートに結合され得る。ポートのセット６８２０の各ポートの位置、他のポートとの間隔、及び他の任意の構成は、本明細書に記載又は参照により組み込まれる出願のいずれかに記載された任意のポートと多くの点で類似し得る。更に、ポートのセット６８２０の任意の１つ又は複数のポートは、内部キャビティ６８１０に接続されてもよく、それを通じて１つ又は複数の充填材料が内部キャビティ６８１０に注入され得る。図６７〜図８６の例では、ポート６８２１、６８２５は、それぞれ、開口部６８６１、６８７１を介して内部キャビティ６８１０に接続され得る。本明細書に記載の装置、方法、及び製造物は、これに限定されない。
【０１８８】
ボディ部６７１０は、ボディ部６７１０に結合される一体的な質量部又は別々の質量部であり得る１つ又は複数の質量部（例えば、ウェイト部）を含んでもよい。図６７〜図８６に示すような例では、ボディ部６７１０は、質量部のセット６９２０（例えば、質量部６９２１、６９２２、６９２３、６９２４、６９２５として示される）を含み得る。上記の例では質量部の特定の数又は部分を説明したが、参照により組み込まれる出願のいずれかに記載されたように、質量部のセットは、単一の質量部又は複数の質量部を含み得る。例えば、質量部のセット６９２０における隣接し合う質量部のいずれか１つ又は組み合わせは、単一の質量部であり得る。更に、質量部のセット６９２０は、ボディ部６７１０の物理的構造の一部であり得る。質量部のセット６９２０は、参照により組み込まれる出願のいずれかに記載された任意の質量部と同様であり得る。本明細書に記載の装置、方法、及び製造物は、これに限定されない。
【０１８９】
内部キャビティ６８１０は、１つ又は複数の類似又は異なるタイプの材料を含み得る、本明細書に記載されるような１つ又は複数の充填材料（すなわち、キャビティ充填材料）で、部分的に又は完全に充填されてもよい。一例では、図６７〜図８６に示すように、内部キャビティ６８１０は、充填材料５１１２又は充填材料５７１２に類似し得る、又は、本明細書に記載又は参照により組み込まれる出願のいずれかに記載された任意の充填材料に類似し得る、充填材料７０１２で充填され得る。本明細書に記載の装置、方法、及び製造物は、これに限定されない。
【０１９０】
充填材料７０１２は、内部キャビティ６８１０の内壁６８１２の全体又は一部に結合され得る。一例では、充填材料７０１２は、内壁６８１２の全体又は一部に取り付けるための固有の接着特性又は結合特性を有し得る。別の例では、充填材料７０１２は、充填材料７０１２と混合され得る１つ又は複数の結合剤又は接着剤で、内壁６８１２の全体又は一部に取り付けられてもよい。別の例では、充填材料７０１２は、充填材料７０１２から分離され得る１つ又は複数の結合剤又は接着剤で、内壁６８１２の全体又は一部に取り付けられてもよい。本明細書に記載の装置、方法、及び製造物は、これに限定されない。
【０１９１】
一例では、充填材料７０１２は、フェース部６７６２のボール打撃領域６７６８に概ね対応し得る内壁６８１２の少なくとも一部に結合されてもよく（すなわち、充填材料７０１２は概ねボール打撃領域６７６８の背後に配置され得る）、フェース部６７６２のボール打撃領域６７６８の近傍及び／又はその周囲の領域に結合されてもよい。別の例では、充填材料７０１２は、内壁６８１２の少なくとも１０％に結合され得る。別の例では、充填材料７０１２は、内壁６８１２の少なくとも２５％に結合され得る。更に別の例では、充填材料７０１２は、内壁６８１２の２５％から５０％の間に結合され得る。別の例では、充填材料７０１２は、内壁６８１２の５４％から７５％の間に結合され得る。更に別の例では、充填材料７０１２は、内壁６８１２の５０％から９０％の間に結合され得る。更に別の例では、充填材料７０１２は、内壁６８１２の７５％より多くに結合され得る。更に別の例では、充填材料７０１２は、内壁６８１２の全体に結合され得る。本明細書に記載の装置、方法、及び製造物は、これに限定されない。
【０１９２】
内壁６８１２に結合され得る充填材料７０１２の量は、ゴルフクラブヘッドのロフト角、フェース部６７６２の全体の厚さ、フェース部６７６２の厚さプロファイル、内部キャビティ６８１０の形状、任意のポート又は質量部の位置及び構成、及び／又は充填材料７０１２の材料特性に依存してもよい。一例では、比較的大きいロフト角を有するゴルフクラブヘッドは、充填材料７０１２が結合され得る内壁６８１２の部分を制限してもよい。別の例では、比較的小さいロフト角を有するゴルフクラブヘッドは、充填材料７０１２が内壁６８１２の全体又は実質的な部分に結合され得る。更に別の例では、ゴルフクラブヘッドの音響特性は、個人に心地よい音及び感触を提供するように内壁６８１２に結合され得る充填材料７０１２の量を決定する要因となり得る。内壁６８１２に結合された充填材料７０１２の量（すなわち、体積及び／又は質量）は、各ゴルフクラブヘッド（すなわち、特定のロフト角を有する）に対して決定されてもよく、（ｉ）振動減衰又は音響減衰（例えば、ゴルフクラブヘッド６７００を使用する個人によって知覚されるような、ゴルフクラブヘッド６７００でゴルフボールを打つときの一貫した及び／又は心地よい音及び感触）を提供することができ、（ｉｉ）フェース部６７６２に構造的支持を提供することができ、及び／又は、（ｉｉｉ）ボール移動距離、ボール速度、ボール打ち出し角度、ボールスピンレート、ボールピーク高さ、ボール着地角度、及び／又はボールばらつきを最適化することができる。本明細書に記載の装置、方法、及び製造物は、これに限定されない。
【０１９３】
図６７〜図８６の例では、内部キャビティ６８１０の中央部６８１１を含む内部キャビティ６８１０の一部は、ボール打撃領域６７６８に概ね対応し得る内部キャビティ６８１０の一部であってもよく、充填材料７０１２を含み得る。内部キャビティ６８１０の中央部６８１１での内部キャビティ６８１０の幅６８１３は、内部キャビティ６８１０の他の部分での内部キャビティ６８１０の幅６８１３よりも概ね大きくてもよい。従って、ボール打撃領域６７６８の背後の内部キャビティ６８１０の領域、すなわち、中央部６８１１は、比較的大量の充填材料７０１２を含み得る。更に、中央部６８１１の構成（すなわち、サイズ、形状、輪郭、体積など）は、ロフト角７０４５に依存し得る。例えば、比較的小さいロフト角７０４５を有するゴルフクラブヘッド６７００は、比較的大きいロフト角７０４５を有するゴルフクラブヘッド６７００よりも大きい中央部６８１１（すなわち、より大きい体積、深さ、高さなど）を有し得る。従って、本明細書に記載されるように、内部キャビティ６８１０内、より具体的には、中央部６８１１の充填材料７０１２の量は、ロフト角７０４５に基づいて決定されてもよく、（ｉ）振動減衰又は音響減衰（例えば、ゴルフクラブヘッド６７００を使用する個人によって知覚されるような、ゴルフクラブヘッド６７００でゴルフボールを打つときの一貫した及び／又は心地よい音及び感触）を提供することができ、（ｉｉ）フェース部６７６２に構造的支持を提供することができ、及び／又は、（ｉｉｉ）ボール移動距離、ボール速度、ボール打ち出し角度、ボールスピンレート、ボールピーク高さ、ボール着地角度、及び／又はボールばらつきを最適化することができる。本明細書に記載の装置、方法、及び製造物は、これに限定されない。
【０１９４】
内部キャビティ６８１０の輪郭又は内壁６８１２の形状は、外周エッジ部６７６１に対して凹んだ複数の凹部によって画定され得る。図６７〜図８６の例では、内部キャビティ６８１０は、第１の凹部６８１４と、第１の凹部６８１４よりも概ね小さい深さを有し得る第２の凹部６８１５と、第２の凹部６８１５よりも概ね小さい深さを有し得る第３の凹部６８１６と、第３の凹部６８１６よりも概ね小さい深さを有し得る第４の凹部６８１７と、第４の凹部６８１７よりも概ね小さい深さを有し得る第５の凹部６８１８とを含んでもよい。内部キャビティ６８１０は、より多い又はより少ない凹部を有し得る。本明細書に記載の装置、方法、及び製造物は、これに限定されない。
【０１９５】
第１の凹部６８１４は、概ね、内部キャビティ６８１０の最大幅６８１３を含んでもよく、中央部６８１１に設けられてもよく、及び／又は、中央部６８１１に隣接及び／又は取り囲む部分を有してもよい。第２の凹部６８１５は、第１の凹部６８１４の全体又は一部に隣接及び／又は取り囲んでもよく、中央部６８１１にあり得る部分を含んでもよい。図６７〜図８６の例では、第２の凹部６８１５は、第１の凹部６８１４の下側に位置する。ポート６８２２、６８２３、６８２４を含むボディ部６７１０の構造の一部は、第２の凹部６８１５と下側バックウォール部７１１４の間にあり得る。従って、第２の凹部６８１５の深さは、ボディ部６７１０が第２の凹部６８１５と下側バックウォール部７１１４の間のポート６８２２、６８２３、６８２４を収容できるように、第１の凹部６８１４の深さより小さくてもよい。本明細書に記載の装置、方法、及び製造物は、これに限定されない。
【０１９６】
第３の凹部６８１６は、第２の凹部６８１５及び／又は第１の凹部６８１４の全体又は一部に隣接及び／又は取り囲んでもよく、中央部６８１１にあり得る部分を含んでもよい。図６７〜図８６の例では、第３の凹部６８１６は、水平中央平面７０２０の上側の第１の凹部６８１４を取り囲む。第４の凹部６８１７は、外周エッジ部６７６１又はその近傍にあってもよく、及び／又は、第３の凹部６８１６、第２の凹部６８１５、及び／又は第１の凹部６８１４の全体又は一部に隣接及び／又は取り囲んでもよい。図６７〜図８６の例では、第４の凹部６８１７は、水平中央平面７０２０の下側の第１の凹部６８１４及び第２の凹部６８１５の部分に隣接する。第５の凹部６８１８は、外周エッジ部６７６１に隣接し得る。従って、第５の凹部６８１８を含む内部キャビティ６８１０の任意の位置で、第５の凹部６８１８は、外周エッジ部６７６１と、第１の凹部６８１４、第２の凹部６８１５、第３の凹部６８１６、第４の凹部６８１７のいずれかとの間にあり得る。本明細書に記載の装置、方法、及び製造物は、これに限定されない。
【０１９７】
内部キャビティ６８１０は、トウ部６７４０とヒール部６７５０の間に延在し得る１つ又は複数の内部チャネルを含んでもよい。一例では、図６７〜図８６に示すように、内部キャビティ６８１０は、トウ部６７４０の位置から中央部６８１１まで延在し得る第１の内部チャネル６８２５と、ヒール部６７５０の位置から中央部６８１１まで延在し得る第２の内部チャネル６８２６とを含んでもよい。第１の内部チャネル６８２５及び第２の内部チャネル６８２６は、第１の凹部６８１４に接続し、中央部６８１１又はその近傍で第１の凹部６８１４と同じ深さを有し得る。第１の内部チャネル６８２５及び第２の内部チャネル６８２６の深さは、第１の凹部６８１４からトウ部６７４０及びヒール部６７５０のそれぞれに向かって減少し得る。図６７〜図８６の例に示すように、第１の凹部６８１４に接続及び／又は第１の凹部６８１４に近接する第１の内部チャネル６８２５及び／又は第２の内部チャネル６８２６の部分は、第１の凹部６８１４の深さと同様であり得る一定の深さを維持してもよい。あるいは、第１の内部チャネル６８２５及び／又は第２の内部チャネル６８２６の全体又は一部は、それぞれ、トウ部６７４０及びヒール部６７５０に向かう方向で減少する深さを有し得る。フェース部６７６２での中心から外れたゴルフボールの打撃に関して、内部チャネル６８２５、６８２６内の充填材料７０１２の増加した体積は、（ｉ）振動減衰又は音響減衰を提供することができ、（ｉｉ）フェース部６７６２に構造的支持を提供することができ、及び／又は、（ｉｉｉ）ボール移動距離、ボール速度、ボール打ち出し角度、ボールスピンレート、ボールピーク高さ、ボール着地角度、及び／又はボールばらつきを最適化することができる。更に、内部チャネル６８２５、６８２６を提供するためにボディ部６７１０から取り除かれる質量は、ゴルフクラブヘッド６７００の慣性モーメントが増加及び／又は重心位置が最適化するように、ボディ部６７１０の他の位置にシフトされ得る。本明細書に記載の装置、方法、及び製造物は、これに限定されない。
【０１９８】
内部キャビティ６８１０は、第１の凹部６８１４〜第５の凹部６８１８と内部チャネル６８２５、６８２６の間の移行領域を画定し得る追加の凹部を含んでもよい。凹部の各々は、他の凹部のいずれか１つ又は幾つかに隣接し、そこに移行し得る。例えば、第１の凹部６８１４は、第１の凹部６８１４の上側の第３の凹部６８１６に移行及び接続し得る傾斜面６８２７（図７１に示される）を含んでもよい。更に、凹部のいずれかは、外周エッジ部６７６１に直接移行し得る。凹部及び移行領域は、内部キャビティ６８１０の全体的な形状及び／又は輪郭を共同で画定し得る。移行領域は、隣接する凹部に対して垂直、横断、又は含有する壁を含み得る。更に、移行領域は、隣接する凹部を接合する際の丸みを帯びたコーナーを含み、接合されたコーナーでの応力の集中を減少させるようにしてもよい。凹部は、中央部６８１１から外周エッジ部６７６１までの内部キャビティ６８１０の幅の、輪郭に沿った、連続的な、及び／又は段階的な減少を画定し得る。本明細書に記載の装置、方法、及び製造物は、これに限定されない。
【０１９９】
凹部６８１４〜６８１８及び内部チャネル６８２５、６８２６の形状、サイズ、幅、高さ、及び他の特性は、ゴルフクラブヘッド６７００のロフト角７０４５に関連付けられ得る。一例では、図６７〜図８６に示すように、第１の凹部６８１４、第２の凹部６８１５、及び第３の凹部６８１６は、充填材料７０１２で充填され得る。充填材料７０１２は、第１の凹部６８１４、第２の凹部６８１５、及び第３の凹部６８１６に射出成型され得る。充填材料７０１２は、固有の接着特性又は結合特性を有することにより、充填材料７０１２と混合される結合剤で、及び／又は別の結合剤で、第１の凹部６８１４、第２の凹部６８１５、及び第３の凹部６８１６の内壁６８１２に結合され得る。別の例では、充填材料７０１２は、第１の凹部６８１４、第２の凹部６８１５、及び第３の凹部６８１６の形状に別々に成形され、結合剤で第１の凹部６８１４、第２の凹部６８１５、及び第３の凹部６８１６に結合され得る。一例では、第４の凹部６８１７及び第５の凹部６８１８を含む内部キャビティ６８１０の残りの部分は、充填されなくてもよい。本明細書に記載の装置、方法、及び製造物は、これに限定されない。
【０２００】
充填材料７０１２の幅は、トウ部６７４０からヒール部６７５０まで及び／又はトップ６７８０からソール部６７９０まで変化してもよく、及び／又は、内部キャビティ６８１０内の位置に応じた第１の凹部６８１４、第２の凹部６８１５、第３の凹部６８１６、第４の凹部６８１７、第５の凹部６８１８の形状に従って変化してもよく、及び／又は、本明細書に記載された任意の充填材料の幅と同様であってもよい。一例では、図６７〜図８６に示すように、充填材料７０１２は、内部キャビティ６８１０の幅６８１３と同様又は僅かに大きい幅７３２２（ＷFI）を有する充填挿入物７３２０であり得る。従って、充填挿入物７３２０は、内部キャビティ６８１０の内壁６８１２からフェース部６７６２の背面６７６６まで延在し得る。充填挿入物７３２０は、前面７３３０及び背面７３４０を含み得る。前面７３３０と背面７３４０の間の距離は、充填挿入物７３２０の幅７３２２を画定し得る。背面７３４０は、内部キャビティ６８１０の内壁６８１２に結合（すなわち、接触、係合、取り付け、又は接着）され得る。充填挿入物７３２０と内壁６８１２の間の連続的な結合又は実質的に連続的な結合を提供するために、背面７３４０は、充填挿入物７３２０が結合され得る内部キャビティ６８１０の内壁６８１２の一部の形状に対応又は実質的に対応する形状を有してもよい。従って、図７４に示すように、背面７３４０は、充填挿入物７３２０が結合され得る、第１の凹部６８１４、第２の凹部６８１５、第３の凹部６８１６、第１の内部チャネル６８２５、第２の内部チャネル６８２６、及び任意の内壁移行部分（すなわち、各凹部及び／又は各チャネルの間の移行領域）の一部に対応する形状を有してもよい。充填挿入物７３２０とフェース部６７６２の背面６７６６の間の連続的な結合又は実質的に連続的な結合を提供するために、充填挿入物７３２０の前面７３３０は、フェース部６７６２の背面６７６６の形状に対応又は実質的に対応する形状を有し得る。一例では、図７３に示すように、充填挿入物７３２０の前面７３３０は、平面であり得る。別の例（不図示）では、前面７３３０は、充填挿入物７３２０とフェース部６７６２の間の連続的又は実質的に連続的な結合を提供するために、フェース部６７６２の背面の形状に類似し、及び／又は、フェース部６７６２の厚さプロファイルを説明し得る、溝、隆起、チャネル、スロット、ディンプル、逆円錐、及び／又は他の様々な形状を有してもよい。本明細書に記載の装置、方法、及び製造物は、これに限定されない。
【０２０１】
充填挿入物７３２０を内部キャビティ６８１０の内壁６８１２及びフェース部６７６２の背面６７６６に結合するための接着剤は、本明細書に記載された任意の接着剤又は結合剤と同様であり得る。一例では、充填挿入物７３２０を内部キャビティ６８１０の内壁６８１２及びフェース部６７６２の背面６７６６に結合するための接着剤は、同様であり得る。別の例では、充填挿入物７３２０を内部キャビティ６８１０の内壁６８１２及びフェース部６７６２の背面６７６６に結合するための接着剤は、ボディ部６７１０とフェース部６７６２の異なる材料を説明するように異なり得る。更に別の例では、充填挿入物７３２０を内部キャビティ６８１０の内壁６８１２及びフェース部６７６２の背面６７６６に結合するための接着剤は、第２の充填材料４２１３と同様であり得る。本明細書に記載の装置、方法、及び製造物は、これに限定されない。
【０２０２】
一例では、図７５〜図７８に示すように、前面７４３０及び背面７４４０を有する別の充填挿入物７４２０は、本明細書に記載された充填挿入物７３２０と多くの点で類似し得る。充填挿入物７４２０は、Ｕ字型であり得る上側スロット７４５０を含んでもよい。従って、上側スロット７４５０は、第１のアーム７４５２及び第２のアーム７４５４を含み得る。第１のアーム７４５２は、フェース部６７６２の背面６７６６に結合され得る。第２のアーム７４５４は、内部キャビティ６８１０の内壁６８１２に結合され得る。フェース部６７６２がゴルフボールに当たるときに、第１のアーム７４５２は、フェース部６７４２の上側部分がフェース部６７６２の下側部分より大きな撓みを有するように、フェース部６７４２の上側部分に対応して第２のアーム７４５４に向かって圧縮及び撓むことができる。従って、フェース部６７６２の上側部分は、フェース部６７６２の下側部分とは異なるボールスピン、打ち出し角度、打ち出し速度、及び／又は弾道特性を示し得る。更に、充填挿入物７４２０は、フェース部６７６２がゴルフボールに当たるときに、衝撃を吸収し、振動を遮断し、及び／またはノイズを減衰させることができる。本明細書に記載の装置、方法、及び製造物は、これに限定されない。
【０２０３】
一例では、図７９に示すように、前面７９３０及び背面７９４０を有する別の充填挿入物７９２０は、本明細書に記載された充填挿入物７３２０と多くの点で類似し得る。充填挿入物７９２０は、Ｕ字型であり得る下側スロット７９５０を含んでもよい。従って、下側スロット７９５０は、第１のアーム７９５２及び第２のアーム７９５４を含み得る。第１のアーム７９５２は、本明細書に記載されるように、フェース部６７６２の背面６７６６に結合又は接着され得る。第２のアーム７９５４は、本明細書に記載されるように、内部キャビティ６８１０の内壁６８１２に結合され得る。フェース部６７６２がゴルフボールに当たるときに、第１のアーム７９５２は、フェース部６７６２の下側部分がフェース部６７６２の上側部分より大きな撓みを有するように、フェース部６７４２の下側部分に対応して第２のアーム７９５４に向かって圧縮及び撓むことができる。従って、フェース部６７６２の下側部分は、フェース部６７６２の上側部分とは異なるボールスピン、打ち出し角度、打ち出し速度、及び／又は弾道特性を示し得る。更に、充填挿入物７９２０は、フェース部６７６２がゴルフボールに当たるときに、衝撃を吸収し、振動を遮断し、及び／またはノイズを減衰させることができる。本明細書に記載の装置、方法、及び製造物は、これに限定されない。
【０２０４】
一例では、図８０に示すように、前面８０３０及び背面８０４０を有する別の充填挿入物８０２０は、本明細書に記載された充填挿入物７３２０と多くの点で類似し得る。充填挿入物８０２０は、前面８０３０に前面キャビティ８０５０を含み得る。従って、前面８０３０は、フェース部６７６２の背面６７６６に結合又は接着された上側前面８０３１と、フェース部６７６２の背面６７６６に結合又は接着された下側前面８０３２とを含み得る。図８０の例に示すように、前面キャビティ８０５０は、円形の形状を有し得る。別の例（不図示）では、前面キャビティ８０５０は、非円形の形状を有し得る。一例では、図８０に示すように、前面キャビティ８０５０は、フェース部６７６２の概ねボール打撃領域に対応し得る、フェース部６７６２の中央部の背後にあってもよい。フェース部６７６２がゴルフボールに当たるときに、フェース部６７６２の中央部は、フェース部６７６２の周囲部よりも大きな撓みを有し得る。従って、フェース部６７６２の中央部は、フェース部６７６２の周囲部とは異なるボールスピン、打ち出し角度、打ち出し速度、及び／又は弾道特性を示し得る。更に、充填挿入物８０２０は、フェース部６７６２がゴルフボールに当たるときに、衝撃を吸収し、振動を遮断し、及び／またはノイズを減衰させることができる。本明細書に記載の装置、方法、及び製造物は、これに限定されない。
【０２０５】
一例では、図８１に示すように、前面８１３０及び背面８１４０を有する別の充填挿入物８１２０は、本明細書に記載された充填挿入物７３２０と多くの点で類似し得る。充填挿入物８１２０は、中央部８１５３を画定する上側スロット８１５０及び下側スロット８１５２を含み得る。中央部８１５３は、フェース部６７６２の背面６７６６に結合又は接着され得る前面８１３０の一部を画定する。フェース部６７６２に結合又は接着される中央部８１５３の領域は、円形、長方形、又は正方形などの任意の形状を有し得る。中央部８１５３は、フェース部６７６２の概ねボール打撃領域に対応し得る、フェース部６７６２の中央部の背後にあってもよい。フェース部６７６２がゴルフボールに当たるときに、充填挿入物８１２０の中央部８１５３は、フェース部６７６２の中央部と共に撓み得る。従って、フェース部６７６２の中央部は、フェース部６７６２の周囲部とは異なるボールスピン、打ち出し角度、打ち出し速度、及び／又は弾道特性を示し得る。更に、充填挿入物８１２０は、フェース部６７６２がゴルフボールに当たるときに、衝撃を吸収し、振動を遮断し、及び／またはノイズを減衰させることができる。本明細書に記載の装置、方法、及び製造物は、これに限定されない。
【０２０６】
一例では、図８２に示すように、前面８２３０及び背面８２４０を有する別の充填挿入物８２２０は、本明細書に記載された充填挿入物７３２０と多くの点で類似し得る。充填挿入物８２２０は、前面８２３０に前面キャビティ８２５０を含み得る。従って、前面８２３０は、フェース部６７６２の背面６７６６に結合又は接着された上側前面８２３１と、フェース部６７６２の背面６７６６に結合又は接着された下側前面８２３２とを含み得る。図８２の例に示すように、前面キャビティ８２５０は、長方形の形状を有し得る。別の例（不図示）では、前面キャビティ８０５０は、非長方形の形状を有し得る。一例では、図８２に示すように、前面キャビティ８２５０は、フェース部６７６２の概ねボール打撃領域に対応し得る、フェース部６７６２の中央部の背後にあってもよい。
フェース部６７６２がゴルフボールに当たるときに、フェース部６７６２の中央部は、フェース部６７６２の周囲部よりも大きな撓みを有し得る。従って、フェース部６７６２の中央部は、フェース部６７６２の周囲部とは異なるボールスピン、打ち出し角度、打ち出し速度、及び／又は弾道特性を示し得る。更に、充填挿入物８２２０は、フェース部６７６２がゴルフボールに当たるときに、衝撃を吸収し、振動を遮断し、及び／またはノイズを減衰させることができる。本明細書に記載の装置、方法、及び製造物は、これに限定されない。
【０２０７】
一例では、図８３に示すように、前面８３３０及び背面８３４０を有する別の充填挿入物８３２０は、本明細書に記載された充填挿入物７３２０と多くの点で類似し得る。充填挿入物８３２０は、充填挿入物７３２０の高さより小さい高さ８３２１を有し得る。従って、前面８３３０は、フェース部６７６２のより小さい領域に結合又は接着され得る。その結果、フェース部６７６２は、充填挿入物７３２０を有するゴルフクラブヘッドと比較して、フェース部６７６２の周囲とは異なるボールスピン、打ち出し角度、打ち出し速度、及び／又は弾道特性を示し得る。更に、充填挿入物８３２０は、フェース部６７６２がゴルフボールに当たるときに、衝撃を吸収し、振動を遮断し、及び／またはノイズを減衰させることができる。本明細書に記載の装置、方法、及び製造物は、これに限定されない。
【０２０８】
一例では、図８４に示すように、前面８４３０及び背面８４４０を有する別の充填挿入物８４２０は、本明細書に記載された充填挿入物７３２０と多くの点で類似し得る。充填挿入物８４２０は、充填挿入物７３２０の高さより小さく、且つ、充填挿入物８３２０の高さ８３２１より小さい、高さ８４２１を有し得る。従って、前面８４３０は、フェース部６７６２のより小さい領域に結合又は接着され得る。その結果、フェース部６７６２は、充填挿入物７３２０を有するゴルフクラブヘッド、又は充填挿入物８３２０を有するゴルフクラブヘッドと比較して、フェース部６７６２の周囲とは異なるボールスピン、打ち出し角度、打ち出し速度、及び／又は弾道特性を示し得る。本明細書に記載の装置、方法、及び製造物は、これに限定されない。
【０２０９】
一例では、図８５に示すように、前面８５３０及び背面８５４０を有する別の充填挿入物８５２０は、本明細書に記載された充填挿入物７３２０と多くの点で類似し得る。充填挿入物８５２０の前面８５３０は、フェース部６７６２に結合又は接着され得る。充填挿入物８５２０の背面８５４０は、内部キャビティ６８１０の内壁６８１２に結合されなくてもよい。充填挿入物８５２０は、任意の断面形状を有し得る。図８５の例では、充填挿入物８５２０は、トップ部６７８０からフェース部６７６２の中央部の背後の位置に向かって直線的又は実質的に直線的に増加し、フェース部６７６２の中央部の背後の位置からソール部６７９０に向かって直線的に減少する幅８６２３を有し得る。フェース部６７６２は、充填挿入物８５２０の断面形状に対応するフェース部６７６２の異なる位置で、異なるボールスピン、打ち出し角度、打ち出し速度、及び／又は弾道特性を示し得る。更に、充填挿入物８５２０は、フェース部６７６２がゴルフボールに当たるときに、衝撃を吸収し、振動を遮断し、及び／またはノイズを減衰させることができる。本明細書に記載の装置、方法、及び製造物は、これに限定されない。
【０２１０】
一例では、図８６に示すように、前面８６３０及び背面８６４０を有する別の充填挿入物８６２０は、本明細書に記載された充填挿入物７３２０と多くの点で類似し得る。充填挿入物８６２０の前面８６３０は、フェース部６７６２に結合又は接着され得る。充填挿入物８６２０の背面８６４０は、内部キャビティ６８１０の内壁６８１２に結合されなくてもよい。充填挿入物８６２０は、任意の断面形状を有し得る。図８６の例では、充填挿入物８６２０は、トップ部６７８０からフェース部６７６２の中央部の背後の位置に向かって湾曲した態様又は経路で増加し、フェース部６７６２の中央部の背後の位置からソール部６７９０に向かって湾曲した態様又は経路で減少する幅８６２３を有し得る。フェース部６７６２は、充填挿入物８６２０の断面形状に対応する、異なるボールスピン、打ち出し角度、打ち出し速度、及び／又は弾道特性を示し得る。更に、充填挿入物８６２０は、フェース部６７６２がゴルフボールに当たるときに、衝撃を吸収し、振動を遮断し、及び／またはノイズを減衰させることができる。本明細書に記載の装置、方法、及び製造物は、これに限定されない。
【０２１１】
一例（不図示）では、内部キャビティ６８１０は、充填材料７０１２で完全に充填され得る。別の例では、図６７〜図８６に示すように、内部キャビティ６８１０は充填材料７０１２で部分的に充填され、内部キャビティ６８１０の残りの部分は充填されなくてもよい。別の例では、内部キャビティ６８１０の残りの部分は、本明細書に記載された任意の充填材料と同様であり得る別の充填材料で充填されてもよい。本明細書に記載の装置、方法、及び製造物は、これに限定されない。
【０２１２】
一例では、図６７〜図８６に示された任意の充填挿入物の断面形状は、トウ部６７４０とヒール部６７５０の間の内部キャビティ６８１０内の距離の全体に延在し得る。別の例では、充填挿入物の断面形状は、トウ部６７４０とヒール部６７５０の間の内部キャビティ６８１０内の距離の１つ又は複数の部分に沿って延在し得る。別の例では、充填挿入物の断面形状は、フェース部６７６２の中央部又はボール打撃領域の背後の内部キャビティ６８１０の部分に沿って延在し得る。更に別の例では、充填挿入物の断面形状は、本明細書に記載された構成の１つに従って内部キャビティ６８１０の中央部に延在してもよく、内部キャビティ６８１０の他の部分における充填挿入物の断面形状は、本明細書に記載された充填挿入物の他の断面構成の１つ又は複数に従って構成されてもよい。本明細書に記載の装置、方法、及び製造物は、これに限定されない。
【０２１３】
本明細書に記載された任意の充填挿入物は、本明細書に記載された任意の接着剤又は結合剤によって、内部キャビティ６８１０の内壁６８１２に取り付け又は結合され得る。別の例では、充填材料８０２０によって占有されない内部キャビティ６８１０の１つ又は複数の部分は、本明細書に記載された任意の充填材料で充填され得る。別の例では、内部キャビティ６８１０は、本明細書に記載されるように、充填挿入物のみを含み得る。更に別の例では、内部キャビティ６８１０は、本明細書に記載された任意の充填材料で、部分的に又は完全に充填され得る。本明細書に記載の装置、方法、及び製造物は、これに限定されない。
【０２１４】
図８７は、ゴルフクラブヘッド６７００又は本明細書に記載された任意のゴルフクラブヘッドを製造する方法の１つを示す。図８７の例では、プロセス８７００は、ゴルフクラブヘッド６７００のボディ部６７１０及びフェース部６７６２を供給することで開始され得る（ブロック８７１０）。充填挿入物７３２０が、本明細書に記載されるような充填挿入物７３２０を製造するように構成された型に充填材料７０１２を射出成型することで形成され得る（ブロック８７２０）。例えば、型の内部は、本明細書に記載するように、充填挿入物７３２０を結合し得る内部キャビティ６８１０の部分の形状に対応する部分を含み得る。次に、充填挿入物７３２０が、本明細書に記載されるように、内部キャビティ６８１０の内壁６８１２に取り付けられ得る（ブロック８７３０）。次に、フェース部６７６２が、本明細書に記載されたボディ部６７１０に取り付けられて、内部キャビティ６８１０が封止され得る（ブロック８７４０）。一例では、フェース部６７６２をボディ部６７１０に取り付ける前に、接着剤又は結合剤が、充填挿入物７３２０に結合するフェース部６７６２の背面６７６６の部分に塗布され得る。別の例では、充填挿入物７３２０が、接着剤又は結合剤を使用せずに、フェース部６７６２の背面６７６６に係合され得る。あるいは、充填挿入物７３２０が、フェース部６７６２の背面６７６６に取り付けられ得る（ブロック８７３０）。一例では、フェース部６７６２をボディ部６７１０に取り付ける前に、接着剤又は結合剤が、充填挿入物７３２０に結合する内部キャビティ６８１０の内壁６８１２の部分に塗布され得る。別の例では、充填挿入物７３２０が、接着剤又は結合剤を使用せずに、内部キャビティ６８１０の内壁６８１２に係合され得る。フェース部６７６２がボディ部６７１０に取り付けられた後、充填挿入物７３２０が、内部キャビティ６８１０の内壁６８１２とフェース部６７６２の背面６７６６の間で僅かに圧縮され得る。充填挿入物７３２０の僅かな圧縮は、接着剤又は結合剤の使用の有無にかかわらず、内部キャビティ６８１０の内壁６８１２及び／又はフェース部６７６２の背面６７６６に係合された充填挿入物７３２０の維持を支援し得る。本明細書に記載の装置、方法、及び製造物は、これに限定されない。
【０２１５】
一例では、図８８に示すように、フェース部８８６２は、第１の厚さ８８１０（Ｔ１）又は第２の厚さ８８２０（Ｔ２）を有し得る。第１の厚さ８８１０は、溝８８６８に隣接するフェース部８８６２の断面の厚さであり得る一方で、第２の厚さ８８２０は、溝８８６８の下側のフェース部８８６２の断面の厚さであり得る。例えば、第１の厚さ８８１０は、前面８８６４と背面８８６６の間の最大距離であり得る。第２の厚さ８８２０は、溝８８６８に基づき得る。特に、溝８８６８は、溝の深さ８８２５（Ｄgroove）を有し得る。第２の厚さ８８２０は、溝８８６８の底部と背面８８６６の間の最大距離であり得る。第２の厚さ８８２０と溝の深さ８８２５の合計は、第１の厚さ８８１０と実質的に等しくてもよい（例えば、Ｔ２＋Ｄgroove＝Ｔ１）。従って、第２の厚さ８８２０は、第１の厚さ８８１０より小さくてもよい（例えば、Ｔ２＜Ｔ１）。
【０２１６】
本明細書に記載の任意のゴルフクラブヘッドのＣＧなどのゴルフクラブヘッドのＣＧを下げ及び／又は更に後方に移動させるために、ゴルフクラブヘッドのフロント部の質量は、比較的薄いフェース部８８６２を使用することで除去され得る。例えば、第１の厚さ８８１０又は第２の厚さ８８２０は、約０．１インチ（２．５４ミリメートル）以下であり得る。別の例では、第１の厚さ８８１０又は第２の厚さ８８２０は、約０．０７５インチ（１．８７５ミリメートルであり得る（例えば、Ｔ１＝０．０７５インチ）。ゴルフクラブヘッドのバックウォール部を支持して内部キャビティを形成し、本明細書に記載された１つ又は複数の充填材料で内部キャビティの少なくとも一部を充填することで、フェース部８８６２は、ゴルフクラブヘッドの構造的完全性、音、及び／又は感触を劣化させずに比較的薄くされ得る（例えば、Ｔ１＜０．０７５インチ）。一例では、第１の厚さ８８１０は、０．０６０インチ（１．５２４ミリメートル）以下であり得る（例えば、Ｔ１≦０．０６０インチ）。別の例では、第１の厚さ８８１０は、０．０４０インチ（１．０１６ミリメートル）以下であり得る（例えば、Ｔ１≦０．０４０インチ）。フェース部８８６２及び／又はボディ部１１０の形成に使用される材料のタイプに基づいて、フェース部８８６２は更に薄くてもよく、第１の厚さ８８１０は０．０３０インチ（０．７６２ミリメートル）以下であり得る（例えば、Ｔ１≦０．０３０インチ）。溝の深さ８８２５は、第２の厚さ８８２０以上であり得る（例えば、Ｄgroove≧Ｔ２）。一例では、溝の深さ８８２５は、約０．０２０インチ（０．５０８ミリメートル）であり得る（例えば、Ｄgroove＝０．０２０インチ）。従って、第２の厚さ８８２０は、約０．０１０インチ（０．２５４ミリメートル）であり得る（例えば、Ｔ２＝０．０１０インチ）。別の例では、溝の深さ８８２５は、約０．０１５インチ（０．３８１ミリメートル）であってもよく、第２の厚さ８８２０は、約０．０１５インチであってもよい（例えば、Ｄgroove＝Ｔ２＝０．０１５インチ）。あるいは、溝の深さ８８２５は、第２の厚さ８８２０より小さくてもよい（例えば、Ｄgroove＜Ｔ２）。ゴルフクラブヘッドのバックウォール部の支持と内部キャビティの充填に使用される１つ又は複数の充填材料が無ければ、ゴルフクラブヘッドは、フェース部によるゴルフボールへの複数回の衝撃に耐えることができない可能性がある。対照的に、比較的薄いフェース部を有するがバックウォール部の支持と本明細書に記載された１つ又は複数の充填材料の支持が無いゴルフクラブヘッド（例えば、キャビティバックゴルフクラブヘッド）は、ゴルフボールとの衝突中に不快な音（例えば、安っぽい音）及び／又は感触を生じ得る。本明細書に記載の装置、方法、及び製造物は、これに限定されない。
【０２１７】
本明細書に記載された任意のゴルフクラブヘッドなどのゴルフクラブヘッドの形成に使用される製造プロセス及び方法に基づいて、フェース部８８６２は、フェース部８８６２の外周又はその近傍に追加の材料を含み得る。従って、フェース部８８６２はまた、第３の厚さ８８３０、及び面取り部８８４０を有し得る。第３の厚さ８８３０は、第１の厚さ８８１０又は第２の厚さ８８２０のいずれかより大きくてもよい（例えば、Ｔ３＞Ｔ１＞Ｔ２）。特に、フェース部８８６２は、溶接プロセスによってゴルフクラブヘッドのボディ部に結合され得る。例えば、第１の厚さ８８１０は、約０．０３０インチ（０．７６２ミリメートル）であってもよく、第２の厚さ８８２０は、約０．０１５インチ（０．３８１ミリメートル）であってもよく、第３の厚さ８８３０は、約０．０５０インチ（１．２７ミリメートル）であってもよい。従って、面取り部８８４０は、フェース部８８６２がゴルフクラブヘッドのボディ部に溶接されるときに、追加の材料の一部を収容し得る。
【０２１８】
図８９に示すように、例えば、フェース部８８６２は、１つ又は複数の溝８８６８の下側に、概ね８９０５として示される、補強区間を含み得る。一例では、フェース部８８６２は、各溝の下側に補強区間８９０５を含み得る。あるいは、フェース部８８６２は、幾つかの溝（例えば、１つおきの溝）の下側又は１つの溝のみの下側に補強区間８９０５を含み得る。フェース部８８６２は、第１の厚さ８９１０、第２の厚さ８９２０、第３の厚さ８９３０、及び面取り部８９４０を含み得る。溝８８６８は、溝の深さ８９２５を有し得る。補強区間８９０５は、第２の厚さ８９２０を画定し得る。第１厚さ８９１０及び第２厚さ８９２０は、それぞれ、互いに実質的に等しくてもよい（例えば、Ｔ１＝Ｔ２）。一例では、第１の厚さ８９１０及び第２の厚さ８９２０は、それぞれ、約０．０３０インチ（０．７６２ミリメートル）であり得る（例えば、Ｔ１＝Ｔ２＝０．０３０インチ）。溝の深さ８９２５は、約０．０１５インチ（０．３８１ミリメートル）であってもよく、第３の厚さ８９３０は、約０．０５０インチ（１．２７ミリメートル）であってもよい。溝８８６８はまた、溝の幅を有し得る。補強区間８９０５の幅は、溝の幅以上であり得る。本明細書に記載の装置、方法、及び製造物は、これに限定されない。
【０２１９】
あるいは、フェース部８８６２は、ゴルフクラブヘッドのトップ部とソール部で、及び／又はそれらの間で厚さが変化してもよい。一例では、フェース部８８６２は、トップ部又はその近傍が、ソール部又はその近傍よりも比較的厚くてもよい（例えば、フェース部８８６２の厚さは、トップ部からソール部に向かって徐々に減少し得る）。別の例では、フェース部８８６２は、ソール部又はその近傍が、トップ部又はその近傍よりも比較的厚くてもよい（例えば、フェース部８８６２の厚さは、ソール部からトップ部に向かって徐々に減少し得る）。更に別の例では、フェース部８８６２は、トップ部とソール部の間が、トップ部とソール部又はそれらの近傍よりも比較的厚くてもよい（例えば、フェース部８８６２の厚さは、ベル型の輪郭を有し得る）。フェース部８８６２は、参照により組み込まれる出願のいずれかに記載された任意のフェース部と同様であり得る。本明細書に記載の装置、方法、及び製造物は、これに限定されない。
【０２２０】
本明細書に記載された任意の質量部のセットの１つ又は複数の質量部は、類似又は異なる物理的特性（例えば、色、マーク、形状、サイズ、密度、質量、体積、外面の質感、構成材料など）を有し得る。従って、本明細書に記載された任意の質量部のセットは、ゴルフクラブヘッドの装飾デザインに寄与し得る。図９０に示すような例では、本明細書に記載された任意の質量部のセットの１つ又は複数の質量部は、円筒の形状（例えば、円形の断面）を有し得る。あるいは、本明細書に記載された任意の質量部のセットの１つ又は複数の質量部は、第１の形状（例えば、円筒の形状）を有し得る一方で、本明細書に記載された別の質量部のセットの１つ又は複数の質量部は、第２の形状（例えば、立方体の形状）を有し得る。別の例では、本明細書に記載された任意の質量部のセットの１つ又は複数の質量部は、異なる形状を有する２つ以上の質量部を含み得る。別の例では、本明細書に記載された任意の質量部のセットの１つ又は複数の質量部は、本明細書に記載された別の質量部のセットの１つ又は複数の質量部と比較して、異なる色、マーク、形状、密度、質量、体積、構成材料、外面の質感、及び／又は任意の他の物理的特性を有し得る。本明細書に記載された任意の質量部又は質量部のセットの特性は、参照により組み込まれる出願のいずれかに記載された任意の質量部又は質量部のセットと同様であり得る。本明細書に記載の装置、方法、及び製造物は、これに限定されない。
【０２２１】
図９１、図９２を参照すると、例えば、第１の質量部９１００及び第２の質量部９２００は、それぞれ、本明細書に記載されたポートに固定するためにポート内に構成されたネジ山に対応して係合する、概ね９１１０、９２１０として示されるネジ山を含み得る。従って、本明細書に記載された１つ又は複数の質量部は、ポート内のネジ山に係合するネジ又はネジ部品と同様の形状及び機能であり得る。例えば、本明細書に記載された任意の質量部のセットの１つ又は複数の質量部は、ネジであり得る。本明細書に記載された任意の質量部のセットの１つ又は複数の質量部は、工具の有無に関わらず、ゴルフクラブヘッドのボディ部から容易に取り外しできなくてもよい。あるいは、本明細書に記載された任意の質量部のセットの１つ又は複数の質量部は、比較的重い又は軽い質量部で本明細書に記載された任意の質量部のセットの１つ又は複数の質量部を交換できるように、（例えば、工具で）容易に取り外し可能であり得る。別の例では、本明細書に記載された任意の質量部のセットの１つ又は複数の質量部は、質量部を容易に取り外しできないように、エポキシ樹脂又は接着剤でポートに固定され得る。更に別の例では、本明細書に記載された任意の質量部のセットの１つ又は複数の質量部は、質量部を容易に取り外しできないように、ネジとネジシーラント（例えば、アクリル接着剤、シアノアクリレート接着剤、エポキシ樹脂、熱可塑性接着剤、シリコンシーラント、又はウレタン接着剤）の両方でポートに固定され得る。更に別の例では、本明細書に記載された任意の質量部のセットの１つ又は複数の質量部は、ポートに圧入され得る。更に別の例では、本明細書に記載された任意の質量部のセットの１つ又は複数の質量部は、射出成型によってポートの内部に形成され得る。例えば、液体金属材料（すなわち、溶融金属）又はプラスチック材料（例えば、ゴム、発泡体、又は任意のポリマー材料）が、ポート内に注入又は導入され得る。液体材料がポート内で冷却及び／又は硬化された後、その結果の固体材料（例えば、金属材料、プラスチック材料、又はそれらの組み合わせ）は、質量部を形成し得る。本明細書に記載の装置、方法、及び製造物は、これに限定されない。
【０２２２】
上記のように、本明細書に記載された任意の質量部のセットの１つ又は複数の質量部は、幾つかの物理的特性は類似するが、他の物理的特性は異なってもよい。例えば、ある質量部はアルミニウム系材料又はアルミニウム合金から作製され得る一方で、別の質量部はタングステン系材料又はタングステン合金から作製され得る。別の例では、ある質量部はポリマー材料から作製され得る一方で、別の質量部はスチール系材料から作製され得る。更に別の例では、図９０〜図９２に示すように、本明細書に記載された任意の質量部のセットの１つ又は複数の質量部は、約０．２５インチ（６．３５ミリメートル）の直径９０１０を有し得るが、本明細書に記載された別の質量部のセットの１つ又は複数の質量部は、異なる高さであり得る。特に、本明細書に記載された任意の質量部のセットの１つ又は複数の質量部は、第１の高さ９１２０に関連付けられてもよく、本明細書に記載された別の質量部のセットの１つ又は複数の質量部は、第２の高さ９２２０に関連付けられてもよい。第１の高さ９１２０は、第２の高さ９２２０より比較的小さくてもよい。一例では、第１の高さ９１２０は約０．１２５インチ（３．１７５ミリメートル）であり得る一方で、第２の高さ９２２０は、約０．３インチ（７．６２ミリメートル）であり得る。別の例では、第１の高さ９１２０は約０．１６インチ（４．０６４ミリメートル）であり得る一方で、第２の高さ９２２０は約０．４インチ（１０．１６ミリメートル）であり得る。あるいは、第１の高さ９１２０は、第２の高さ９２２０以上であり得る。上記の例は特定の寸法を説明しているが、本明細書に記載された１つ又は複数の質量部は、異なる寸法を有し得る。一例では、本明細書に記載された任意の質量部は、本明細書に記載された任意のポートで交換可能に使用され得る。本明細書に記載された任意の質量部の任意の特性は、参照により組み込まれる出願のいずれかに記載された任意の質量部の対応する特性と同様であり得る。本明細書に記載の装置、方法、及び製造物は、これに限定されない。
【０２２３】
本明細書に記載の装置、方法、及び製造物は、１つ又は複数のクラブ識別子（例えば、シリアル番号、マトリクスバーコード、商標、クラブ番号、ロフト角、文字など）を含み得る。例えば、本明細書に記載された任意のゴルフクラブヘッドは、ゴルフクラブヘッドのタイプを識別するためのクラブ番号などの視覚的識別子を含み得る。特に、クラブ番号は、ゴルフクラブヘッドのロフト角に対応し得る（例えば、３、４、５、６、７、８、又は９）。一例では、７番のアイアン系ゴルフクラブヘッドは、「７」がマークされ得る。別の例では、ゴルフクラブヘッドは、ロフト角がマークされ得る。例えば、５４度のウェッジ系ゴルフクラブヘッドは、「５４」がマークされ得る。更に別の例では、１０．５度のドライバー系ゴルフクラブヘッドは、「１０．５」がマークされ得る。クラブ識別子に関連付けられた任意のマークは、ゴルフクラブヘッドの残りの部分から視覚的に区別され得る（例えば、異なる色、質感、パターンなど）。他のゴルフクラブヘッドと区別できるように、本明細書に記載されたゴルフクラブヘッドは、ゴルフクラブのブランド名又はモデルを識別する（例えば、他の製造業者又は販売業者と区別する）ための商標（例えば、単語、名称、記号、模様、又はこれらの任意の組み合わせ）を含み得る。クラブ識別子は、ゴルフクラブを真正の用具として識別するため、在庫を追跡するため、又は、ゴルフクラブを模倣品又は偽造品から区別するための、製品番号又はシリアル番号などの別のタイプの視覚的識別子であり得る。あるいは、クラブ識別子は、ゴルフクラブヘッドに関する情報又はデータのデジタル署名又は機械読み取り可能な光学表現であり得る（例えば、数字、英数字、バイト、ＵＰＣ（Ｕｎｉｖｅｒｓａｌ  Ｐｒｏｄｕｃｔ  Ｃｏｄｅ）などの一次元バーコード、ＱＲ（Ｑｕｉｃｋ  Ｒｅｓｐｏｎｓｅ）コードなどの二次元バーコードなど）。クラブ識別子は、様々な方法（例えば、ゴルフクラブヘッドへの塗装、レーザーエッチング、スタンプ、鋳造、又は成形）を使用して、ゴルフクラブヘッドの様々な位置（例えば、ヒール部、ホーゼル部、フェース部、トップ部、ソール部、など）に配置され得る。例えば、クラブ識別子は、ゴルフクラブヘッドのホーゼル部にレーザーエッチングされたシリアル番号であり得る。ゴルフクラブヘッドと一体的な部分に代えて、クラブ識別子は、ゴルフクラブヘッドに結合された別々の構成要素（例えば、接着剤又はエポキシ樹脂を介して接着されたラベル）であり得る。本明細書に記載の装置、方法、及び製造物は、これに限定されない。
【０２２４】
ゴルフクラブヘッド５４００の反発係数（ＣＯＲ）及び性能に対する異なる充填材料の使用の影響を判定するために、ゴルフクラブヘッド５４００と同様だが異なるロフト構成（すなわち、4番アイアン、７番アイアン、ピッチングウェッジ）及び異なる充填材料を有するゴルフクラブヘッドを備えた幾つかのゴルフクラブがテストされ、各ゴルフクラブのＣＯＲ、ボール速度、ボール打ち出し角度、バックスピン、ピーク高さ、及びキャリー距離が得られた。各ゴルフクラブのＣＯＲを測定するために、エアキャノン装置を使用して、ゴルフクラブヘッドの中心位置（以下に定義）に向かって約１２５ｍｐｈの初速度（つまり、インバウンド速度）で約４５グラムの重量のゴルフボールを複数回発射した。テストを繰り返すたびに、速度モニタリング装置を使用して、ゴルフボールのアウトバウンド速度（ｍｐｈ）とリバウンド時間をミリ秒（ｍｓ）単位で測定した。その後、ゴルフクラブヘッドの平均ＣＯＲを測定データから決定した。各ゴルフクラブのボール速度、ボール打ち出し角度、バックスピン、ピーク高さ、及びキャリー距離を測定するために、ゴルフクラブの例の各々が、ゴルフクラブヘッドのフェース部の５つの位置の各々で複数回ずつ８４ｍｐｈから８６ｍｐｈの平均ゴルフクラブヘッド速度でゴルフボールを打つ、カリフォルニア州サンディエゴのゴルフラボラトリーズによって製造されたスイングロボットでテストされ、平均ボール速度（ｍｐｈ）、平均ボール打ち出し角度（ラジアン）、平均ボールバックスピン（ｒｐｍ）、平均ボールピーク高さ（ヤード）、及び平均総キャリー距離（ヤード）を決定した。フェース部の５つの位置は、中心位置、トウ位置、ヒール位置、ロウ位置、ハイ位置である。中心位置は、ゴルフボールが一般に個人によって打たれるフェース部上の位置として決定された。言い換えれば、中央位置は、統計的に最も多くのボール打撃を受ける（例えば、７５％を超える）。中心位置は、スイングロボットによるフェース部の実際のボール打撃領域及び／又は測定公差に応じた変動及び／又は近似を考慮して、ボトム部から０．７５インチ又は約０．７５インチでフェース部の対応する溝の中心であると決定された。トウ位置及びヒール位置は、スイングロボットによるフェース部の実際のボール打撃領域及び／又は測定公差に応じた変動及び／又は近似を考慮して、中心位置からトウ方向及びヒール方向のそれぞれに０．５インチ又は約０．５インチとして決定された。ハイ位置及びロウ位置は、スイングロボットによるフェース部の実際のボール打撃領域及び／又は測定公差に応じた変動及び／又は近似を考慮して、中心位置から上方向及び下方向のそれぞれに０．２５インチ又は約０．２５インチとして決定された。本明細書に記載の装置、方法、及び製造物は、これに限定されない。
【０２２５】
表５〜表１０は、ゴルフクラブヘッド５４００について本明細書に記載の装置、方法、及び製造物に従って構成されたゴルフクラブヘッドを有する４番アイアンゴルフクラブの３つの実施例の実験的性能結果を示し、各実施例は異なる充填材料を有する。実施例１のゴルフクラブヘッド５４９１（不図示）は、本明細書に記載又は参照により組み込まれる出願のいずれかに記載された任意の熱可塑性エラストマー（ＴＰＥ）材料と同様又は類似の特性を持つＴＰＥ充填材料でゴルフクラブヘッド５４９１が充填されたことを除いて、４番アイアン構成のゴルフクラブヘッド５４００に類似している。実施例２のゴルフクラブヘッド５４９２（不図示）は、本明細書に記載又は参照により組み込まれる出願のいずれかに記載された任意のエポキシ材料と同様又は類似の特性を持つエポキシ材料でゴルフクラブヘッド５４９２が充填されたことを除いて、４番アイアン構成のゴルフクラブヘッド５４００に類似している。実施例３のゴルフクラブヘッド５４９３は、４番アイアン構成のゴルフクラブヘッド５４００に類似すると共に、本明細書に記載されたような第１の充填材料５７１２及び第２の充填材料５７１４で充填されている。従って、３つの実施例のゴルフクラブヘッド５４９１、５４９２、５４９３は全て、それらの充填材料の違いを除いて、構造的に類似している。
【表５】
0006989730.tif 000013
【表６】
0006989730.tif 000014
【表７】
0006989730.tif 000015
【表８】
0006989730.tif 000016
【表９】
0006989730.tif 000017
【表１０】
0006989730.tif 000018
【０２２６】
表５を参照すると、ゴルフクラブヘッド５４９３は、ゴルフクラブヘッド５４９１、５４９２よりもフェース中心の打撃のＣＯＲが高い。従って、表６に示すように、より高いＣＯＲは、中心位置でゴルフクラブヘッド５４９１、５４９２より高いボール速度を提供する。特に、中心位置では、ゴルフクラブヘッド５４９２に対するゴルフクラブヘッド５４９３のボール速度の増加は０．５ｍｐｈに近く、ゴルフクラブヘッド５４９１に対するゴルフクラブヘッド５４９３のボール速度の増加は１ｍｐｈより大きく１．５ｍｐｈに近い。表１０を参照すると、ゴルフクラブヘッド５４９１、５４９２に対するゴルフクラブヘッド５４９３の中心位置でのボール速度の増加は、ゴルフクラブヘッド５４９３のより大きな総キャリー距離を提供する。特に、中心位置では、ゴルフクラブヘッド５４９２に対するゴルフクラブヘッド５４９３のキャリー距離の増加は１ヤードを超えており、ゴルフクラブヘッド５４９１に対するゴルフクラブヘッド５４９３のキャリー距離の増加は１．５ヤードである。本明細書に記載されるように、フェース部の中心位置は、フェース部の統計上最も高い打撃領域を表し得る。言い換えれば、多くの個人が、中心位置又はその近傍でゴルフボールを打つ可能性がある。従って、本明細書に詳細に記載された（例えば、第１の充填材料５７１２及び第２の充填材料５７１４のそれぞれで充填された）ゴルフクラブヘッド５４９３は、ゴルフクラブヘッド５４００に類似するがＴＰＥ材料（例えば、ゴルフクラブヘッド５４９１）又はエポキシ材料（例えば、ゴルフクラブヘッド５４９２）などの別の充填材料が充填されたゴルフクラブヘッドと比較して、全てのフェース中心打撃に対して改善された性能を提供する。更に、ヒール、トウ、及びハイのフェース位置でのゴルフクラブヘッド５４９３のボール速度及びキャリー距離は、ゴルフクラブヘッド５４９１、５４９２のそれぞれの同じ位置のボール速度及びキャリー距離より大きい。従って、本明細書に詳細に記載された（例えば、第１の充填材料５７１２及び第２の充填材料５７１４のそれぞれで充填された）ゴルフクラブヘッド５４９３は、ゴルフクラブヘッド５４００に類似するがＴＰＥ材料（例えば、ゴルフクラブヘッド５４９１）又はエポキシ材料（例えば、ゴルフクラブヘッド５４９２）などの別の充填材料が充填されたゴルフクラブヘッドと比較して、全体的に改善された性能を提供する。
【０２２７】
表１１〜表１６は、ゴルフクラブヘッド５４００について本明細書に記載の装置、方法、及び製造物に従って構成されたゴルフクラブヘッドを有する７番アイアンゴルフクラブの３つの実施例の実験的性能結果を示し、各実施例は異なる充填材料を有する。実施例４のゴルフクラブヘッド５５９１（不図示）は、本明細書に記載又は参照により組み込まれる出願のいずれかに記載された任意の熱可塑性エラストマー（ＴＰＥ）材料と同様又は類似の特性を持つＴＰＥ充填材料でゴルフクラブヘッド５５９１が充填されたことを除いて、７番アイアン構成のゴルフクラブヘッド５４００に類似している。実施例５のゴルフクラブヘッド５５９２（不図示）は、本明細書に記載又は参照により組み込まれる出願のいずれかに記載された任意のエポキシ材料と同様又は類似の特性を持つエポキシ材料でゴルフクラブヘッド５５９２が充填されたことを除いて、７番アイアン構成のゴルフクラブヘッド５４００に類似している。実施例６のゴルフクラブヘッド５５９３は、７番アイアン構成のゴルフクラブヘッド５４００に類似すると共に、本明細書に記載されたような第１の充填材料５７１２及び第２の充填材料５７１４で充填されている。従って、３つの実施例のゴルフクラブヘッド５５９１、５５９２、５５９３は全て、それらの充填材料の違いを除いて、構造的に類似している。
【表１１】
0006989730.tif 000019
【表１２】
0006989730.tif 000020
【表１３】
0006989730.tif 000021
【表１４】
0006989730.tif 000022
【表１５】
0006989730.tif 000023
【表１６】
0006989730.tif 000024
【０２２８】
表１１を参照すると、ゴルフクラブヘッド５５９３は、ゴルフクラブヘッド５５９１、５５９２よりもフェース中心の打撃のＣＯＲが高い。従って、表１２に示すように、ゴルフクラブヘッド５５９３は、中心位置でゴルフクラブヘッド５５９１、５５９２より高いボール速度を提供する。特に、中心位置では、ゴルフクラブヘッド５５９１に対するゴルフクラブヘッド５５９３のボール速度の増加は１ｍｐｈに近く、ゴルフクラブヘッド５５９２に対するゴルフクラブヘッド５５９３のボール速度の増加は１ｍｐｈより大きい。表１６を参照すると、ゴルフクラブヘッド５５９３の中心位置でのボール速度の増加は、ゴルフクラブヘッド５５９１、５５９２と比較してゴルフクラブヘッド５５９３のより大きな総キャリー距離を提供する。特に、中心位置では、ゴルフクラブヘッド５５９１に対するゴルフクラブヘッド５５９３のキャリー距離の増加は１ヤードであり、ゴルフクラブヘッド５５９２に対するゴルフクラブヘッド５５９３のキャリー距離の増加は３ヤードを超えている。本明細書に記載されるように、フェース部の中心位置は、フェース部の統計上最も高い打撃領域を表し得る。言い換えれば、多くの個人が、中心位置又はその近傍でゴルフボールを打つ可能性がある。従って、本明細書に詳細に記載された（例えば、第１の充填材料５７１２及び第２の充填材料５７１４のそれぞれで充填された）ゴルフクラブヘッド５５９３は、ゴルフクラブヘッド５４００に類似するがＴＰＥ材料（例えば、ゴルフクラブヘッド５５９１）又はエポキシ材料（例えば、ゴルフクラブヘッド５５９２）などの別の充填材料が充填されたゴルフクラブヘッドと比較して、全てのフェース中心打撃に対して改善された性能を提供する。
【０２２９】
表１７〜表２２は、ゴルフクラブヘッド５４００について本明細書に記載の装置、方法、及び製造物に従って構成されたゴルフクラブヘッドを有するピッチングウェッジ（ＰＷ）ゴルフクラブの３つの実施例の実験的性能結果を示し、各実施例は異なる充填材料を有する。実施例７のゴルフクラブヘッド５６９１（不図示）は、本明細書に記載又は参照により組み込まれる出願のいずれかに記載された任意の熱可塑性エラストマー（ＴＰＥ）材料と同様又は類似の特性を持つＴＰＥ充填材料でゴルフクラブヘッド５６９１が充填されたことを除いて、ＰＷ構成のゴルフクラブヘッド５４００に類似している。実施例８のゴルフクラブヘッド５６９２（不図示）は、本明細書に記載又は参照により組み込まれる出願のいずれかに記載された任意のエポキシ材料と同様又は類似の特性を持つエポキシ材料でゴルフクラブヘッド５６９２が充填されたことを除いて、ＰＷ構成のゴルフクラブヘッド５４００に類似している。実施例９のゴルフクラブヘッド５６９３は、ＰＷ構成のゴルフクラブヘッド５４００に類似すると共に、本明細書に記載されたような第１の充填材料５７１２及び第２の充填材料５７１４で充填されている。従って、３つの実施例のゴルフクラブヘッド５６９１、５６９２、５６９３は全て、それらの充填材料の違いを除いて、構造的に類似している。
【表１７】
0006989730.tif 000025
【表１８】
0006989730.tif 000026
【表１９】
0006989730.tif 000027
【表２０】
0006989730.tif 000028
【表２１】
0006989730.tif 000029
【表２２】
0006989730.tif 000030
【０２３０】
表１７を参照すると、ゴルフクラブヘッド５６９３は、ゴルフクラブヘッド５６９１、５６９２よりもフェース中心の打撃のＣＯＲが高い。従って、表１８に示すように、ゴルフクラブヘッド５６９２は、中心位置でゴルフクラブヘッド５６９１、５６９２より高いボール速度を提供する。特に、中心位置では、ゴルフクラブヘッド５６９１に対するゴルフクラブヘッド５６９３のボール速度の増加は１ｍｐｈを超えており、ゴルフクラブヘッド５６９２に対するゴルフクラブヘッド５６９３のボール速度の増加は略０．５ｍｐｈである。表２２を参照すると、ゴルフクラブヘッド５６９３の中心位置でのボール速度の増加は、ゴルフクラブヘッド５６９１、５６９２と比較してゴルフクラブヘッド５６９３のより大きな総キャリー距離を提供する。特に、中心位置では、ゴルフクラブヘッド５６９１に対するゴルフクラブヘッド５６９３のキャリー距離の増加は略２ヤードであり、ゴルフクラブヘッド５６９２に対するゴルフクラブヘッド５６９３のキャリー距離の増加は略０．５ヤードである。本明細書に記載されるように、フェース部の中心位置は、フェース部の統計上最も高い打撃領域を表し得る。言い換えれば、多くの個人が、中心位置又はその近傍でゴルフボールを打つ可能性がある。従って、本明細書に詳細に記載された（例えば、第１の充填材料５７１２及び第２の充填材料５７１３のそれぞれで充填された）ゴルフクラブヘッド５６９３は、ゴルフクラブヘッド５４００に類似するがＴＰＥ材料（例えば、ゴルフクラブヘッド５６９１）又はエポキシ材料（例えば、ゴルフクラブヘッド５６９２）などの別の充填材料が充填されたゴルフクラブヘッドと比較して、全てのフェース中心打撃に対して改善された性能を提供する。更に、ヒール、トウ、ハイ、及びロウのフェース位置でのゴルフクラブヘッド５６９３のボール速度及びキャリー距離は、ゴルフクラブヘッド５６９１、５６９２のそれぞれの同じ位置のボール速度及びキャリー距離より大きい。従って、本明細書に詳細に記載された（例えば、第１の充填材料５７１２及び第２の充填材料５７１３のそれぞれで充填された）ゴルフクラブヘッド５６９３は、ゴルフクラブヘッド５４００に類似するがＴＰＥ材料（例えば、ゴルフクラブヘッド５６９１）又はエポキシ材料（例えば、ゴルフクラブヘッド５６９２）などの別の充填材料が充填されたゴルフクラブヘッドと比較して、全体的に改善された性能を提供する。
【０２３１】
一例では、ゴルフボールの打撃に応じたゴルフクラブヘッド５５９２、５５９３のフェース部５４６２の中心位置の偏りが、有限要素解析（ＦＥＡ）を使用して数値的に決定される。数値的にモデル化された衝突は、３８ｍ／ｓ（８５ｍｐｈ）で移動する２パーツゴルフボール（ＵＳＧＡブリジストンキャリブレーションボール）と、固定位置にあるゴルフクラブヘッド５５９２、５５９３の各々の間であり、ゴルフクラブヘッド５５９２、５５９３の各々は約０．０５９インチ（１．５ｍｍ）のフェース部厚さを有する。ＦＥＡの結果は、最小のフェース部の撓みで略同じ力（すなわち、ゴルフボールの略同じ変形形状）を考慮すると、表２３に示される。
【表２３】
0006989730.tif 000031
【０２３２】
表２３に示すように、ゴルフボールがフェース部５４６２に衝突してから測定された最大フェース中心撓みに達するまでの時間と、フェース部５４６２のリバウンド時間（すなわち、最大撓みから略ゼロ撓みに達するまでの時間）は、ゴルフクラブヘッド５５９２、５５９３の両方で略同じである。しかしながら、表２３に示すように、ゴルフクラブヘッド５５９３のフェース部５４６２の最大撓みは、略同じ最大撓み及びリバウンド時間間隔に対して、ゴルフクラブヘッド５５９３のフェース部５４６２の最大撓みの略２倍である。従って、ゴルフクラブヘッド５５９２と同じ時間間隔でのゴルフクラブヘッド５５９３のフェース部５４６２の比較的大きな撓みとその後のリバウンド（すなわち、より高いフェースリバウンド速度）は、ゴルフボールへのリバウンドエネルギーのより大きな伝達を提供し、本明細書に記載されたゴルフボール速度及びキャリー距離の増加をゴルフクラブヘッド５５９３にもたらす。本明細書に記載の装置、方法、及び製造物は、これに限定されない。
【０２３３】
本明細書に記載された任意のゴルフクラブヘッドのボディ部及び／又はフェース部は、
スチール系材料（例えば、１７−４ＰＨステンレス鋼、Ｎｉｔｒｏｎｉｃ（登録商標）５０ステンレス鋼、合金鋼８６２０、マレージング鋼、又は他のタイプのステンレス鋼）、チタン系材料、アルミニウム系材料（例えば、高強度アルミニウム合金、又は高強度合金で被覆された複合アルミニウム合金）、それらの任意の組み合わせ、非金属材料、複合材料、及び／又は他の適切なタイプの材料で、部分的に又は完全に作製され得る。ボディ部及び／又はフェース部は、本明細書に記載又は参照により組み込まれる出願のいずれかに記載された任意のボディ部及び／又はフェース部と同様の材料で構成され得る。本明細書に記載の装置、方法、及び製造物は、これに限定されない。
【０２３４】
一例では、本明細書に記載された任意のゴルフクラブヘッドのフェース部の前面の面積は、３３０ｍｍ2 以上５０００ｍｍ2 以下であり得る。別の例では、本明細書に記載された任意のゴルフクラブヘッドのフェース部の前面の面積は、１０００ｍｍ2 以上５３００ｍｍ2 以下であり得る。更に別の例では、本明細書に記載された任意のゴルフクラブヘッドのフェース部の前面の面積は、１５００ｍｍ2 以上４８００ｍｍ2 以下であり得る。上記の例は特定の面積を説明したが、前面の面積はそれらの数より多くてもよく、少なくてもよい。本明細書に記載の装置、方法、及び製造物は、これに限定されない。
【０２３５】
一例では、充填材料は、衝撃を吸収、振動を分離、及び／又はノイズを減衰し得る、弾性ポリマー又はエラストマー材料（例えば、オハイオ州ケントのＳｏｒｂｏｔｈａｎｅ社製のＳｏｒｂｏｔｈａｎｅ（登録商標）材料などの粘弾性ウレタンポリマー材料）、熱可塑性エラストマー材料（ＴＰＥ）、熱可塑性ポリウレタン材料（ＴＰＵ）、他のポリマー材料、結合剤（例えば、接着剤）、及び／又は他の適切なタイプの材料を含んでもよい。別の例では、充填材料は、結合特性を有する１つ又は複数の熱硬化性ポリマー（例えば、１つ又は複数の接着剤又はエポキシ材料）であり得る。材料はまた、本明細書に記載されたゴルフクラブヘッドでゴルフボールを打ったときに衝撃を吸収、振動を分離、及び／又はノイズを減衰し得る。更に、充填材料は、硬化したときに柔軟性又は僅かな柔軟性があり得るエポキシ材料であってもよい。別の例では、充填材料は、ミネソタ州セントポールの３Ｍ  ｃｏｒｐｏｒａｔｉｏｎ社製の３ＭTM  Ｓｃｏｔｃｈ−ＷｅｌｄTM  ＤＰ１００ファミリーのエポキシ接着剤（例えば、３ＭTM  Ｓｃｏｔｃｈ−ＷｅｌｄTM  エポキシ接着剤  ＤＰ１００、ＤＰ１００  Ｐｌｕｓ、ＤＰ１００ＮＳ、ＤＰ１００ＦＲ）のいずれかを含み得る。別の例では、充填材料は、３ＭTM  Ｓｃｏｔｃｈ−ＷｅｌｄTM  ＤＰ１００  Ｐｌｕｓ  Ｃｌｅａｒ接着剤を含み得る。別の例では、充填材料は、ミシガン州オーバーンヒルズのＤｏｗ  Ｃｈｅｍｉｃａｌ  Ｃｏｍｐａｎｙ社製の材料であるＭＥＧＵＭTM、ＲＯＢＯＮＤTM、及び／又はＴＨＩＸＯＮTMなどの、低粘度有機溶剤型の溶液及び／又はポリマーと他の反応性化学物質の分散液を含み得る。更に別の例では、充填材料は、コネチカット州ロッキーヒルのＨｅｎｋｅｌ  Ｃｏｒｐｏｒａｔｉｏｎ社製のＬＯＣＴＩＴＥ（登録商標）であり得る。別の例では、充填材料は、ゴルフクラブヘッドでゴルフボールを打ったときに衝撃を吸収、振動を分離、及び／又はノイズを減衰し得る、エチレン共重合材料などのポリマー材料であってもよい。別の例では、充填材料は、高密度エチレン共重合体アイオノマー、脂肪酸変成エチレン共重合体アイオノマー、高非晶質エチレン共重合体アイオノマー、エチレン酸アクリレート三元共重合体のアイオノマー、マグネシウムアイオノマーを含むエチレン共重合体、様々な形状を作り出す従来の射出成形装置で使用される射出成型可能なエチレン共重合体、様々な形状を作り出す従来の押出し装置で使用できるエチレン共重合体、熱硬化性ポリブタジエンゴムに類似した高圧縮性及び低反発性のエチレン共重合体、及び／又は高度に中和されたポリマー組成物の混合物、高度に中和された酸ポリマー、又は高度に中和された酸ポリマー組成物、及び充填剤であり得る。例えば、エチレン共重合体は、デラウェア州、ウィルミントンのＥ．Ｉ．ｄｕ  Ｐｏｎｔ  ｄｅ  Ｎｅｍｏｕｒｓ  ａｎｄ  Ｃｏｍｐａｎｙ社製の、ＤｕＰｏｎｔTM  高性能樹脂（ＨＰＦ）ファミリーの材料（例えば、ＤｕＰｏｎｔTM  ＨＰＦ  ＡＤ１１７２、ＤｕＰｏｎｔTM  ＨＰＦ  ＡＤ１０３５、ＤｕＰｏｎｔ（登録商標）  ＨＰＦ  １０００、及びＤｕＰｏｎｔTM  ＨＰＦ  ２０００）に関連する任意のエチレン共重合体を含み得る。エチレン共重合体のＤｕＰｏｎｔTM  ファミ���ーは、射出成型可能であって、低圧縮性及び高反発力、すなわち、比較的高い反発係数（ＣＯＲ）を提供する、従来の射出成形装置及び型を使用し得る。本明細書に記載の器具、方法、及び製造物は、これに限定されない。本明細書に特に詳細に記載されていない充填材料は、本明細書及び参照により組み込まれる出願のいずれかに記載された１つ又は複数の類似又は異なるタイプの材料を含み得る。本明細書に記載の器具、方法、及び製造物は、これに限定されない。
【０２３６】
本明細書に記載された任意の充填材料は、本明細書に記載された任意のゴルフクラブヘッドの製造中に異なるプロセスに供され得る。そのようなプロセスは、１つ又は複数の射出成型プロセス又は射出成型後の硬化プロセスの間に、伝導、対流、及び／又は放熱によって、加熱及び／又は冷却される１つ又は複数の充填材料を含み得る。例えば、全ての加熱及び冷却プロセスは、本明細書に記載された期間の加熱又は冷却環境を通して本明細書に記載されたゴルフクラブヘッドを移動させるコンベアベルトを使用する加熱又は冷却システムを用いて実行され得る。１つ又は複数の充填材料でゴルフクラブヘッドを製造するプロセスは、参照により組み込まれる出願のいずれかに記載された任意のプロセスと同様であり得る。本明細書に記載の装置、方法、及び製造物は、これに限定されない。
【０２３７】
本明細書に記載された任意のゴルフクラブヘッドは、スチールなどの金属から鋳造によって製造され得る。しかしながら、金属又はセラミックなどの非金属材料からのゴルフクラブヘッドの３Ｄ印刷、又は成形など、本明細書に記載されたゴルフクラブヘッドを製造するための他の技術が使用され得る。
【０２３８】
本明細書に記載された全ての方法が、本明細書で別段の指示がない限り、又は文脈によって明らかに矛盾しない限り、任意の適切な順番で実行され得る。１つ又は複数のプロセスに関して特定の順序のアクションが本明細書に記載されているが、これらのアクションは、他の時系列的な順序でも実行され得る。更に、本明細書に記載された任意のプロセスにおける２つ以上のアクションが、連続して、同時に、又は一斉に実行され得る。
【０２３９】
例えば、全米ゴルフ協会（ＵＳＧＡ）及び／又は全英ゴルフ協会（Ｒ＆Ａ）などのゴルフ標準団体及び／又は運営組織によって規定された手順が、本明細書に記載された任意のゴルフクラブヘッドのクラブヘッド体積を測定するために使用され得る。例えば、クラブヘッド体積は、加重水置換法（すなわち、アルキメデスの原理）を用いて決定することができる。図は特定のタイプのクラブヘッド（例えば、ドライバー系クラブヘッド又はアイアン系クラブヘッド）を示すが、本明細書に記載の装置、方法、及び製造物は、他のタイプのクラブヘッド（例えば、フェアウェイウッド系クラブヘッド、ハイブリッド系クラブヘッド、パター系クラブヘッドなど）に適用可能であり得る。従って、本明細書に記載された任意のゴルフクラブヘッドは、ゴルフ運営組織によって定義される特定のタイプのゴルフクラブヘッドに対応する体積範囲内の体積を有し得る。ドライバー系クラブヘッドは、３００立方センチメートル（ｃｍ3 又はｃｃ）以上のクラブヘッド体積を有し得る。別の例では、ドライバー系クラブヘッドは、４６０ｃｃのクラブヘッド体積を有し得る。フェアウェイウッドゴルフクラブヘッドは、１００ｃｃから３００ｃｃの間のクラブヘッド体積を有し得る。一例では、フェアウェイウッドゴルフクラブヘッドは、１８０ｃｃのクラブヘッド体積を有し得る。アイアン系ゴルフクラブヘッドは、２５ｃｃから１００ｃｃの間のクラブヘッド体積を有し得る。一例では、アイアン系ゴルフクラブヘッドは、５０ｃｃのクラブヘッド体積を有し得る。本明細書に記載されたゴルフクラブのいずれも、特定のタイプのゴルフクラブ（すなわち、ドライバー、フェアウェイウッド、アイアンなど）の物理的特性を有し得るが、上記の範囲外の体積を有してもよい。本明細書に記載の装置、方法、及び製造物は、これに限定されない。
【０２４０】
ゴルフのルールが時々変更され得る（例えば、全米ゴルフ協会（ＵＳＧＡ）、全英ゴルフ協会（Ｒ＆Ａ））などのゴルフ標準団体及び／又は運営組織によって、新しい規則が採択され得る又は古い規則が撤廃又は変更され得る）ので、本明細書に記載の装置、方法、及び製造物に関連するゴルフ用品は、任意の特定の時点のゴルフのルールに準拠してもよく、準拠しなくてもよい。従って、本明細書に記載の装置、方法、及び製造物に関連するゴルフ用品は、準拠又は非準拠のゴルフ用品として宣伝され、売り出され、及び／又は販売されてもよい。本明細書に記載の装置、方法、及び製造物は、これに限定されない。
【０２４１】
上記の例はアイアン系又はウェッジ系ゴルフクラブヘッドを説明しているが、本明細書に記載の装置、方法、及び製造物は、他のタイプのクラブヘッド（例えば、ドライバー系クラブヘッド、フェアウェイウッド系クラブヘッド、ハイブリッド系クラブヘッド、パター系クラブヘッドなど）に適用可能であり得る。更に、上記の例はスチール系材料を説明しているが、本明細書に記載の装置、方法、及び製造物は、他のタイプの金属材料、非金属材料、又はその両方を適用可能であり得る。
【０２４２】
本明細書に列挙した値の範囲は、範囲内のそれぞれ別個の値を個別に言及する簡易な方法として提示することを意図したものにすぎない。本明細書で別段の指示がない限り、個々の値は、本明細書に個々に列挙されたかのように本明細書に組み込まれる。「ｂｅｔｗｅｅｎ（間）」という単語を使用して定義された数値範囲は、数値範囲の両端の数値が含まれる。「ｂｅｔｗｅｅｎ（間）」という単語を使用して定義された空間範囲は、空間範囲内の任意の点及び空間範囲の境界が含まれる。「ｂｅｔｗｅｅｎ（間）」という単語を使用して２つの離間した又は重なり合う要素に対して表される位置は、（ｉ）要素間の任意の空間、（ｉｉ）各要素の一部、（ｉｉｉ）各要素の境界を含む。
【０２４３】
本開示の様々な実施形態を説明する文脈で使用される用語「ａ」、「ａｎ」、及び／又は「ｔｈｅ」は、本明細書で別段の指示がない限り、又は、文脈と明らかに矛盾しない限り、単数形及び複数形の両方をカバーすると理解されるべきである。「ｃｏｕｐｌｅｄ（結合）」という用語及びその任意の変形は、２つ以上の要素を化学的、機械的、及び／又は他の方法で直接又は間接に接続することを指す。「ｒｅｍｏｖａｂｌｙ  ｃｏｎｎｅｃｔｅｄ（取り外し可能に接続された）」という語句は、「取り外し可能に接続された」２つの要素が、いずれかの要素の有用性を破壊又は損なうことなく互いに分離され得るように定義される。
【０２４４】
「ｓｕｂｓｔａｎｔｉａｌｌｙ（実質的に，略、など）」という用語は、要素の特徴、パラメータ、特性、又は値の説明に使用される場合、要素が提供しようとする特徴、パラメータ、特性、又は値を損なわない偏差又は変動を表し得る。要素の特徴、パラメータ、特性、又は値の偏差又は変動は、例えば、許容誤差（公差）、測定誤差、測定精度限界、及び他の要因に基づき得る。「ｐｒｏｘｉｍａｔｅ（近接）」という用語は、「ａｄｊａｃｅｎｔ（隣接）」、「ｃｌｏｓｅ（近い）」、「ｉｍｍｅｄｉａｔｅ（接近）」、「ｎｅａｒｂｙ（近隣）」などの用語と同義であり、これらの用語は、本開示に現れるように交換可能に使用され得る。
【０２４５】
本明細書で提供される任意及び全ての実施例又は例示的な文言（例えば、「ｓｕｃｈ  ａｓ（など）」の使用は、単なる説明を意図したものであり、本開示の範囲を制限するものではない。本明細書のいかなる文言も、本明細書で論じられる実施形態の実施に不可欠なクレームされていない要素を示すものとして理解されるべきではない。本明細書に記載の装置、方法、及び製造物は、種々の実施形態で実現することができ、これらの実施形態の幾つかの上記説明は、必ずしも全ての可能な実施形態の完全な説明を表すものではない。代わりに、図面の説明、及び図面自体は、少なくとも１つの実施形態を開示し、及び代替の実施形態を開示し得る。
【０２４６】
本明細書で開示した代替要素又は実施形態のグループ化は、制限として理解されるべきではない。各グループ要素は、個別に、又は、グループの他の要素又は本明細書に記載された他の要素との任意の組み合わせで、参照又はクレーム化され得る。グループの１つ以上の要素は、利便性及び／又は特許性の理由で、グループに包含されてもよく、グループから削除されてもよい。そのような包含又は削除が起きた場合、本明細書は、変更されたグループが含まれると見做されるので、添付の特許請求の範囲で使用された全てのマーカッシュグループの記載が満たされる。
【０２４７】
一実施形態の異なる特徴又は態様が１つ又は複数の特徴に関して説明され得るが、単一の特徴は複数の要素を含んでもよく、本開示の範囲から逸脱することなく複数の特徴を１つの要素に組み合わせることができる。更に、方法は１つ又は複数の操作を含むものとして開示され得るが、単一の操作は複数のステップを含んでもよく、本開示の範囲から逸脱することなく複数の操作を１つのステップに組み合わせることができる。
【０２４８】
特定の例示的な装置、方法、及び製造物が本明細書で説明されたが、本開示の適用範囲はこれに限定されない。それどころか、本開示は、文言通り又は均等論の下で、添付の特許請求の範囲内に適正に収まる全ての装置、方法、及び製造物をカバーする。
【図１】
0006989730.tif 000032
【図２】
0006989730.tif 000033
【図３】
0006989730.tif 000034
【図４】
0006989730.tif 000035
【図５】
0006989730.tif 000036
【図６】
0006989730.tif 000037
【図７】
0006989730.tif 000038
【図８】
0006989730.tif 000039
【図９】
0006989730.tif 000040
【図１０】
0006989730.tif 000041
【図１１】
0006989730.tif 000042
【図１２】
0006989730.tif 000043
【図１３】
0006989730.tif 000044
【図１４】
0006989730.tif 000045
【図１５】
0006989730.tif 000046
【図１６】
0006989730.tif 000047
【図１７】
0006989730.tif 000048
【図１８】
0006989730.tif 000049
【図１９】
0006989730.tif 000050
【図２０】
0006989730.tif 000051
【図２１】
0006989730.tif 000052
【図２２】
0006989730.tif 000053
【図２３】
0006989730.tif 000054
【図２４】
0006989730.tif 000055
【図２５】
0006989730.tif 000056
【図２６】
0006989730.tif 000057
【図２７】
0006989730.tif 000058
【図２８】
0006989730.tif 000059
【図２９】
0006989730.tif 000060
【図３０】
0006989730.tif 000061
【図３１】
0006989730.tif 000062
【図３２】
0006989730.tif 000063
【図３３】
0006989730.tif 000064
【図３４】
0006989730.tif 000065
【図３５】
0006989730.tif 000066
【図３６】
0006989730.tif 000067
【図３７】
0006989730.tif 000068
【図３８】
0006989730.tif 000069
【図３９】
0006989730.tif 000070
【図４０】
0006989730.tif 000071
【図４１】
0006989730.tif 000072
【図４２】
0006989730.tif 000073
【図４３】
0006989730.tif 000074
【図４４】
0006989730.tif 000075
【図４５】
0006989730.tif 000076
【図４６】
0006989730.tif 000077
【図４７】
0006989730.tif 000078
【図４８】
0006989730.tif 000079
【図４９】
0006989730.tif 000080
【図５０】
0006989730.tif 000081
【図５１】
0006989730.tif 000082
【図５２】
0006989730.tif 000083
【図５３】
0006989730.tif 000084
【図５４】
0006989730.tif 000085
【図５５】
0006989730.tif 000086
【図５６】
0006989730.tif 000087
【図５７】
0006989730.tif 000088
【図５８】
0006989730.tif 000089
【図５９】
0006989730.tif 000090
【図６０】
0006989730.tif 000091
【図６１】
0006989730.tif 000092
【図６２】
0006989730.tif 000093
【図６３】
0006989730.tif 000094
【図６４】
0006989730.tif 000095
【図６５】
0006989730.tif 000096
【図６６】
0006989730.tif 000097
【図６７】
0006989730.tif 000098
【図６８】
0006989730.tif 000099
【図６９】
0006989730.tif 000100
【図７０】
0006989730.tif 000101
【図７１】
0006989730.tif 000102
【図７２】
0006989730.tif 000103
【図７３】
0006989730.tif 000104
【図７４】
0006989730.tif 000105
【図７５】
0006989730.tif 000106
【図７６】
0006989730.tif 000107
【図７７】
0006989730.tif 000108
【図７８】
0006989730.tif 000109
【図７９】
0006989730.tif 000110
【図８０】
0006989730.tif 000111
【図８１】
0006989730.tif 000112
【図８２】
0006989730.tif 000113
【図８３】
0006989730.tif 000114
【図８４】
0006989730.tif 000115
【図８５】
0006989730.tif 000116
【図８６】
0006989730.tif 000117
【図８７】
0006989730.tif 000118
【図８８】
0006989730.tif 000119
【図８９】
0006989730.tif 000120
【図９０】
0006989730.tif 000121
【図９１】
0006989730.tif 000122
【図９２】
0006989730.tif 000123